(57)【要約】【課題】モビリティを効率的に制御することができる端末装置、基地局装置、方法、集積回路を提供すること。【解決手段】端末装置が、ＲＲＣ再設定メッセージに第１の情報が含まれる場合、第１の設定の一部または全部を複製した第２の設定に対してＲＲＣ再設定メッセージの設定を適用し、ＲＲＣ再設定メッセージに第１の情報が含まれない場合、第１の設定に対してＲＲＣ再設定メッセージの設定を適用する。【選択図】図５
2020182170.tif 000002
【特許請求の範囲】
【請求項１】
端末装置であって、
ＲＲＣ再設定メッセージを受信する受信部と、
第１の設定を保持する処理部を備え、
前記第１の設定には、サービングセルに関する情報と無線ベアラに関する情報とが含まれ、
前記処理部は、前記ＲＲＣ再設定メッセージに第１の情報が含まれる場合、前記第１の設定の一部または全部を複製した第２の設定に対して前記ＲＲＣ再設定メッセージの設定を適用し、
前記ＲＲＣ再設定メッセージに第１の情報が含まれない場合、前記第１の設定に対して前記ＲＲＣ再設定メッセージの設定を適用する
端末装置。
【請求項２】
端末装置と通信する基地局装置であって、
ＲＲＣ再設定メッセージを送信する送信部と、
前記ＲＲＣ再設定メッセージを生成する処理部を備え、
前記端末装置の保持する第１の設定には、サービングセルに関する情報と無線ベアラに関する情報とが含まれ、
前記処理部は、前記ＲＲＣ再設定メッセージに第１の情報を含ませることで、前記第１の設定の一部または全部を複製した第２の設定に対して前記ＲＲＣ再設定メッセージの設定を適用させ、
前記ＲＲＣ再設定メッセージに第１の情報が含ませないことで、前記第１の設定に対して前記ＲＲＣ再設定メッセージの設定を適用させる
基地局装置。
【請求項３】
端末装置に適用される方法であって、
ＲＲＣ再設定メッセージを受信するステップと、
第１の設定を保持するステップを備え、
前記第１の設定には、サービングセルに関する情報と無線ベアラに関する情報とが含まれ、
前記ＲＲＣ再設定メッセージに第１の情報が含まれる場合、前記第１の設定の一部または全部を複製した第２の設定に対して前記ＲＲＣ再設定メッセージの設定を適用し、
前記ＲＲＣ再設定メッセージに第１の情報が含まれない場合、前記第１の設定に対して前記ＲＲＣ再設定メッセージの設定を適用する
方法。
【請求項４】
端末装置に実装される集積回路であって、
ＲＲＣ再設定メッセージを受信する機能と、
第１の設定を保持する機能とを前記端末装置に対して発揮させ、
前記第１の設定には、サービングセルに関する情報と無線ベアラに関する情報とが含まれ、
前記ＲＲＣ再設定メッセージに第１の情報が含まれる場合、前記第１の設定の一部または全部を複製した第２の設定に対して前記ＲＲＣ再設定メッセージの設定を適用し、
前記ＲＲＣ再設定メッセージに第１の情報が含まれない場合、前記第１の設定に対して前記ＲＲＣ再設定メッセージの設定を適用する
集積回路。
【発明の詳細な説明】
【技術分野】
【０００１】
本発明は、端末装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。ＥＵＴＲＡはＥ−ＵＴＲＡとも称する。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏ、および新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１  ｖ１５．３．０,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  ｖ１５．３．０，“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１  ｖ１５．４．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１  ｖ１５．３．０,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３４０ｖ  １５．３．０,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００ｖ  １５．３．０,“ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１  ｖ１５．４．０,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３  ｖ１５．３．０,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２  ｖ１５．３．０,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１  ｖ１５．３．０,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１５．０．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２  ｖ１５．３．０,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３７．３２４  ｖ１５．１．０,“ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【非特許文献１７】３ＧＰＰ  Ｄｒａｆｔ＿Ｒｅｐｏｒｔ＿ｖ１．ｄｏｃ,“Ｒｅｐｏｒｔ  ｏｆ  ３ＧＰＰ  ＴＳＧ  ＲＡＮ２♯１０５  ｍｅｅｔｉｎｇ，  Ａｔｈｅｎｓ， Ｇｒｅｅｃｅ”   ｈｔｔｐ：／／ｗｗｗ．３ｇｐｐ．ｏｒｇ／ｆｔｐ／ＴＳＧ＿ＲＡＮ／ＷＧ２＿ＲＬ２／ＴＳＧＲ２＿１０５／Ｒｅｐｏｒｔ／Ｄｒａｆｔ＿Ｒｅｐｏｒｔ＿ｖ１．ｚｉｐ
【非特許文献１８】３ＧＰＰ  ＲＰ−１８１５４４,“Ｒｅｖｉｓｅｄ  ＷＩＤ：  Ｅｖｅｎ  ｆｕｒｔｈｅｒ  ｍｏｂｉｌｉｔｙ  ｅｎｈａｎｃｅｍｅｎｔ  ｉｎ  Ｅ−ＵＴＲＡＮ”
【非特許文献１９】３ＧＰＰ  ＲＰ−１８１４３３,“Ｎｅｗ  ＷＩＤ：  ＮＲ  ｍｏｂｉｌｉｔｙ  ｅｎｈａｎｃｅｍｅｎｔｓ”
【非特許文献２０】３ＧＰＰ  Ｒ２−１９０１３６４,“Ｄｅｔａｉｌ  ｆｏｒ  ｎｏｎ−ｓｐｌｉｔ  ｂｅａｒｅｒ  ｏｐｔｉｏｎ  ｆｏｒ  ｓｉｍｕｌｔａｎｅｏｕｓ  ｃｏｎｎｅｃｔｉｖｉｔｙ”
【発明の概要】
【発明が解決しようとする課題】
【０００５】
ＬＴＥの技術検討の一つとして、既存のＬＴＥのモビリティ拡張技術をさらに拡張する仕組みが検討されている。さらにＮＲの技術検討においても、既存のＮＲのモビリティ技術を拡張する仕組みが検討されている。（非特許文献１８、１９）。これらの検討には、主に基地局装置と端末装置が接続中のセル間の移動時（ハンドオーバ時）に、ユーザデータの送受信の中断を０ｍｓに近づける技術（ＲＵＤＩ：Ｒｅｄｕｃｅ  Ｕｓｅｒ  Ｄａｔａ  Ｉｎｔｅｒｒｕｐｔｉｏｎ）の検討、およびハンドオーバの頑強さの改善（Ｈａｎｄｏｖｅｒ  ｒｏｂｕｓｔｎｅｓｓ  ｉｍｐｒｏｖｅｍｅｎｔｓ）の検討が含まれる。
【０００６】
既存のモビリティ技術では、ハンドオーバの失敗時には、接続の再確立を行うプロシージャが実行されていたが、非特許文献２０では、その拡張として、ハンドオーバ元のセル（ソースセル）にハンドオーバの失敗を通知する仕組みが提案されている。また、ハンドオーバ先のセル（ターゲットセル）へのランダムアクセス処理が失敗したときに、ソースセルへの接続がまだ可能である場合にはソースセルに戻り（フォールバックし）、ソースセルへの接続が可能でない場合には接続の再確立プロシージャを開始することも提案されている。
【０００７】
しかしながら、上述のソースセルへの接続が可能であるかの判断の一つである無線リンク失敗の検出は、既存の仕組みではハンドオーバ中には行うことができないという課題があった。
【０００８】
本発明の一態様は、上記した事情に鑑みてなされたもので、モビリティを効率的に制御することができる端末装置、方法、集積回路を提供することを目的の一つとする。
【課題を解決するための手段】
【０００９】
（１）上記の目的を達成するために、本発明の一態様は、以下のような手段を講じた。すなわち、本発明の第１の実施の様態は、端末装置であって、ＲＲＣ再設定メッセージを受信する受信部と、第１の設定を保持する処理部を備え、前記第１の設定には、サービングセルに関する情報と無線ベアラに関する情報とが含まれ、前記処理部は、前記ＲＲＣ再設定メッセージに第１の情報が含まれる場合、前記第１の設定の一部または全部を複製した第２の設定に対して前記ＲＲＣ再設定メッセージの設定を適用し、前記ＲＲＣ再設定メッセージに第１の情報が含まれない場合、前記第１の設定に対して前記ＲＲＣ再設定メッセージの設定を適用する。
【００１０】
（２）本発明の第２の実施の様態は、端末装置と通信する基地局装置であって、ＲＲＣ再設定メッセージを送信する送信部と、前記ＲＲＣ再設定メッセージを生成する処理部を備え、前記端末装置の保持する第１の設定には、サービングセルに関する情報と無線ベアラに関する情報とが含まれ、前記処理部は、前記ＲＲＣ再設定メッセージに第１の情報を含ませることで、前記第１の設定の一部または全部を複製した第２の設定に対して前記ＲＲＣ再設定メッセージの設定を適用させ、前記ＲＲＣ再設定メッセージに第１の情報が含ませないことで、前記第１の設定に対して前記ＲＲＣ再設定メッセージの設定を適用させる。
【００１１】
（３）本発明の第３の実施の様態は、端末装置に適用される方法であって、ＲＲＣ再設定メッセージを受信するステップと、第１の設定を保持するステップを備え、前記第１の設定には、サービングセルに関する情報と無線ベアラに関する情報とが含まれ、前記ＲＲＣ再設定メッセージに第１の情報が含まれる場合、前記第１の設定の一部または全部を複製した第２の設定に対して前記ＲＲＣ再設定メッセージの設定を適用し、前記ＲＲＣ再設定メッセージに第１の情報が含まれない場合、前記第１の設定に対して前記ＲＲＣ再設定メッセージの設定を適用する。
【００１２】
（４）本発明の第４の実施の様態は、端末装置に実装される集積回路であって、ＲＲＣ再設定メッセージを受信する機能と、第１の設定を保持する機能とを前記端末装置に対して発揮させ、前記第１の設定には、サービングセルに関する情報と無線ベアラに関する情報とが含まれ、前記ＲＲＣ再設定メッセージに第１の情報が含まれる場合、前記第１の設定の一部または全部を複製した第２の設定に対して前記ＲＲＣ再設定メッセージの設定を適用し、前記ＲＲＣ再設定メッセージに第１の情報が含まれない場合、前記第１の設定に対して前記ＲＲＣ再設定メッセージの設定を適用する。
【００１３】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１４】
本発明の一態様によれば、端末装置は、効率的なモビリティ処理を実現することができる。
【図面の簡単な説明】
【００１５】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣ２０８及び／又はＲＲＣ３０８における、各種設定のための手順のフローの一例を示す図
【図５】本発明の各実施の形態における端末装置の構成を示すブロック図。
【図６】本発明の各実施の形態における基地局装置の構成を示すブロック図。
【図７】本発明の各実施の形態におけるＥＵＴＲＡでのハンドオーバに関する処理の一例。
【図８】本発明の各実施の形態におけるＮＲでのハンドオーバに関する処理の一例。
【図９】本発明の実施の形態における各タイマーの開始、停止の条件の一例。
【図１０】本発明の実施の形態におけるｍｏｂｉｌｉｔｙＣｏｎｔｒｏｌＩｎｆｏ情報要素の一例。
【図１１】本発明の実施の形態におけるｍｏｂｉｌｉｔｙＣｏｎｔｒｏｌＩｎｆｏ情報要素の別の一例。
【図１２】本発明の実施の形態における同期付再設定情報要素の一例。
【図１３】本発明の実施の形態における同期付再設定情報要素の別の一例。
【図１４】本発明の実施の形態におけるＮＲでのＲＲＣコネクションの再設定に関するメッセージに含まれるＡＳＮ．１記述の一例。
【図１５】本発明の実施の形態におけるＥ−ＵＴＲＡでのＲＲＣコネクションの再設定に関するメッセージに含まれるＡＳＮ．１記述の一例。
【図１６】本発明の実施の形態における処理Ａのフローの一例を示す図。
【図１７】本発明の実施の形態における処理Ｂのフローの一例を示す図。
【図１８】本発明の実施の形態における処理Ｃのフローの一例を示す図。
【図１９】本発明の実施の形態における処理Ｈのフローの一例を示す図。
【発明を実施するための形態】
【００１６】
以下、本発明の実施の形態について、図面を参照して詳細に説明する。
【００１７】
ＬＴＥ（およびＬＴＥ−Ａ  Ｐｒｏ）とＮＲは、異なる無線アクセス技術（Ｒａｄｉｏ
Ａｃｃｅｓｓ  Ｔｅｃｈｎｏｌｏｇｙ：ＲＡＴ）として定義されてもよい。またＮＲは、ＬＴＥに含まれる技術として定義されてもよい。ＬＴＥは、ＮＲに含まれる技術として定義されてもよい。また、ＮＲとＭｕｌｔｉ  Ｒａｄｉｏ  Ｄｕａｌ  ｃｏｎｎｅｃｔｉｖｉｔｙで接続可能なＬＴＥは、従来のＬＴＥと区別されてもよい。また、コアネットワークが５ＧＣであるＬＴＥは、コアネットワークがＥＰＣである従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００１８】
図１は本発明の各実施の形態に係る通信システムの概略図である。
【００１９】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡ１００の基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ１００用のコア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００２０】
ＮＲ１０６は非特許文献９等に記載の無線アクセス技術であり、１つ又は複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲ１０６の基地局装置である。５ＧＣ１１０は、非特許文献２等に記載のコア網であり、ＮＲ１０６用のコア網として設計されているが、５ＧＣ１１０に接続する機能をもつＥ−ＵＴＲＡ１００用のコア網として使われても良い。以下Ｅ−ＵＴＲＡ１００とは５ＧＣ１１０に接続する機能をもつＥ−ＵＴＲＡ１００を含んでも良い。
【００２１】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、及びインタフェース１２４等はＣＰのみ、又はＵＰのみ、又はＣＰ及びＵＰ両方を通すインタフェースであっても良い。また、インタフェース１１４、インタフェース１１６、インタフェース１１８、インタフェース１２０、及びインタフェース１２４等は、通信事業者が提供する通信システムに応じて存在しない場合もあっても良い。
【００２２】
ＵＥ１２２はＥ−ＵＴＲＡ１００及びＮＲ１０６の内のいずれかまたは全てに対応した端末装置である。非特許文献３、及び非特許文献９の内のいずれかまたは全てに記載の通り、ＵＥ１２２が、Ｅ−ＵＴＲＡ１００及びＮＲ１０６の内のいずれかまたは全てを介してコア網と接続する際、ＵＥ１２２と、Ｅ−ＵＴＲＡ１００及びＮＲ１０６の内のいずれかまたは全てとの間に、無線ベアラ（ＲＢ：Ｒａｄｉｏ  Ｂｅａｒｅｒ）と呼ばれる論理経路が確立される。ＣＰに用いられる無線ベアラは、シグナリング無線ベアラ（ＳＲＢ：Ｓｉｇｎａｌｉｎｇ  Ｒａｄｉｏ  Ｂｅａｒｅｒ）と呼ばれ、ＵＰに用いられる無線ベアラは、データ無線ベアラ（ＤＲＢ  Ｄａｔａ  Ｒａｄｉｏ  Ｂｅａｒｅｒ）と呼ばれる。各ＲＢは、ＲＢ識別子（ＲＢ  Ｉｄｅｎｔｉｔｙ，又はＲＢ  ＩＤ）が割り当てられ、一意に識別される。ＳＲＢ用ＲＢ識別子は、ＳＲＢ識別子（ＳＲＢ  Ｉｄｅｎｔｉｔｙ，又はＳＲＢ  ＩＤ）と呼ばれ、ＤＲＢ用ＲＢ識別子は、ＤＲＢ識別子（ＤＲＢ  Ｉｄｅｎｔｉｔｙ，又はＤＲＢ  ＩＤ）と呼ばれる。
【００２３】
非特許文献３に記載の通り、ＵＥ１２２の接続先コア網がＥＰＣ１０４である場合、ＵＥ１２２と、Ｅ−ＵＴＲＡ１００及びはＮＲ１０６の内のいずれかまたは全てとの間に確立された各ＤＲＢは更に、ＥＰＣ１０４内を経由する各ＥＰＳ（Ｅｖｏｌｖｅｄ  Ｐａｃｋｅｔ  Ｓｙｓｔｅｍ）ベアラと一意に紐づけられる。各ＥＰＳベアラは、ＥＰＳベアラ
識別子（Ｉｄｅｎｔｉｔｙ，又はＩＤ）が割り当てられ、一意に識別される。また同一のＥＰＳベアラを通るデータは同一のＱｏＳが保証される。
【００２４】
非特許文献９に記載の通り、ＵＥ１２２の接続先コア網が５ＧＣ１１０である場合、ＵＥ１２２と、Ｅ−ＵＴＲＡ１００及びＮＲ１０６の内のいずれかまたは全てとの間に確立された一つ又は複数のＤＲＢは更に、５ＧＣ１１０内に確立されるＰＤＵ（Ｐａｃｋｅｔ
Ｄａｔａ  Ｕｎｉｔ）セッションの一つに紐づけられる。各ＰＤＵセッションには、一つ又は複数のＱｏＳフローが存在する。各ＤＲＢは、紐づけられているＰＤＵセッション内に存在する、一つ又は複数のＱｏＳフローと対応付け（ｍａｐ）されても良いし、どのＱｏＳフローと対応づけられなくても良い。各ＰＤＵセッションは、ＰＤＵセッション識別子（Ｉｄｅｎｔｉｔｙ，又はＩＤ）で識別される。また各ＱｏＳフローは、ＱｏＳフロー識別子で識別される。また同一のＱｏＳフローを通るデータは同一のＱｏＳが保証される。
【００２５】
ＥＰＣ１０４には、ＰＤＵセッション及びＱｏＳフローの内のいずれかまたは全ては存在せず、５ＧＣ１１０にはＥＰＳベアラは存在しない。言い換えると、ＵＥ１２２がＥＰＣ１０４と接続している際、ＵＥ１２２はＥＰＳベアラの情報を持ち、ＵＥ１２２が５ＧＣ１１０と接続している際、ＵＥ１２２はＰＤＵセッション及びＱｏＳフローの内のいずれかまたは全ての情報を持つ。
【００２６】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２７】
図２（Ａ）はＥ−ＵＴＲＡ１００においてＵＥ１２２がｅＮＢ１０２と通信を行う際に用いるＵＰのプロトコルスタック図である。
【００２８】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００２９】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００３０】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するた
めの機能も持つ。すなわち、ＲＬＣ２０４は、デ−タの再送制御等の機能を持つ（非特許文献６）。
【００３１】
ＰＤＣＰ２０６は、ユーザデータであるＩＰパケット（ＩＰ  Ｐａｃｋｅｔ）を無線区間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３２】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３３】
図２（Ｂ）はＥ−ＵＴＲＡ１００において、ＵＥ１２２がｅＮＢ１０２、および認証やモビリティマネージメントなどの機能を提供する論理ノードであるＭＭＥ（Ｍｏｂｉｌｉｔｙ  Ｍａｎａｇｅｍｅｎｔ  Ｅｎｔｉｔｙ）と通信を行う際に用いるＣＰのプロトコルスタック図である。
【００３４】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８、およびＮＡＳ（ｎｏｎ  Ａｃｃｅｓｓ  Ｓｔｒａｒｕｍ）２１０が存在する。ＲＲＣ２０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい。またＲＢのうちＲＬＣ２０４とＭＡＣ２０２で構成される部分をＲＬＣベアラと呼んでも良い（非特許文献４）。また、ＭＭＥとＵＥ１２２との間の信号を運ぶＮＡＳレイヤに対して、ＵＥ１２２とｅＮＢ１０２との間の信号及びデータを運ぶＰＨＹ２００、ＭＡＣ２０２、ＲＬＣ２０４、ＰＤＣＰ２０６、ＲＲＣ２０８の一部のレイヤあるいはすべてのレイヤをＡＳ（Ａｃｃｅｓｓ  Ｓｔｒａｒｕｍ）レイヤと称してよい。
【００３５】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３６】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＰＤＣＰレイヤの上位レイヤとなる（不図示）。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓ
ｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３７】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００３８】
図３（Ａ）はＮＲ１０６においてＵＥ１２２がｇＮＢ１０８と通信を行う際に用いるＵＰのプロトコルスタック図である。
【００３９】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００４０】
ここで、物理チャネルについて説明する。
【００４１】
端末装置と基地局装置との無線通信では、以下の物理チャネルが用いられてよい。
【００４２】
ＰＢＣＨ（物理報知チャネル：Ｐｈｙｓｉｃａｌ  Ｂｒｏａｄｃａｓｔ  ＣＨａｎｎｅｌ）
ＰＤＣＣＨ（物理下りリンク制御チャネル：Ｐｈｙｓｉｃａｌ  Ｄｏｗｎｌｉｎｋ  Ｃｏｎｔｒｏｌ  ＣＨａｎｎｅｌ）
ＰＤＳＣＨ（物理下りリンク共用チャネル：Ｐｈｙｓｉｃａｌ  Ｄｏｗｎｌｉｎｋ  Ｓｈａｒｅｄ  ＣＨａｎｎｅｌ）
ＰＵＣＣＨ（物理上りリンク制御チャネル：Ｐｈｙｓｉｃａｌ  Ｕｐｌｉｎｋ  Ｃｏｎｔｒｏｌ  ＣＨａｎｎｅｌ）
ＰＵＳＣＨ（物理上りリンク共用チャネル：Ｐｈｙｓｉｃａｌ  Ｕｐｌｉｎｋ  Ｓｈａｒｅｄ  ＣＨａｎｎｅｌ）
ＰＲＡＣＨ（物理ランダムアクセスチャネル：Ｐｈｙｓｉｃａｌ  Ｒａｎｄｏｍ  Ａｃｃｅｓｓ  ＣＨａｎｎｅｌ）
【００４３】
ＰＢＣＨは、端末装置が必要とするシステム情報を報知するために用いられる。
【００４４】
また、ＮＲにおいて、ＰＢＣＨは、同期信号のブロック（ＳＳ／ＰＢＣＨブロックとも称する）の周期内の時間インデックス（ＳＳＢ−Ｉｎｄｅｘ）を報知するために用いられてよい。
【００４５】
ＰＤＣＣＨは、下りリンクの無線通信（基地局装置３から端末装置への無線通信）において、下りリンク制御情報（Ｄｏｗｎｌｉｎｋ  Ｃｏｎｔｒｏｌ  Ｉｎｆｏｒｍａｔｉｏｎ：ＤＣＩ）を送信する（または運ぶ）ために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。ＰＤＣＣＨは、ＰＤＣＣＨ候補において送信される。端末装置は、サービングセルにおいてＰＤＣＣＨ候補（ｃａｎｄｉｄａｔｅ）のセットをモニタする。モニタするとは、あるＤＣＩフォーマットに応じてＰＤＣＣＨのデコードを試みるこ
とを意味する。あるＤＣＩフォーマットは、サービングセルにおけるＰＵＳＣＨのスケジューリングのために用いられてもよい。ＰＵＳＣＨは、ユーザデータの送信や、ＲＲＣメッセージの送信などのために使われてよい。
【００４６】
ＰＵＣＣＨは、上りリンクの無線通信（端末装置から基地局装置への無線通信）において、上りリンク制御情報（Ｕｐｌｉｎｋ  Ｃｏｎｔｒｏｌ  Ｉｎｆｏｒｍａｔｉｏｎ：ＵＣＩ）を送信するために用いられてよい。ここで、上りリンク制御情報には、下りリンクのチャネルの状態を示すために用いられるチャネル状態情報（ＣＳＩ：Ｃｈａｎｎｅｌ  Ｓｔａｔｅ  Ｉｎｆｏｒｍａｔｉｏｎ）が含まれてもよい。また、上りリンク制御情報には、ＵＬ−ＳＣＨリソースを要求するために用いられるスケジューリング要求（ＳＲ：Ｓｃｈｅｄｕｌｉｎｇ  Ｒｅｑｕｅｓｔ）が含まれてもよい。また、上りリンク制御情報には、ＨＡＲＱ−ＡＣＫ（Ｈｙｂｒｉｄ  Ａｕｔｏｍａｔｉｃ  Ｒｅｐｅａｔ  ｒｅｑｕｅｓｔ  ＡＣＫｎｏｗｌｅｄｇｅｍｅｎｔ）が含まれてもよい。
【００４７】
ＰＤＳＣＨは、ＭＡＣ層からの下りリンクデータ（ＤＬ−ＳＣＨ：Ｄｏｗｎｌｉｎｋ  Ｓｈａｒｅｄ  ＣＨａｎｎｅｌ）の送信に用いられてよい。また、下りリンクの場合にはシステム情報（ＳＩ：Ｓｙｓｔｅｍ  Ｉｎｆｏｒｍａｔｉｏｎ）やランダムアクセス応答（ＲＡＲ：Ｒａｎｄｏｍ  Ａｃｃｅｓｓ  Ｒｅｓｐｏｎｓｅ）などの送信にも用いられる。
【００４８】
ＰＵＳＣＨは、ＭＡＣ層からの上りリンクデータ（ＵＬ−ＳＣＨ：Ｕｐｌｉｎｋ  Ｓｈａｒｅｄ  ＣＨａｎｎｅｌ）または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。また、ＰＤＳＣＨまたはＰＵＳＣＨは、ＲＲＣシグナリング（ＲＲＣメッセージとも称する）、およびＭＡＣコントロールエレメントを送信するために用いられてもよい。ここで、ＰＤＳＣＨにおいて、基地局装置から送信されるＲＲＣシグナリングは、セル内における複数の端末装置に対して共通のシグナリングであってもよい。また、基地局装置から送信されるＲＲＣシグナリングは、ある端末装置に対して専用のシグナリング（ｄｅｄｉｃａｔｅｄ  ｓｉｇｎａｌｉｎｇとも称する）であってもよい。すなわち、端末装置固有（ＵＥスペシフィック）の情報は、ある端末装置に対して専用のシグナリングを用いて送信されてもよい。また、ＰＵＳＣＨは、上りリンクにおいてＵＥの能力（ＵＥ  Ｃａｐａｂｉｌｉｔｙ）の送信に用いられてもよい。
【００４９】
ＰＲＡＣＨは、ランダムアクセスプリアンブルを送信するために用いられてもよい。ＰＲＡＣＨは、初期コネクション確立（ｉｎｉｔｉａｌ  ｃｏｎｎｅｃｔｉｏｎ  ｅｓｔａｂｌｉｓｈｍｅｎｔ）プロシージャ、ハンドオーバプロシージャ、コネクション再確立（ｃｏｎｎｅｃｔｉｏｎ  ｒｅ−ｅｓｔａｂｌｉｓｈｍｅｎｔ）プロシージャ、上りリンク送信に対する同期（タイミング調整）、およびＰＵＳＣＨ（ＵＬ−ＳＣＨ）リソースの要求を示すために用いられてもよい。
【００５０】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００５１】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００５２】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００５３】
ＳＤＡＰ（Ｓｅｒｖｉｃｅ  Ｄａｔａ  Ａｄａｐｔａｔｉｏｎ  Ｐｒｏｔｏｃｏｌ）３１０は、５ＧＣ１１０から基地局装置を介して端末装置に送られるダウンリンクのＱｏＳフローとＤＲＢとの対応付け（マッピング：ｍａｐｐｉｎｇ）、及び端末装置から基地局装置を介して５ＧＣ１１０に送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。
【００５４】
図３（Ｂ）はＮＲ１０６において、ＵＥ１２２がｇＮＢ１０８、および認証やモビリティマネージメントなどの機能を提供する論理ノードであるＡＭＦ（Ａｃｃｅｓｓ  ａｎｄ  Ｍｏｂｉｌｉｔｙ  Ｍａｎａｇｅｍｅｎｔ  ｆｕｎｃｔｉｏｎ）と通信を行う際に用いるＣＰのプロトコルスタック図である。
【００５５】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８、およびＮＡＳ（ｎｏｎ  Ａｃｃｅｓｓ  Ｓｔｒａｒｕｍ）３１２が存在する。ＲＲＣ３０８は、ＲＲＣ接続の確立、再確立、一時停止（ｓｕｓｐｅｎｄ）、一時停止解除（ｒｅｓｕｍｅ）等の処理や、ＲＲＣ接続の再設定、例えば無線ベアラ（Ｒａｄｉｏ  Ｂｅａｒｅｒ：ＲＢ）及びセルグループ（Ｃｅｌｌ  Ｇｒｏｕｐ）の確立、変更、解放等の設定を行い、論理チャネル、トランスポートチャネル及び物理チャネルの制御などを行う他、ハンドオーバ及び測定（Ｍｅａｓｕｒｅｍｅｎｔ：メジャメント）の設定などを行う、無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。また、ＡＭＦとＵＥ１２２との間の信号を運ぶＮＡＳレイヤに対して、ＵＥ１２２とｇＮＢ１０８との間の信号及びデータを運ぶＰＨＹ３００、ＭＡＣ３０２、ＲＬＣ３０４、ＰＤＣＰ３０６、ＲＲＣ３０８、ＳＤＡＰ３１０の一部のレイヤあるいはすべてのレイヤをＡＳ（Ａｃｃｅｓｓ  Ｓｔｒａｒｕｍ）レイヤと称してよい。
【００５６】
また、ＳＲＢは、次のＳＲＢ０からＳＲＢ３が定義されてよい。ＳＲＢ０は、論理チャネルのＣＣＣＨ（Ｃｏｍｍｏｎ  Ｃｏｎｔｒｏｌ  ＣＨａｎｎｅｌ）を用いたＲＲＣメッセージのためのＳＲＢであってよい。ＳＲＢ１は、（ピギーバックされたＮＡＳメッセー
ジを含むかもしれない）ＲＲＣメッセージのため、およびＳＲＢ２の確立前のＮＡＳメッセージのためのＳＲＢであってよく、すべて論理チャネルのＤＣＣＨ（Ｄｅｄｉｃａｔｅｄ  Ｃｏｎｔｒｏｌ  ＣＨａｎｎｅｌ）が用いられてよい。ＳＲＢ２は、ＮＡＳメッセージのためのＳＲＢであってよく、すべて論理チャネルのＤＣＣＨが用いられてよい。また、ＳＲＢ２はＳＲＢ１よりも低い優先度であってよい。ＳＲＢ３は、ＵＥ１２２がＥＮ−ＤＣ，ＮＧＥＮ−ＤＣ、ＮＲ−ＤＣなどが設定されているときの特定のＲＲＣメッセージのためのＳＲＢであってよく、すべて論理チャネルのＤＣＣＨが用いられてよい。また、その他の用途のために他のＳＲＢが用意されてもよい。
【００５７】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００５８】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤ及びＰＤＣＰレイヤの内のいずれかまたは全ての上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤ及びＰＤＣＰレイヤの内のいずれかまたは全ての上位レイヤとなっても良い（不図示）。言い換えれば、ＳＤＡＰレイヤ及びＰＤＣＰレイヤの内のいずれかまたは全てはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、及びアプリケーションレイヤの内のいずれかまたは全ての下位レイヤとなる。
【００５９】
なお、本発明の各実施の形態において、ＩＭＳで用いられるＳＩＰ（Ｓｅｓｓｉｏｎ  Ｉｎｉｔｉａｔｉｏｎ  Ｐｒｏｔｏｃｏｌ）やＳＤＰ（Ｓｅｓｓｉｏｎ  Ｄｅｓｃｒｉｐｔｉｏｎ  Ｐｒｏｔｏｃｏｌ）等、またメディア通信又はメディア通信制御に用いられるＲＴＰ（Ｒｅａｌ−ｔｉｍｅ  Ｔｒａｎｓｐｏｒｔ  Ｐｒｏｔｏｃｏｌ）、ＲＴＣＰ（Ｒｅａｌ−ｔｉｍｅ  Ｔｒａｎｓｐｏｒｔ  Ｃｏｎｔｒｏｌ  Ｐｒｏｔｏｃｏｌ）、ＨＴＴＰ（ＨｙｐｅｒＴｅｘｔ  Ｔｒａｎｓｆｅｒ  Ｐｒｏｔｏｃｏｌ）等、及び各種メディアのコーデック等の内のいずれかまたは全ては、アプリケーションレイヤに所属するものとする。
【００６０】
なお、端末装置、及び基地局装置の内のいずれかまたは全てに設定されるＡＳレイヤに属する各層、又は各層の機能の事を、エンティティと呼んでも良い。即ち、端末装置、及び基地局装置の内のいずれかまたは全てに設定される、物理層（ＰＨＹ層）、ＭＡＣ層、ＲＬＣ層、ＰＤＣＰ層、ＳＤＡＰ層、及びＲＲＣ層の事、又は各層の機能の事を、物理エンティティ（ＰＨＹエンティティ）、ＭＡＣエンティティ、ＲＬＣエンティティ、ＰＤＣＰエンティティ、ＳＤＡＰエンティティ、及びＲＲＣエンティティと、それぞれ呼んでも良い。
【００６１】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００６２】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。また、Ｅ−ＵＴＲＡ１００において、ＵＥ１２２がｅＮＢ１０２と通信する場合であってもＰＤＣＰとしてＮＲ  ＰＤＣＰが使われても良い。
【００６３】
次にＬＴＥ及びＮＲにおけるＵＥ１２２の状態遷移について説明する。ＥＰＣに接続するＵＥ１２２は、ＲＲＣ接続が設立されている（ＲＲＣ  ｃｏｎｎｅｃｔｉｏｎ  ｈａｓ
ｂｅｅｎ  ｅｓｔａｂｌｉｓｈｅｄ）とき、ＲＲＣ＿ＣＯＮＮＥＣＴＥＤ状態であってよい。また、ＵＥ１２２は、ＲＲＣ接続が休止しているとき、（もしＵＥ１２２が５ＧＣに接続しているなら）ＲＲＣ＿ＩＮＡＣＴＩＶＥ状態であってよい。もし、それらのケースでないなら、ＵＥ１２２は、ＲＲＣ＿ＩＤＬＥ状態であってよい。
【００６４】
なお、ＥＰＣに接続するＵＥ１２２は、ＲＲＣ＿ＩＮＡＣＴＩＶＥ状態を持たないが、Ｅ−ＵＴＲＡＮによってＲＲＣ接続の休止が開始されてもよい。この場合、ＲＲＣ接続が休止されるとき、ＵＥ１２２はＵＥのＡＳコンテキストと復帰に用いる識別子（ｒｅｓｕｍｅＩｄｅｎｔｉｔｙ）を保持してＲＲＣ＿ＩＤＬＥ状態に遷移する。ＵＥ１２２がＵＥのＡＳコンテキストを保持しており、かつＥ−ＵＴＲＡＮによってＲＲＣ接続の復帰が許可（Ｐｅｒｍｉｔ）されており、かつＵＥ１２２がＲＲＣ＿ＩＤＬＥ状態からＲＲＣ＿ＣＯＮＮＥＣＴＥＤ状態に遷移する必要があるとき、休止されたＲＲＣ接続の復帰が上位レイヤ（例えばＮＡＳレイヤ）によって開始されてよい。
【００６５】
すなわち、ＥＰＣに接続するＵＥ１２２と、５ＧＣに接続するＵＥ１２２とで、休止の定義が異なってよい。また、ＵＥ１２２がＥＰＣに接続している場合（ＲＲＣ＿ＩＤＬＥ状態で休止している場合）と５ＧＣに接続している場合（ＲＲＣ＿ＩＮＡＣＴＩＶＥ状態で休止している場合）とで、休止から復帰する手順のすべてあるいは一部が異なってよい。
【００６６】
なお、ＲＲＣ＿ＣＯＮＮＥＣＴＥＤ状態、ＲＲＣ＿ＩＮＡＣＴＩＶＥ状態、ＲＲＣ＿ＩＤＬＥ状態の事をそれぞれ、接続状態（ｃｏｎｎｅｃｔｅｄ  ｍｏｄｅ）、非活性状態（ｉｎａｃｔｉｖｅ  ｍｏｄｅ）、休止状態（ｉｄｌｅ  ｍｏｄｅ）と呼んでも良い。
【００６７】
ＵＥ１２２が保持するＵＥのＡＳコンテキストは、現在のＲＲＣ設定、現在のセキュリティコンテキスト、ＲＯＨＣ（ＲＯｂｕｓｔ  Ｈｅａｄｅｒ  Ｃｏｍｐｒｅｓｓｉｏｎ）状態を含むＰＤＣＰ状態、接続元（Ｓｏｕｒｃｅ）のＰＣｅｌｌで使われていたＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）、セル識別子（ｃｅｌｌＩｄｅｎｔｉｔｙ）、接続元のＰＣｅｌｌの物理セル識別子、のすべてあるいは一部を含む情報であってよい。なお、ｅＮＢ１０２およびｇＮＢ１０８の内のいずれかまたは全ての保持するＵＥのＡＳコンテキストは、ＵＥ１２２が保持するＵＥのＡＳコンテキストと同じ情報を含んでもよいし、ＵＥ１２２が保持するＵＥのＡＳコンテキストに含まれる情報とは異なる情報が含まれてもよい。
【００６８】
セキュリティコンテキストとは、ＡＳレベルにおける暗号鍵、ＮＨ（Ｎｅｘｔ  Ｈｏｐ
ｐａｒａｍｅｔｅｒ）、次ホップのアクセス鍵導出に用いられるＮＣＣ（Ｎｅｘｔ  Ｈｏｐ  Ｃｈａｉｎｉｎｇ  Ｃｏｕｎｔｅｒ  ｐａｒａｍｅｔｅｒ）、選択されたＡＳレベ
ルの暗号化アルゴリズムの識別子、リプレイ保護のために用いられるカウンター、のすべてあるいは一部を含む情報であってよい。
【００６９】
図４は、本発明の各実施の形態におけるＲＲＣ２０８及び／又は（ａｎｄ／ｏｒ）ＲＲＣ３０８における、各種設定のための手順（ｐｒｏｃｅｄｕｒｅ）のフローの一例を示す図である。図４は、基地局装置（ｅＮＢ１０２及び／又はｇＮＢ１０８）から端末装置（ＵＥ１２２）にＲＲＣメッセージが送られる場合のフローの一例である。
【００７０】
図４において、基地局装置はＲＲＣメッセージを作成する（ステップＳ４００）。基地局装置におけるＲＲＣメッセージの作成は、基地局装置が報知情報（ＳＩ：Ｓｙｓｔｅｍ
Ｉｎｆｏｒｍａｔｉｏｎ）やページング情報を配信する際に行われても良いし、基地局装置が特定の端末装置に対して処理を行わせる必要があると判断した際、例えばセキュリティに関する設定や、ＲＲＣ接続（コネクション）の再設定（無線線ベアラの処理（確立、変更、解放など）や、セルグループの処理（確立、追加、変更、解放など）、メジャメント設定、ハンドオーバ設定など）、ＲＲＣ接続状態の解放などの際に行われても良い。またＲＲＣメッセージは異なるＲＡＴへのハンドオーバコマンドに用いられても良い。ＲＲＣメッセージには各種情報通知や設定のための情報（パラメータ）が含まれる。非特許文献４又は非特許文献１０などのＲＲＣに関する仕様書では、これらのパラメータは、フィールド及び／又は情報要素呼ばれ、ＡＳＮ．１（Ａｂｓｔｒａｃｔ  Ｓｙｎｔａｘ  Ｎｏｔａｔｉｏｎ  Ｏｎｅ）という記述方式を用いて記述される。
【００７１】
図４において、次に基地局装置は、作成したＲＲＣメッセージを端末装置に送信する（ステップＳ４０２）。次に端末装置は受信した上述のＲＲＣメッセージに従って、設定などの処理が必要な場合には処理を行う（ステップＳ４０４）。
【００７２】
なお、ＲＲＣメッセージの作成は、上述の例に限らず、非特許文献４や、非特許文献１０などに記載の通り、他の目的で作成されても良い。
【００７３】
例えば、ＲＲＣメッセージは、Ｄｕａｌ  Ｃｏｎｎｅｃｔｉｖｉｔｙ（ＤＣ）や、非特許文献８に記載のＭｕｌｔｉ−Ｒａｄｉｏ  Ｄｕａｌ  Ｃｏｎｎｅｃｔｉｖｉｔｙ（ＭＲ−ＤＣ）に関する設定に用いられても良い。
【００７４】
Ｄｕａｌ  Ｃｏｎｎｅｃｔｉｖｉｔｙ（ＤＣ）とは、２つの基地局装置（ノード）がそれぞれ構成するセルグループ、すなわちマスターノード（Ｍａｓｔｅｒ  Ｎｏｄｅ：ＭＮ）が構成するマスターセルグループ（Ｍａｓｔｅｒ  Ｃｅｌｌ  Ｇｒｏｕｐ：ＭＣＧ）及びセカンダリノード（Ｓｅｃｏｎｄｅｒｙ  Ｎｏｄｅ：ＳＮ）が構成するセカンダリセルグループ（Ｓｅｃｏｎｄｅｒｙ  Ｃｅｌｌ  Ｇｒｏｕｐ：ＳＣＧ）の両方の無線リソースを利用してデータ通信を行う技術であっても良い。また、マスターノードとセカンダリノードは同じノード（同じ基地局装置）であってもよい。また非特許文献８に記載のＭＲ−ＤＣとは、Ｅ−ＵＴＲＡとＮＲの両方のＲＡＴ（Ｒａｄｉｏ  Ａｃｃｅｓｓ  Ｔｅｃｈｎｏｌｏｇｙ）のセルをＲＡＴ毎にセルグループ化してＵＥに割り当て、ＭＣＧとＳＣＧの両方の無線リソースを利用してデータ通信を行う技術であっても良い。ＭＲ−ＤＣにおいて、マスターノードとは、ＭＲ−ＤＣに係る主なＲＲＣ機能、例えば、セカンダリノードの追加、ＲＢの確立、変更、及び解放、ＭＣＧの追加、変更、解放、ハンドオーバ等の機能、を持つ基地局であっても良く、セカンダリノードとは、一部のＲＲＣ機能、例えばＳＣＧの変更、及び解放等、を持つ基地局であっても良い。
【００７５】
非特許文献８に記載のＭＲ−ＤＣにおいて、マスターノード側のＲＡＴのＲＲＣが、ＭＣＧ及びＳＣＧ両方の設定を行うために用いられても良い。例えばコア網がＥＰＣ１０４で、マスターノードがｅＮＢ１０２（拡張型ｅＮＢ１０２とも称する）である場合のＭＲ
−ＤＣである、ＥＮ−ＤＣ（Ｅ−ＵＴＲＡ−ＮＲ  Ｄｕａｌ  Ｃｏｎｎｅｃｔｉｖｉｔｙ）、コア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）において、非特許文献４に記載のＥ−ＵＴＲＡのＲＲＣメッセージがｅＮＢ１０２とＵＥ１２２との間で送受信されても良い。この場合ＲＲＣメッセージには、ＬＴＥ（Ｅ−ＵＴＲＡ）の設定情報だけでなく、非特許文献１０に記載の、ＮＲの設定情報が含まれても良い。またｅＮＢ１０２からＵＥ１２２に送信されるＲＲＣメッセージは、ｅＮＢ１０２からｇＮＢ１０８を経由してＵＥ１２２に送信されても良い。また、本ＲＲＣメッセージの構成は、非ＭＲ−ＤＣであって、ｅＮＢ１０２（拡張型ｅＮＢ）がコア網として５ＧＣを用いる、Ｅ−ＵＴＲＡ／５ＧＣ（非特許文献１７に記載のオプション５）に用いられても良い。
【００７６】
また逆に、非特許文献８に記載のＭＲ−ＤＣにおいて、コア網が５ＧＣ１１０で、マスターノードがｇＮＢ１０８である場合のＭＲ−ＤＣである、ＮＥ−ＤＣ（ＮＲ−Ｅ−ＵＴＲＡ  Ｄｕａｌ  Ｃｏｎｎｅｃｔｉｖｉｔｙ）において、非特許文献１０に記載のＮＲのＲＲＣメッセージがｇＮＢ１０８とＵＥ１２２との間で送受信されても良い。この場合ＲＲＣメッセージには、ＮＲの設定情報だけでなく、非特許文献４に記載の、ＬＴＥ（Ｅ−ＵＴＲＡ）の設定情報が含まれても良い。またｇＮＢ１０８からＵＥ１２２に送信されるＲＲＣメッセージは、ｇＮＢ１０８からｅＮＢ１０２を経由してＵＥ１２２に送信されても良い。
【００７７】
なお、ＭＲ−ＤＣを利用する場合に限らず、ｅＮＢ１０２からＵＥ１２２に送信されるＥ−ＵＴＲＡ用ＲＲＣメッセージに、ＮＲ用ＲＲＣメッセージが含まれていても良いし、ｇＮＢ１０８からＵＥ１２２に送信されるＮＲ用ＲＲＣメッセージに、Ｅ−ＵＴＲＡ用ＲＲＣメッセージが含まれていても良い。
【００７８】
また、マスターノードがｅＮＢ１０２でＥＰＣ１０４をコア網とするネットワーク構成をＥ−ＵＴＲＡ／ＥＰＣと呼んでも良い。またマスターノードがｅＮＢ１０２で５ＧＣ１１０をコア網とするネットワーク構成をＥ−ＵＴＲＡ／５ＧＣと呼んでも良い。またマスターノードがｇＮＢ１０８で５ＧＣ１１０をコア網とするネットワーク構成をＮＲ、又はＮＲ／５ＧＣと呼んでも良い。またこの呼び方はＤＣが設定される場合に限らなくても良い。ＤＣが設定されない場合において、上述のマスターノードとは、端末装置と通信を行う基地局装置の事を指しても良い。
【００７９】
図７は、図４において、ＮＲでのＲＲＣコネクションの再設定に関するメッセージに含まれる、無線ベアラ設定に関するフィールド及び情報要素うちのいずれかまたは全部を表すＡＳＮ．１記述の一例である。また図８は、図４において、Ｅ−ＵＴＲＡでのＲＲＣコネクションの再設定に関するメッセージに含まれる、無線ベアラ設定に関するフィールド及び情報要素うちのいずれかまたは全部を表すＡＳＮ．１記述の一例である。ＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報要素が省略されていても良い。なおＡＳＮ．１の例はＡＳＮ．１表記方法に正しく従ったものではなく、本発明の実施形態におけるＲＲＣ再設定のパラメータの一例を表記したものであり、他の名称や他の表記が使われても良い。またＡＳＮ．１の例は、説明が煩雑になることを避けるために、本発明と密接に関連する主な情報に関する例のみを示す。なお、ＡＳＮ．１で記述されるパラメータを、フィールド、情報要素等に区別せず、全て情報要素と言う場合がある。また本発明の実施の形態において、ＲＲＣメッセージに含まれる、ＡＳＮ．１で記述されるフィールド、情報要素等のパラメータを、情報と言う場合もある。
【００８０】
図７においてＲａｄｉｏＢｅａｒｅｒＣｏｎｆｉｇで表される情報要素は、ＳＲＢ、Ｄ
ＲＢ等の無線ベアラの設定に関する情報要素で、後述のＰＤＣＰ設定情報要素や、ＳＤＡＰ設定情報要素を含む。ＲａｄｉｏＢｅａｒｅｒＣｏｎｆｉｇで表される情報要素に含まれる、ＳＲＢ−ＴｏＡｄｄＭｏｄで表される情報要素は、ＳＲＢ（シグナリング無線ベアラ）設定を示す情報であっても良く、ＳＲＢ設定情報要素、又はシグナリング無線ベアラ設定情報要素と言い換える事もある。またＳＲＢ−ＴｏＡｄｄＭｏｄＬｉｓｔで表される情報要素は、ＳＲＢ設定を示す情報のリストであっても良い。ＲａｄｉｏＢｅａｒｅｒＣｏｎｆｉｇで表される情報要素に含まれる、ＤＲＢ−ＴｏＡｄｄＭｏｄで表される情報要素は、ＤＲＢ（データ無線ベアラ）設定を示す情報であっても良く、ＤＲＢ設定情報要素、又はデータ無線ベアラ設定情報要素と言い換える事もある。ＤＲＢ−ＴｏＡｄｄＭｏｄＬｉｓｔで表される情報要素は、ＤＲＢ設定を示す情報のリストであっても良い。なお、ＳＲＢ設定、及びＤＲＢ設定のうちの何れか、または全ての事を、無線ベアラ設定と言い換える事もある。
【００８１】
ＳＲＢ設定情報要素の中の、ＳＲＢ−Ｉｄｅｎｔｉｔｙで表される情報要素は、追加又は変更するＳＲＢのＳＲＢ識別子（ＳＲＢ  Ｉｄｅｎｔｉｔｙ）の情報であり、各端末装置においてＳＲＢを一意に識別する識別子であっても良い。ＳＲＢ識別子情報要素、または無線ベアラ識別子情報要素、またはシグナリング無線ベアラ識別子情報要素と言い換える事もある。
【００８２】
ＤＲＢ設定情報要素の中の、ＤＲＢ−Ｉｄｅｎｔｉｔｙで表される情報要素は、追加又は変更するＤＲＢのＤＲＢ識別子（ＤＲＢ  Ｉｄｅｎｔｉｔｙ）の情報であり、各端末装置においてＤＲＢを一意に識別する識別子であっても良い。ＤＲＢ識別子情報要素、または無線ベアラ識別子情報要素、またはデータ無線ベアラ識別子情報要素と言い換える事もある。ＤＲＢ識別子の値は図７の例では１から３２の整数値としているが、別の値を取っても良い。ＤＣの場合、ＤＲＢ識別子は、ＵＥ１２２のスコープ内で固有である。
【００８３】
ＤＲＢ設定情報要素の中の、ｃｎＡｓｓｏｃｉａｔｉｏｎで表される情報要素は、コア網にＥＰＣ１０４を用いるか、又は５ＧＣ１１０を用いるかを示す情報要素であっても良く、コア網関連付け情報要素と言い換える事もある。即ち、ＵＥ１２２がＥＰＣと接続する際にはＤＲＢが、ｃｎＡｓｓｏｃｉａｔｉｏｎ中のＥＰＳベアラ識別子情報要素（ｅｐｓ−ＢｅａｒｅｒＩｄｅｎｔｉｔｙ）、又はＥＰＳベアラ識別子情報要素の値であるＥＰＳベアラ識別子（ＥＰＳ  ｂｅａｒｅｒ  ｉｄｅｎｔｉｔｙ）に関連付けられ、ＵＥ１２２が５ＧＣ１１０と接続する際には、ＤＲＢが、後述のＳＤＡＰ設定情報要素（ｓｄａｐ−Ｃｏｎｆｉｇ）に従って設定されるＳＤＡＰエンティティ、又はＳＤＡＰ設定情報要素に含まれる、後述のＰＤＵセッション情報要素、又はＰＤＵセッション情報要素の値であるＰＤＵセッション識別子、又はＰＤＵセッション情報要素が示すＰＤＵセッションに関連付けられるようにしてもよい。即ち、ｃｎＡｓｓｏｃｉａｔｉｏｎで表される情報には、ＥＮ−ＤＣを用いる場合等のコア網にＥＰＣ１０４を用いる場合にはＥＰＳベアラ識別子情報要素（ｅｐｓ−ＢｅａｒｅｒＩｄｅｎｔｉｔｙ）を含み、コア網５ＧＣ１１０を用いる場合は、即ちＥＮ−ＤＣを用いない場合等はＳＤＡＰ設定を示す情報要素（ｓｄａｐ−Ｃｏｎｆｉｇ）を含んでも良い。
【００８４】
ｓｄａｐ−Ｃｏｎｆｉｇで表される情報要素は、コア網が５ＧＣ１１０であった場合に、ＱｏＳフローとＤＲＢの対応（ｍａｐ）方法を決定する、ＳＤＡＰエンティティの設定又は再設定に関する情報であってもよく、ＳＤＡＰ設定情報要素と言い換える事もある。
【００８５】
ＳＤＡＰ設定情報要素に含まれる、ｐｄｕ−ｓｅｓｓｉｏｎ又はＰＤＵ−ＳｅｓｓｉｏｎＩＤで示されるフィールド又は情報要素は、本ＳＤＡＰ設定情報要素を含むＤＲＢ設定情報要素に含まれる、無線ベアラ識別子情報要素の値に対応する無線ベアラと対応（ｍａｐ）付けられるＱｏＳフローが所属する、非特許文献２に記載のＰＤＵセッションのＰＤ
Ｕセッション識別子でも良く、ＰＤＵセッション識別子情報要素と言い換える事もある。ＰＤＵセッション識別子情報要素の値は負でない整数であっても良い。また各端末装置において、一つのＰＤＵセッション識別子に、複数のＤＲＢ識別子が対応しても良い。
【００８６】
ＳＤＡＰ設定情報要素に含まれる、ｍａｐｐｅｄＱｏＳ−ＦｌｏｗｓＴｏＡｄｄで示される情報要素は、本ＳＤＡＰ設定情報要素を含むＤＲＢ設定情報要素に含まれる、無線ベアラ識別子情報要素の値に対応する無線ベアラに対応（ｍａｐ）させる、又は追加で対応（ｍａｐ）させる、ＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、追加するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【００８７】
また、ＳＤＡＰ設定情報要素に含まれる、ｍａｐｐｅｄＱｏＳ−ＦｌｏｗｓＴｏＲｅｌｅａｓｅで示される情報要素は、本ＳＤＡＰ設定情報要素を含むＤＲＢ設定情報要素に含まれる、無線ベアラ識別子情報要素の値に対応する無線ベアラに対応（ｍａｐ）しているＱｏＳフローのうち、対応関係を解放するＱｏＳフローの、後述のＱｏＳフロー識別子（ＱＦＩ：ＱｏＳ  Ｆｌｏｗ  Ｉｄｅｎｔｉｔｙ）情報要素のリストを示す情報であっても良く、解放するＱｏＳフロー情報要素と言い換える事もある。上述のＱｏＳフローは本ＳＤＡＰ設定情報要素に含まれるＰＤＵセッション情報要素が示すＰＤＵセッションのＱｏＳフローであっても良い。
【００８８】
ＱＦＩで示される情報要素は、非特許文献２に記載の、ＱｏＳフローを一意に識別するＱｏＳフロー識別子であってもよく、ＱｏＳフロー識別子情報要素と言い換える事もある。ＱｏＳフロー識別子情報要素の値は負でない整数であっても良い。またＱｏＳフロー識別子情報要素の値はＰＤＵセッションに対し一意であっても良い。
【００８９】
またＳＤＡＰ設定情報要素には、この他に、設定されるＤＲＢを介して送信するアップリンクデータにアップリンク用ＳＤＡＰヘッダが存在するか否かを示すアップリンクヘッダ情報情報要素、設定されるＤＲＢを介して受信するダウンリンクデータにダウンリンク用ＳＤＡＰヘッダが存在するか否か事を示すダウンリンクヘッダ情報要素、設定されるＤＲＢがデフォルト無線ベアラ（デフォルトＤＲＢ）であるか否かを示すデフォルトベアラ情報要素などが含まれても良い。
【００９０】
また、ＳＲＢ設定情報要素、及びＤＲＢ設定情報要素の中の、ｐｄｃｐ−Ｃｏｎｆｉｇ又はＰＤＣＰ−Ｃｏｎｆｉｇで表される情報要素はＳＲＢ用、及び／又はＤＲＢ用のＰＤＣＰ３０６の確立や変更を行うための、ＮＲ  ＰＤＣＰエンティティの設定に関する情報要素であっても良く、ＰＤＣＰ設定情報要素と言い換える事もある。ＮＲ  ＰＤＣＰエンティティの設定に関する情報要素には、アップリンク用シーケンス番号のサイズを示す情報要素、ダウンリンク用シーケンス番号のサイズを示す情報要素、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報要素、リオーダリング（ｒｅ−ｏｒｄｅｒｉｎｇ）タイマー情報要素などが含まれても良い。
【００９１】
ＲａｄｉｏＢｅａｒｅｒＣｏｎｆｉｇで表される情報要素に含まれる、ＤＲＢ−ＴｏＲｅｌｅａｓｅＬｉｓｔで表される情報要素は、解放する一つ以上のＤＲＢ識別子を示す情報を含んで良い。
【００９２】
図８においてＲａｄｉｏＲｅｓｏｕｒｃｅＣｏｎｆｉｇＤｅｄｉｃａｔｅｄで表される情報要素は、無線ベアラの設定、変更、解放等に使われる情報要素であっても良い。Ｒａ
ｄｉｏＲｅｓｏｕｒｃｅＣｏｎｆｉｇＤｅｄｉｃａｔｅｄで表される情報要素に含まれる、ＳＲＢ−ＴｏＡｄｄＭｏｄで表される情報要素は、ＳＲＢ（シグナリング無線ベアラ）設定を示す情報であっても良く、ＳＲＢ設定情報要素又はシグナリング無線ベアラ設定情報要素と言い換える事もある。ＳＲＢ−ＴｏＡｄｄＭｏｄＬｉｓｔで表される情報要素はＳＲＢ設定を示す情報のリストであっても良い。ＲａｄｉｏＲｅｓｏｕｒｃｅＣｏｎｆｉｇＤｅｄｉｃａｔｅｄで表される情報要素に含まれる、ＤＲＢ−ＴｏＡｄｄＭｏｄで表される情報要素は、ＤＲＢ（データ無線ベアラ）設定を示す情報であっても良く、ＤＲＢ設定情報要素又はデータ無線ベアラ設定情報要素と言い換える事もある。ＤＲＢ−ＴｏＡｄｄＭｏｄＬｉｓｔで表される情報要素は、ＤＲＢ設定を示す情報のリストであっても良い。なお、ＳＲＢ設定、及びＤＲＢ設定のうちの何れか、または全ての事を、無線ベアラ設定と言い換える事もある。
【００９３】
ＳＲＢ設定情報要素の中の、ＳＲＢ−Ｉｄｅｎｔｉｔｙで表される情報要素は、追加又は変更するＳＲＢのＳＲＢ識別子（ＳＲＢ  Ｉｄｅｎｔｉｔｙ）の情報であり、各端末装置においてＳＲＢを一意に識別する識別子であっても良い。ＳＲＢ識別子情報要素、または無線ベアラ識別子情報要素、またはシグナリング無線ベアラ識別子情報要素と言い換える事もある。図８のＳＲＢ−Ｉｄｅｎｔｉｔｙで表される情報要素は、図７のＳＲＢ−Ｉｄｅｎｔｉｔｙで表される情報要素と、同一の役割をもつ情報要素であっても良い。
【００９４】
ＤＲＢ設定の中の、ＤＲＢ−Ｉｄｅｎｔｉｔｙで表される情報要素は、追加又は変更するＤＲＢのＤＲＢ識別子（ＤＲＢ  Ｉｄｅｎｔｉｔｙ）の情報であり、各端末装置においてＤＲＢを一意に識別するＤＲＢ識別子であっても良い。ＤＲＢ識別子情報要素、又は無線ベアラ識別子情報要素、またはデータ無線ベアラ識別子情報要素と言い換える事もある。ＤＲＢ識別子の値は、図８の例では１から３２の整数値としているが、別の値を取っても良い。図８のＤＲＢ−Ｉｄｅｎｔｉｔｙで表される情報要素は、図７のＤＲＢ−Ｉｄｅｎｔｉｔｙで表される情報要素と、同一の役割をもつ情報要素であっても良い。
【００９５】
ＤＲＢ設定情報要素の中の、ｅｐｓ−ＢｅａｒｅｒＩｄｅｎｔｉｔｙで表される情報要素は、各端末装置においてＥＰＳベアラを一意に識別するＥＰＳベアラ識別子であっても良い。ｅｐｓ−ＢｅａｒｅｒＩｄｅｎｔｉｔｙで表される情報要素は、ＥＰＳベアラ識別子情報要素と呼ぶ事もある。ＥＰＳベアラ識別子の値は、図８の例では１から１５の整数値としているが、別の値を取っても良い。図８のｅｐｓ−ＢｅａｒｅｒＩｄｅｎｔｉｔｙで表される情報要素は、図７のｅｐｓ−ＢｅａｒｅｒＩｄｅｎｔｉｔｙで表される情報要素と、同一の役割をもつ情報要素であっても良い。またＥＰＳベアラ識別子と、ＤＲＢ識別子とは各端末装置において、一対一に対応しても良い。
【００９６】
またＳＲＢ設定情報要素、及びＤＲＢ設定情報要素の中の、ｐｄｃｐ−Ｃｏｎｆｉｇ又はＰＤＣＰ−Ｃｏｎｆｉｇで表される情報要素はＳＲＢ用、及び／又はＤＲＢ用のＰＤＣＰ２０６の確立や変更を行うための、Ｅ−ＵＴＲＡ  ＰＤＣＰエンティティの設定に関する情報要素であっても良く、ＰＤＣＰ設定情報要素と言い換える事もある。Ｅ−ＵＴＲＡ
ＰＤＣＰエンティティの設定に関する情報要素には、シーケンス番号のサイズを示す情報要素、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報要素、リオーダリング（ｒｅ−ｏｒｄｅｒｉｎｇ）タイマー情報情報などが含まれても良い。
【００９７】
また図７又は図８に示す一部、又は全ての情報要素は、オプショナルであっても良い。即ち図７又は図８に示す情報要素は必要や条件に応じてＲＲＣコネクションの再設定に関するメッセージに含まれても良い。またＲＲＣコネクションの再設定に関するメッセージには、無線ベアラの設定に関する情報要素の他に、フル設定が適用される事を意味する情報要素が含まれても良い。フル設定が適用される事を意味する情報要素は、ｆｕｌｌＣｏ
ｎｆｉｇなどの情報要素名で表されても良く、ｔｒｕｅ、ｅｎａｂｌｅなどを用いてフル設定が適用される事を示しても良い。
【００９８】
ＲａｄｉｏＲｅｓｏｕｒｃｅＣｏｎｆｉｇＤｅｄｉｃａｔｅｄで表される情報要素に含まれる、ＤＲＢ−ＴｏＲｅｌｅａｓｅＬｉｓｔで表される情報要素は、解放する一つ以上のＤＲＢ識別子を示す情報を含んで良い。
【００９９】
以下の説明において、ｅＮＢ１０２および／またはｇＮＢ１０８を単に基地局装置とも称し、ＵＥ１２２を単に端末装置とも称する。
【０１００】
ＲＲＣ接続が確立されるとき、またはＲＲＣ接続が再確立されるとき、またはハンドオーバのとき、一つのサービングセルがＮＡＳのモビリティ情報を提供する。ＲＲＣ接続が再確立されるとき、またはハンドオーバのとき、一つのサービングセルがセキュリティ入力を提供する。このサービングセルがプライマリセル（ＰＣｅｌｌ）として参照される。また端末装置の能力に依存して、プライマリセルとともに、１つまたは複数のサービングセル（セカンダリセル、ＳＣｅｌｌ）が追加で設定されてもよい。
【０１０１】
また、端末装置に対して、二つのサブセットで構成されるサービングセルのセットが設定されてもよい。二つのサブセットは、プライマリセル（ＰＣｅｌｌ）を含む１つまたは複数のサービングセルで構成されるセルグループ（マスターセルグループ）と、プライマリセカンダリセル（ＰＳＣｅｌｌ）を含みプライマリセルを含まない１つまたは複数のサービングセルで構成される１つまたは複数のセルグループ（セカンダリセルグループ）とで構成されてもよい。プライマリセカンダリセルは、ＰＵＣＣＨリソースが設定されるセルであってよい。
【０１０２】
ＲＲＣ接続した端末装置による無線リンク失敗（ＲＬＦ：Ｒａｄｉｏ  Ｌｉｎｋ  Ｆａｉｌｕｒｅ）に関する動作の一例について説明する。
【０１０３】
端末装置は、在圏する基地局装置から、サービングセルの物理層の問題（Ｐｈｙｓｉｃａｌ  ｌａｙｅｒ  ｐｒｏｂｌｅｍｓ）の検出のためのタイマー（例えばＴ３１０やＴ３１３）の値（ｔ３１０やｔ３１３）、同期外（ＯｏＳ：ｏｕｔ-ｏｆ?ｓｙｎｃ）の検出回数の閾値であるＮ３１０やＮ３１３、同期中（ＩＳ：ｉｎ?ｓｙｎｃ）の検出回数の閾値であるＮ３１１やＮ３１４などの情報を報知情報やユーザ個別へのＲＲＣメッセージによって取得する。また、前記タイマーの値や回数の閾値はデフォルトの値が設定されてもよい。また、ＥＵＴＲＡとＮＲとでタイマーの名前は異なってよい。
【０１０４】
無線リンク監視のために、端末装置の物理層処理部は、例えば受信した参照信号の受信電力および／または同期信号の受信電力および／またはパケットの誤り率などの情報に基づき、サービングセルの無線リンク品質が特定の期間（例えばＴＥｖａｌｕａｔｅ＿Ｑｏｕｔ＝２００ｍｓ）を越えて特定の閾値（Ｑｏｕｔ）より悪いと推定（ｅｓｔｉｍａｔｅ）されるときに、上位レイヤであるＲＲＣ層処理部に対して「同期外（ｏｕｔ−ｏｆ−ｓｙｎｃ）」を通知する。また、物理層処理部は、例えば受信した参照信号の受信電力および／または同期信号の受信電力および／またはパケットの誤り率などの情報に基づき、サービングセルの無線リンク品質が特定の期間（例えばＴＥｖａｌｕａｔｅ＿Ｑｉｎ＝１００ｍｓ）を越えて特定の閾値（Ｑｉｎ）を超えると推定されるときに、上位レイヤであるＲＲＣ層処理部に対して「同期中（ｉｎ−ｓｙｎｃ）」を通知する。なお、物理層処理部は、同期外あるいは同期中の上位レイヤへの通知を特定の間隔（例えばＴＲｅｐｏｒｔ＿ｓｙｎｃ＝１０ｍｓ）以上あけて行うようにしてもよい。
【０１０５】
ここで、例えば、閾値Ｑｏｕｔは、下りリンクの無線リンクが確実（ｒｅｌｉａｂｌｙ
）には受信できず、さらに、既定のパラメータに基づく仮定（ｈｙｐｏｔｈｅｔｉｃａｌ）の下りリンク制御チャネル（ＰＤＣＣＨ）の送信のブロック誤り率（Ｂｌｏｃｋ  ｅｒｒｏｒ  ｒａｔｅ）が第１の特定の割合となるレベルとして定義されてもよい。また、例えば、閾値Ｑｉｎは、下りリンクの無線リンク品質が著しく（ｓｉｇｎｉｆｉｃａｎｔｌｙ）Ｑｏｕｔの状態よりも確実に受信でき、さらに、既定のパラメータに基づく仮定の下りリンク制御チャネルの送信のブロック誤り率が第２の特定の割合となるレベルとして定義されてもよい。また、使用される周波数やサブキャリア間隔、サービスの種別などに基づき複数のブロック誤り率（閾値Ｑｏｕｔと閾値Ｑｉｎのレベル）が定義されてもよい。また、第１の特定の割合、および／または第２の特定の割合は仕様書において定められる既定の値であってもよい。また、第１の特定の割合、および／または第２の特定の割合は基地局装置から端末装置に通知または報知される値であってもよい。
【０１０６】
端末装置は、サービングセル（例えばＰＣｅｌｌおよび／またはＰＳＣｅｌｌ）において、ある種類の参照信号（例えばセル固有の参照信号（ＣＲＳ））を用いて無線リンク監視を行なってもよい。また、端末装置は、サービングセル（例えばＰＣｅｌｌおよび／またはＰＳＣｅｌｌ）における無線リンク監視にどの参照信号を用いるかを示す設定（無線リンク監視設定：ＲａｄｉｏＬｉｎｋＭｏｎｉｔｏｒｉｎｇＣｏｎｆｉｇ）を基地局装置から受け取り、設定された１つまたは複数の参照信号（ここではＲＬＭ−ＲＳと称する）を用いて無線リンク監視を行なってもよい。また、端末装置は、その他の信号を用いて無線リンク監視を行なってもよい。端末装置の物理層処理部は、サービングセル（例えばＰＣｅｌｌおよび／またはＰＳＣｅｌｌ）において同期中となる条件を満たしている場合には、同期中を上位レイヤに通知してもよい。
【０１０７】
前記無線リンク監視設定には、監視の目的を示す情報と、参照信号を示す識別子情報とが含まれてよい。例えば、監視の目的には、無線リンク失敗を監視する目的、ビームの失敗を監視する目的、あるいはその両方の目的、などが含まれてよい。また、例えば、参照信号を示す識別子情報は、セルの同期信号ブロック（Ｓｙｎｃｈｒｏｎｉｚａｔｉｏｎ  Ｓｉｇｎａｌ Ｂｌｏｃｋ：ＳＳＢ）の識別子（ＳＳＢ−Ｉｎｄｅｘ）を示す情報が含ま
れてよい。すなわち、参照信号には同期信号が含まれてよい。また、例えば、参照信号を示す識別子情報は、端末装置に設定されたチャネル状態情報参照信号（ＣＳＩ−ＲＳ）に紐づけられた識別子を示す情報が含まれてよい。
【０１０８】
プライマリセルにおいて、端末装置のＲＲＣ層処理部は、物理層処理部から通知される同期外を既定回数（Ｎ３１０回）連続して受け取った場合にタイマー（Ｔ３１０）を開始（Ｓｔａｒｔ）あるいは再開始（Ｒｅｓｔａｒｔ）してよい。また、端末装置のＲＲＣ層処理部は、既定回数（Ｎ３１１回）連続して同期中を受け取った場合にタイマー（Ｔ３１０）を停止（Ｓｔｏｐ）してよい。端末装置のＲＲＣ層処理部は、タイマー（Ｔ３１０）が満了（Ｅｘｐｉｒｅ）した場合に、アイドル状態への遷移あるいはＲＲＣ接続の再確立手順を実施するようにしてもよい。例えば、ＡＳ  Ｓｅｃｕｒｉｔｙの確立状態に応じて端末装置の動作が異なってもよい。ＡＳ  Ｓｅｃｕｒｉｔｙが未確立の場合、端末装置はＲＲＣ  ＩＤＬＥ状態に遷移し、ＡＳ  Ｓｅｃｕｒｉｔｙが確立済みの場合、端末装置は、ＲＲＣ接続の再確立（Ｒｅ?ｅｓｔａｂｌｉｓｈｍｅｎｔ）手順を実行してもよい。また、前記タイマーＴ３１０を開始または再開始する判断において、タイマーＴ３００、タイマーＴ３０１、タイマーＴ３０４、およびタイマーＴ３１１の何れも走っていないことを条件に加えてもよい。
【０１０９】
ＥＵＴＲＡの前記各タイマーの開始、停止、および満了の条件の一例を図９に示す。なお、ＮＲにおいても、タイマー名、および／またはメッセージ名が異なる場合があるが、同様の条件が適用されてよい。
【０１１０】
また、プライマリセカンダリセルにおいて、端末装置のＲＲＣ層処理部は、物理層処理部から通知される同期外を既定回数（Ｎ３１３回）連続して受け取った場合にタイマー（Ｔ３１３）を開始（Ｓｔａｒｔ）あるいは再開始（Ｒｅｓｔａｒｔ）してもよい。また、端末装置のＲＲＣ層処理部は、既定回数（Ｎ３１４回）連続して同期中を受け取った場合にタイマー（Ｔ３１３）を停止（Ｓｔｏｐ）してもよい。端末装置のＲＲＣ層処理部は、タイマー（Ｔ３１３）が満了（Ｅｘｐｉｒｅ）した場合に、ＳＣＧ障害をネットワークに通知するためのＳＣＧ障害情報手順（ＳＣＧ  ｆａｉｌｕｒｅ  ｉｎｆｏｒｍａｔｉｏｎ  ｐｒｏｃｅｄｕｒｅ）を実行してよい。
【０１１１】
また、ＳｐＣｅｌｌ（ＭＣＧにおけるＰＣｅｌｌ、およびＳＣＧにおけるＰＳＣｅｌｌ）において、端末装置のＲＲＣ層処理部は、各ＳｐＣｅｌｌにおいて物理層処理部から通知される同期外を既定回数（Ｎ３１０回）連続して受け取った場合に当該ＳｐＣｅｌｌのタイマー（Ｔ３１０）を開始（Ｓｔａｒｔ）あるいは再開始（Ｒｅｓｔａｒｔ）してもよい。また、端末装置のＲＲＣ層処理部は、各ＳｐＣｅｌｌにおいて既定回数（Ｎ３１１回）連続して同期中を受け取った場合に当該ＳｐＣｅｌｌのタイマー（Ｔ３１０）を停止（Ｓｔｏｐ）してもよい。端末装置のＲＲＣ層処理部は、各ＳｐＣｅｌｌのタイマー（Ｔ３１０）が満了（Ｅｘｐｉｒｅ）した場合に、ＳｐＣｅｌｌがＰＣｅｌｌであれば、アイドル状態への遷移あるいはＲＲＣ接続の再確立手順を実施するようにしてもよい。また、ＳｐＣｅｌｌがＰＳＣｅｌｌであれば、ＳＣＧ障害をネットワークに通知するためのＳＣＧ障害情報手順（ＳＣＧ  ｆａｉｌｕｒｅ  ｉｎｆｏｒｍａｔｉｏｎ  ｐｒｏｃｅｄｕｒｅ）を実行してよい。
【０１１２】
上記説明は端末装置に間欠受信（ＤＲＸ）が設定されていない場合の例である。端末装置にＤＲＸが設定されている場合、端末装置のＲＲＣ層処理部は、無線リンク品質を測定する期間や上位レイヤへの通知間隔をＤＲＸが設定されていない場合と異なる値をとるように物理層処理部に対して設定してもよい。なお、ＤＲＸが設定されている場合であっても、上記タイマー（Ｔ３１０、Ｔ３１３）が走っているときには、同期中を推定するための無線リンク品質を測定する期間や上位レイヤへの通知間隔を、ＤＲＸが設定されていない場合の値としてもよい。
【０１１３】
また、例えば、早期の物理層問題を検出するために、端末装置のＲＲＣ層処理部は、物理層処理部から通知される早期同期外を既定回数（Ｎ３１０回）連続して受け取った場合にタイマー（Ｔ３１４）を開始（Ｓｔａｒｔ）してもよい。また、端末装置のＲＲＣ層処理部は、Ｔ３１４が走っているときに既定回数（Ｎ３１１回）連続して同期中を受け取った場合にタイマー（Ｔ３１４）を停止（Ｓｔｏｐ）してもよい。
【０１１４】
また、例えば、早期の物理層改善を検出するために、端末装置のＲＲＣ層処理部は、物理層処理部から通知される早期同期中を既定回数（Ｎ３１１回）連続して受け取った場合にタイマー（Ｔ３１５）を開始（Ｓｔａｒｔ）してもよい。また、端末装置のＲＲＣ層処理部は、Ｔ３１５が走っているときに既定回数（Ｎ３１１回）連続して同期中を受け取った場合にタイマー（Ｔ３１５）を停止（Ｓｔｏｐ）してもよい。
【０１１５】
また、例えば、測定を基地局装置に報告する際に、測定の設定に第１の測定を行うこと（例えばタイマーＴ３１２を用いた測定を行うこと）が設定された場合、もし、タイマーＴ３１０が走っているなら、タイマーＴ３１２が走っていなければタイマーＴ３１２を開始する。端末装置のＲＲＣ層処理部は、既定回数（Ｎ３１１回）連続して同期中を受け取った場合にタイマー（Ｔ３１２）を停止してもよい。
【０１１６】
また、前記ＲＬＭ−ＲＳは明示的にあるいは暗示的にネットワークから設定されない場合には未定義であってもよい。すなわち、端末装置は、ネットワーク（例えば基地局装置
）からＲＬＭ−ＲＳの設定がなされない場合には無線リンク監視をしなくてもよい。
【０１１７】
また、ＲＬＭ−ＲＳは、無線リンク監視で用いられる参照信号であり、複数のＲＬＭ−ＲＳが端末装置に設定されてもよい。１つのＲＬＭ−ＲＳのリソースは、１つのＳＳブロックまたは１つのＣＳＩ−ＲＳのリソース（またはポート）であってもよい。
【０１１８】
また、ＣＲＳを用いた無線リンク監視がＥＵＴＲＡのセルで行われ、ＲＬＭ−ＲＳを用いた無線リンク監視がＮＲのセルで行われてよいが、これに限定されない。
【０１１９】
無線リンク監視に基づく無線リンク失敗の検出について説明する。
【０１２０】
端末装置は、タイマーＴ３１０が満了（Ｅｘｐｉｒｅ）したとき、またはタイマーＴ３１２が満了したとき、または複数の特定のタイマーが何れも走っていないときにＭＣＧのＭＡＣ層からランダムアクセスの問題が通知されたとき、またはＳＲＢまたはＤＲＢの再送が最大再送回数に達したことがＭＣＧのＲＬＣ層から通知されたとき、端末装置はＭＣＧにおいて無線リンク失敗が検出されたと判断する。前記特定のタイマーはタイマーＴ３１０と、タイマーＴ３１２を含まない。
【０１２１】
ランダムアクセスの問題は、ＭＡＣエンティティにおいて、ランダムアクセスプリアンブルの再送回数が既定の回数に達したときに、そのランダムアクセスプリアンブル送信がＳｐＣｅｌｌで行われていたならば、そのＳｐＣｅｌｌを含むセルグループのＭＡＣエンティティから上位レイヤ（ここではＲＲＣエンティティ）に通知されてよい。
【０１２２】
端末装置は、ＭＣＧにおいて無線リンク失敗が検出されたと判断すると、無線リンク失敗情報として様々な情報を蓄積（Ｓｔｏｒｅ）する。そして、もしＡＳのセキュリティが活性化（Ａｃｔｉｖａｔｅ）していないなら、解放理由を「その他」に設定してＲＲＣ＿ＣＯＮＮＥＣＴＥＤを離れる処理を開始する。もしＡＳセキュリティが活性化しているなら、ＲＲＣ接続再確立の手順を開始する。
【０１２３】
端末装置は、タイマーＴ３１３が満了（Ｅｘｐｉｒｅ）したとき、またはＳＣＧのＭＡＣ層からランダムアクセスの問題が通知されたとき、または再送が最大再送回数に達したことがＳＣＧのＲＬＣ層から通知されたとき、端末装置はＳＣＧにおいて無線リンク失敗が検出されたと判断して、ＳＣＧ無線リンク失敗として関連する情報を基地局装置に報告するための処理を開始する。
【０１２４】
端末装置は、タイマーＴ３１４が満了（Ｅｘｐｉｒｅ）したとき、端末装置は「早期同期外」イベントが検出されたと判断して、関連する情報を基地局装置に報告するための処理を開始する。
【０１２５】
端末装置は、タイマーＴ３１５が満了（Ｅｘｐｉｒｅ）したとき、端末装置は「早期同期中」イベントが検出されたと判断して、関連する情報を基地局装置に報告するための処理を開始する。
【０１２６】
ＲＲＣ接続の再確立手順について説明する。
【０１２７】
ＲＲＣ接続の再確立手順の目的は、ＲＲＣ接続を再確立することであり、ＳＲＢ１の回復（Ｒｅｓｕｍｐｔｉｏｎ）手続きと、セキュリティの再活性化と、ＰＣｅｌｌのみの設定とを伴ってよい。
【０１２８】
ＲＲＣ接続の再確立手順は、以下の（Ａ）から（Ｅ）の何れかの条件に合致するときに
開始されてよい。
（Ａ）ＭＣＧの無線リンク失敗を検出したとき
（Ｂ）ハンドオーバが失敗したとき（ＮＲではＭＣＧにおける同期付再設定が失敗したとき）
（Ｃ）他のＲＡＴへのモビリティが失敗したとき
（Ｄ）ＳＲＢ１またはＳＲＢ２に関わる完全性のチェック（Ｉｎｔｅｇｒｉｔｙ  ｃｈｅｃｋ）の失敗が下位レイヤから通知されたとき
（Ｅ）ＲＲＣ接続の再設定が失敗したとき
【０１２９】
ＲＲＣ接続の再確立手順が開始されると、端末装置は、以下の（Ａ）から（Ｊ）の処理の一部あるいは全部を実行する。
（Ａ）もしタイマーＴ３１０が走っていれば、タイマーＴ３１０を停止する
（Ｂ）もしタイマーＴ３１２が走っていれば、タイマーＴ３１２を停止する
（Ｃ）もしタイマーＴ３１３が走っていれば、タイマーＴ３１３を停止する
（Ｃ）もしタイマーＴ３１４が走っていれば、タイマーＴ３１４を停止する
（Ｄ）タイマーＴ３１１を開始する
（Ｅ）ＳＲＢ０以外のすべてのＲＢを休止（Ｓｕｓｐｅｎｄ）する
（Ｆ）ＭＡＣをリセットする
（Ｇ）もし設定されていればＭＣＧのＳＣｅｌｌを解放する
（Ｈ）デフォルトの物理チャネル設定を適用する
（Ｉ）ＭＣＧに対してデフォルトのＭＡＣ主設定を適用する
（Ｊ）セル選択手順を実行する
【０１３０】
セル選択手順によって最適な同一ＲＡＴのセルが選択されると、端末装置は、以下の処理を実行する。
【０１３１】
もし端末装置が５ＧＣに接続しており、選択したセルがＥＰＣでのみ接続できる、または端末装置がＥＰＣに接続しており、選択したセルが５ＧＣでのみ接続できるなら解放理由を「ＲＲＣ接続失敗」としてＲＲＣ＿ＣＯＮＮＥＣＴＥＤを離れる行動（Ａｃｔｉｏｎ）を実行する。そうでなければタイマーＴ３１１を停止し、タイマーＴ３０１を開始し、ＲＲＣ接続の再確立要求（ＲｅｅｓｔａｂｌｉｓｈｍｅｎｔＲｅｑｕｅｓｔ）メッセージの送信を開始する。
【０１３２】
タイマーＴ３１１が満了すると、端末装置は、解放理由を「ＲＲＣ接続失敗」としてＲＲＣ＿ＣＯＮＮＥＣＴＥＤを離れる行動（Ａｃｔｉｏｎ）を実行する。
【０１３３】
もしタイマーＴ３０１が満了したら、または選択したセルがセル選択基準の観点でもはや最適なセルでないなら、端末装置は、解放理由を「ＲＲＣ接続失敗」としてＲＲＣ＿ＣＯＮＮＥＣＴＥＤを離れる行動（Ａｃｔｉｏｎ）を実行する。
【０１３４】
ハンドオーバについて説明する。
【０１３５】
ＥＵＴＲＡにおいて、同じＲＡＴ間（すなわちＥＵＴＲＡ間）におけるハンドオーバに関する処理の一例を、図７を用いて説明する。図７を用いた説明は一例であり、一部の処理が省略されてもよいし、他の処理が含まれてもよい。あるいはハンドオーバに関する処理として別の処理が行われてもよい。
【０１３６】
図７において、ハンドオーバ元の基地局装置（Ｓｏｕｒｃｅ  ｅＮＢ）は端末装置に隣接セルの測定を設定（Ｃｏｎｆｉｇ）する（ステップＳ７０１）。
【０１３７】
端末装置は、Ｓｏｕｒｃｅ  ｅＮＢから設定された測定を行い、報告条件に基づき、Ｓｏｕｒｃｅ  ｅＮＢに測定結果を報告する（ステップＳ７０２）。
【０１３８】
Ｓｏｕｒｃｅ  ｅＮＢは、報告された測定結果などの情報に基づき端末装置のハンドオフを決定する（ステップＳ７０３）。
【０１３９】
Ｓｏｕｒｃｅ  ｅＮＢは、ハンドオーバ先となる基地局装置（Ｔａｒｇｅｔ  ｅＮＢ）にハンドオーバの準備に必要な情報を含むハンドオーバ要求メッセージを発行する（ｉｓｓｕｅする）（ステップＳ７０４）。
【０１４０】
許可制御（Ａｄｍｉｓｓｉｏｎ  ｃｏｎｔｒｏｌ）がＴａｒｇｅｔ  ｅＮＢで行われてもよい。Ｔａｒｇｅｔ  ｅＮＢは、必要とされるリソースを設定する。（ステップＳ７０５）。
【０１４１】
Ｔａｒｇｅｔ  ｅＮＢはＳｏｕｒｃｅ  ｅＮＢにハンドオーバ要求承認メッセージ（ＨＡＮＤＯＶＥＲ  ＲＥＱＵＥＳＴ  ＡＣＫＮＯＷＬＥＤＧＥメッセージ）を送る（ステップＳ７０６）。ハンドオーバ要求承認メッセージには、ハンドオーバの実行のためのＲＲＣメッセージとして端末装置に透過的に送られるコンテナが含まれる。コンテナには、新しいＣ−ＲＮＴＩ、選択されたセキュリティアルゴリズムのためのＴａｒｇｅｔ  ｅＮＢのセキュリティアルゴリズム識別子、デディケーテッドなランダムアクセスチャネルのプリアンブル（ランダムアクセスプリアンブル）、ターゲットセルのシステム情報、の一部あるいは全部が含まれてよい。
【０１４２】
Ｓｏｕｒｃｅ  ｅＮＢは、Ｔａｒｇｅｔ  ｅＮＢから受信したコンテナ（モビリティ制御情報（ｍｏｂｉｌｉｔｙＣｏｎｔｒｏｌＩｎｆｏ）情報要素（Ｉｎｆｏｒｍａｔｉｏｎ
Ｅｌｅｍｅｎｔ：ＩＥ）を含む第１のＲＲＣ接続再設定メッセージ（ＲＲＣＣｏｎｎｅｃｔｉｏｎＲｅｃｏｎｆｉｇｕｒａｔｉｏｎメッセージ））を端末装置に送る（ステップＳ７０７）。
【０１４３】
なお、端末装置は、第１のＲＲＣ接続再設定メッセージによって、メイクビフォアブレイクハンドオーバ（Ｍａｋｅ−Ｂｅｆｏｒｅ−Ｂｒｅａｋ  ＨＯ：ＭＢＢ−ＨＯ）が設定された場合、当該第１のＲＲＣ接続再設定メッセージを受信してから、少なくともＴａｒｇｅｔ  ｅＮＢで最初の上りリンク送信を実行するまでＳｏｕｒｃｅ  ｅＮＢとの接続を維持する。なお、上記メイクビフォアブレイクハンドオーバは複数の設定から選択されてもよい。例えば、すでに仕様化されているｍｏｂｉｌｉｔｙＣｏｎｔｒｏｌＩｎｆｏ情報要素に含まれるフィールドのｍａｋｅＢｅｆｏｒｅＢｒｅａｋ−ｒ１４が真（Ｔｒｕｅ）に設定されることによって、メイクビフォアブレイクハンドオーバが設定されたと判断してよい。また、例えば、新たに定義するｍａｋｅＢｅｆｏｒｅＢｒｅａｋ−ｒ１６がｍｏｂｉｌｉｔｙＣｏｎｔｒｏｌＩｎｆｏ情報要素のフィールドに含まれ、そのｍａｋｅＢｅｆｏｒｅＢｒｅａｋ−ｒ１６が真（Ｔｒｕｅ）に設定されることによって、メイクビフォアブレイクハンドオーバが設定されたと判断してよい。また、フィールドｍａｋｅＢｅｆｏｒｅＢｒｅａｋ−ｒ１６は様々な設定を含む情報要素を値としてもってもよい。
【０１４４】
Ｓｏｕｒｃｅ  ｅＮＢは、上りリンクのＰＤＣＰのシーケンス番号の受信状態および下りリンクのＰＤＣＰのシーケンス番号の送信状態を伝える（Ｃｏｎｖｅｙする）ためのＳＮ  ＳＴＡＴＵＳ  ＴＲＡＮＳＦＥＲメッセージをＴａｒｇｅｔ  ｅＮＢに送る（ステップＳ７０８）。
【０１４５】
もし、第１のＲＲＣ接続再設定メッセージによってＲＡＣＨ−ｌｅｓｓハンドオーバが設定されていなかったら、端末装置は、Ｔａｒｇｅｔ  ｅＮＢへの同期を実行（Ｐｅｒｆ
ｏｒｍ）し、ランダムアクセスチャネルを用いてターゲットとなるセルにアクセスする。このとき、第１のＲＲＣ接続再設定メッセージによってデディケーテッドなランダムアクセスプリアンブルが示されていたなら衝突なし（Ｃｏｎｔｅｎｔｉｏｎ−ｆｒｅｅ）のランダムアクセス手順を実行し、それが示されていなかったなら衝突あり（Ｃｏｎｔｅｎｔｉｏｎ−ｂａｓｅｄ）のランダムアクセス手順を実行する。もし、第１のＲＲＣ接続再設定メッセージによってＲＡＣＨ−ｌｅｓｓハンドオーバが設定されていたら、端末装置は、Ｔａｒｇｅｔ  ｅＮＢへの同期を実行する（ステップＳ７０９）。
【０１４６】
もし、第１のＲＲＣ接続再設定メッセージによってＲＡＣＨ−ｌｅｓｓハンドオーバを設定していなかったら、Ｔａｒｇｅｔ  ｅＮＢは、上りリンク割り当ておよびタイミングアドバンスの情報を端末装置に返す（ステップＳ７１０）。
【０１４７】
もし、第１のＲＲＣ接続再設定メッセージによってＲＡＣＨ−ｌｅｓｓハンドオーバが設定されており、かつ周期的な上りリンクグラントの事前割り当て（ｐｅｒｉｏｄｉｃ  ｐｒｅ−ａｌｌｏｃａｔｅｄ  ｕｐｌｉｎｋ  ｇｒａｎｔ）が第１のＲＲＣ接続再設定メッセージによって取得できていなかったなら、端末装置はターゲットセルのＰＤＣＣＨによって上りリンクグラントを受信する。端末装置は、ターゲットセルに同期した後の最初の利用可能（Ａｖａｉｌａｂｌｅ）な上りリンクグラントを使う（ステップＳ７１０ａ）。
【０１４８】
ＲＡＣＨ−ｌｅｓｓハンドオーバが設定されておらず、端末装置がターゲットセルに首尾よくアクセスしたとき、端末装置は、ハンドオーバを確認（Ｃｏｎｆｉｒｍ）するために、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅメッセージ）をＴａｒｇｅｔ  ｅＮＢに送る。このＲＲＣ接続再設定完了メッセージが端末装置のハンドオーバ手順の完了を示す。ＲＲＣ接続再設定完了メッセージにはＣ−ＲＮＴＩが含まれ、Ｔａｒｇｅｔ  ｅＮＢは受け取ったＲＲＣ接続再設定完了メッセージのＣ−ＲＮＴＩを照合（Ｖｅｒｉｆｙ）する。
【０１４９】
ＲＡＣＨ−ｌｅｓｓハンドオーバが設定されており、端末装置が上りリンクグラントを受信したとき、端末装置は、ハンドオーバを確認（Ｃｏｎｆｉｒｍ）するために、ＲＲＣ接続再設定完了メッセージ（ＲＲＣＣｏｎｎｅｃｔｉｏｎＲｅｃｏｎｆｉｇｕｒａｔｉｏｎＣｏｍｐｌｅｔｅメッセージ）をＴａｒｇｅｔ  ｅＮＢに送る。ＲＲＣ接続再設定完了メッセージにはＣ−ＲＮＴＩが含まれ、Ｔａｒｇｅｔ  ｅＮＢは受け取ったＲＲＣ接続再設定完了メッセージのＣ−ＲＮＴＩを照合（Ｖｅｒｉｆｙ）する。端末装置がＵＥ衝突解決識別子ＭＡＣ制御要素（ＵＥ  ｃｏｎｔｅｎｔｉｏｎ  ｒｅｓｏｌｕｔｉｏｎ  ｉｄｅｎｔｉｔｙ  ＭＡＣ  ｃｏｎｔｒｏｌ  ｅｌｅｍｅｎｔ）をＴａｒｇｅｔ  ｅＮＢから受信したときに、端末装置のハンドオーバ手順が完了する（ステップＳ７１１）。
【０１５０】
Ｔａｒｇｅｔ  ｅＮＢは、端末装置がセルを変更したことを知らせるためにＭＭＥへパス切替要求（ＰＡＴＨ  ＳＷＩＴＣＨ  ＲＥＱＵＥＳＴ）メッセージを送る（ステップＳ７１２）。
【０１５１】
ＭＭＥは、ベアラ修正要求（ＭＯＤＩＦＹ  ＢＥＡＲＥＲ  ＲＥＱＵＥＳＴ）メッセージをサービングゲートウェイ（Ｓ−ＧＷ）に送る（ステップＳ７１３）。
【０１５２】
Ｓ−ＧＷは下りリンクデータパスをターゲット側に切り替える。Ｓ−ＧＷはＳｏｕｒｃｅ  ｅＮＢに対して一つまたは複数のエンドマーカーパケットを送り、Ｓｏｕｒｃｅ  ｅＮＢへのユーザプレーンのリソースを解放する（ステップＳ７１４）。
【０１５３】
Ｓ−ＧＷはＭＭＥに、ベアラ修正応答（ＭＯＤＩＦＹ  ＢＥＡＲＥＲ  ＲＥＳＰＯＮＳ
Ｅ）メッセージをＭＭＥに送る（ステップＳ７１５）。
【０１５４】
ＭＭＥは、パス切替要求承認（ＰＡＴＨ  ＳＷＩＴＣＨ  ＲＥＱＵＥＳＴ  ＡＣＫＮＯＷＬＥＤＧＥ）メッセージによってパス切替要求を確認する（ステップＳ７１６）。
【０１５５】
Ｔａｒｇｅｔ  ｅＮＢは、Ｓｏｕｒｃｅ  ｅＮＢに対してＵＥコンテキスト解放（ＵＥ
ＣＯＮＴＥＸＴ  ＲＥＬＥＡＳＥ）メッセージを送ることによって、ハンドオーバの成功を示し、Ｓｏｕｒｃｅ  ｅＮＢによるリソースの解放をトリガする。Ｔａｒｇｅｔ  ｅＮＢはこのメッセージをパス切替要求承認メッセージを受け取ったあとに送ってよい（ステップＳ７１７）。
【０１５６】
Ｓｏｕｒｃｅ  ｅＮＢは、ＵＥコンテキスト解放メッセージを受け取ると、ＵＥコンテキストに関する無線およびＣプレーンに関連したリソースを解放できる。実行中のデータ転送は継続されてよい（ステップＳ７１８）。
【０１５７】
タイマーＴ３０４が満了すると、端末装置は、以下の（Ａ）から（Ｄ）の処理の一部あるいは全部を実行する。
（Ａ）第１のＲＲＣ接続再設定メッセージによって設定されたデディケーテッドなランダムアクセスチャネルの設定を利用可能ではないとみなす
（Ｂ）デディケーテッドな物理チャネルの設定およびＭＡＣ層の主設定、および半永続的（セミパーシステント）なスケジュールの設定を除く、ハンドオーバ元（ソース）のＰＣｅｌｌで使われていた設定に端末装置の設定を戻す
（Ｃ）ハンドオーバ失敗情報として、関連する情報を蓄積する
（Ｄ）ＲＲＣ接続の再確立手順を開始してＲＲＣ接続再設定の手順を終了する
【０１５８】
第１のＲＲＣ接続再設定メッセージを受け取った端末装置の処理の詳細について説明する。第１のＲＲＣ接続再設定メッセージには、モビリティ制御情報（ｍｏｂｉｌｉｔｙＣｏｎｔｒｏｌＩｎｆｏ）情報要素が含まれてよい。ｍｏｂｉｌｉｔｙＣｏｎｔｒｏｌＩｎｆｏ情報要素には、他のＲＡＴからＥＵＴＲＡ、あるいはＥＵＴＲＡ内でのネットワーク制御のモビリティに関連するパラメータ（例えば、ターゲットセルの識別子やキャリア周波数の情報）が含まれる。
【０１５９】
ｍｏｂｉｌｉｔｙＣｏｎｔｒｏｌＩｎｆｏ情報要素を含むＲＲＣ接続再設定メッセージ（第１のＲＲＣ接続再設定メッセージ）を受け取り、かつ端末装置がそのメッセージの設定に応じることができるなら、端末装置は以下の（Ａ）から（Ｇ）の処理の一部あるいは全部を行う。
（Ａ）もしタイマーＴ３１０が走っていれば、タイマーＴ３１０を停止する
（Ｂ）もしタイマーＴ３１２が走っていれば、タイマーＴ３１２を停止する
（Ｃ）もしタイマーＴ３１４が走っていれば、タイマーＴ３１４を停止する
（Ｄ）タイマーＴ３０４をｍｏｂｉｌｉｔｙＣｏｎｔｒｏｌＩｎｆｏ情報要素に含まれる値（ｔ３０４）で開始する
（Ｅ）もしキャリア周波数の情報が含まれていれば、その周波数をターゲットセルの周波数と判断し、キャリア周波数の情報が含まれていなければ、ソースのＰＣｅｌｌの周波数をターゲットセルの周波数と判断する
（Ｆ）もしアクセス規制のタイマーが走っていれば、そのタイマーを停止する
（Ｇ）ターゲットセルの下りリンクへの同期を開始する
【０１６０】
ＮＲにおいて、同じＲＡＴ間（すなわちＮＲ間）におけるハンドオーバに関する処理の一例を、図８を用いて説明する。図８を用いた説明は一例であり、一部の処理が省略されてもよいし、他の処理が含まれてもよい。あるいはハンドオーバに関する処理として別の
処理が行われてもよい。
【０１６１】
図８において、ハンドオーバ元の基地局装置（Ｓｏｕｒｃｅ  ｇＮＢ）は端末装置に隣接セルの測定を設定し、端末装置は、Ｓｏｕｒｃｅ  ｇＮＢから設定された測定を行い、Ｓｏｕｒｃｅ  ｇＮＢに測定結果を報告する（ステップＳ８０１）。
【０１６２】
Ｓｏｕｒｃｅ  ｇＮＢは、報告された測定結果などの情報に基づき端末装置のハンドオフを決定する（ステップＳ８０２）。
【０１６３】
Ｓｏｕｒｃｅ  ｇＮＢは、ハンドオーバ先となる基地局装置（Ｔａｒｇｅｔ  ｇＮＢ）にハンドオーバの準備に必要な情報を含むハンドオーバ要求メッセージを発行（ｉｓｓｕｅ）する（ステップＳ８０３）。
【０１６４】
許可制御（Ａｄｍｉｓｓｉｏｎ  ｃｏｎｔｒｏｌ）がＴａｒｇｅｔ  ｇＮＢで行われてもよい（ステップＳ８０４）。
【０１６５】
Ｔａｒｇｅｔ  ｇＮＢは、ハンドオーバの準備を行い、Ｓｏｕｒｃｅ  ｇＮＢにハンドオーバ要求承認メッセージ（ＨＡＮＤＯＶＥＲ  ＲＥＱＵＥＳＴ  ＡＣＫＮＯＷＬＥＤＧＥメッセージ）を送る（ステップＳ８０５）。ハンドオーバ要求承認メッセージには、ハンドオーバの実行のためのＲＲＣメッセージとして端末装置に透過的に送られるコンテナが含まれる。
【０１６６】
Ｓｏｕｒｃｅ  ｇＮＢは、Ｔａｒｇｅｔ  ｇＮＢから受信したコンテナ（第１のＲＲＣ再設定メッセージ（ＲＲＣＲｅｃｏｎｆｉｇｕｒａｔｉｏｎメッセージ））を端末装置に送る（ステップＳ８０６）。ＲＲＣ再設定メッセージには、ターゲットセルの識別子、新しいＣ−ＲＮＴＩ、選択されたセキュリティアルゴリズムのためのＴａｒｇｅｔ  ｇＮＢのセキュリティアルゴリズム識別子、デディケーテッドなランダムアクセスチャネルのリソースのセット、ＵＥ固有のＣＳＩ−ＲＳの設定、共通のランダムアクセスチャネルリソース、ターゲットセルのシステム情報、の一部あるいは全部が含まれてよい。
【０１６７】
なお、端末装置は、第１のＲＲＣ再設定メッセージによって、メイクビフォアブレイクハンドオーバ（Ｍａｋｅ−Ｂｅｆｏｒｅ−Ｂｒｅａｋ  ＨＯ：ＭＢＢ−ＨＯ）が設定された場合、当該第１のＲＲＣ再設定メッセージを受信してから、少なくともＴａｒｇｅｔ  ｇＮＢで最初の上りリンク送信を実行するまでＳｏｕｒｃｅ  ｇＮＢとの接続を維持してもよい。
【０１６８】
Ｓｏｕｒｃｅ  ｅＮＢは、上りリンクのＰＤＣＰのシーケンス番号の受信状態および下りリンクのＰＤＣＰのシーケンス番号の送信状態を伝える（Ｃｏｎｖｅｙする）ためのＳＮ  ＳＴＡＴＵＳ  ＴＲＡＮＳＦＥＲメッセージをＴａｒｇｅｔ  ｇＮＢに送る（ステップＳ８０７）。
【０１６９】
もし、第１のＲＲＣ再設定メッセージによってＲＡＣＨ−ｌｅｓｓハンドオーバが設定されていなかったら、端末装置は、Ｔａｒｇｅｔ  ｅＮＢへの同期を実行（Ｐｅｒｆｏｒｍ）し、ランダムアクセスチャネルを用いてターゲットとなるセルにアクセスする。このとき、第１のＲＲＣ再設定メッセージによってデディケーテッドなランダムアクセスプリアンブルが示されていたなら衝突なし（Ｃｏｎｔｅｎｔｉｏｎ−ｆｒｅｅ）のランダムアクセス手順を実行し、それが示されていなかったなら衝突あり（Ｃｏｎｔｅｎｔｉｏｎ−ｂａｓｅｄ）のランダムアクセス手順を実行してよい。もし、第１のＲＲＣ再設定メッセージによってＲＡＣＨ−ｌｅｓｓハンドオーバが設定されていたら、端末装置は、Ｔａｒｇｅｔ  ｇＮＢへの同期を実行する。
【０１７０】
もし、第１のＲＲＣ再設定メッセージによってＲＡＣＨ−ｌｅｓｓハンドオーバを設定していなかったら、Ｔａｒｇｅｔ  ｇＮＢは、上りリンク割り当ておよびタイミングアドバンスの情報を端末装置に返してよい。
【０１７１】
もし、第１のＲＲＣ再設定メッセージによってＲＡＣＨ−ｌｅｓｓハンドオーバが設定されており、かつ周期的な上りリンクグラントの事前割り当て（ｐｅｒｉｏｄｉｃ  ｐｒｅ−ａｌｌｏｃａｔｅｄ  ｕｐｌｉｎｋ  ｇｒａｎｔ）が第１のＲＲＣ再設定メッセージによって取得できていなかったなら、端末装置はターゲットセルのＰＤＣＣＨによって上りリンクグラントを受信する。端末装置は、ターゲットセルに同期した後の最初の利用可能（Ａｖａｉｌａｂｌｅ）な上りリンクグラントを使う。
【０１７２】
ＲＡＣＨ−ｌｅｓｓハンドオーバが設定されておらず、端末装置がターゲットセルに首尾よくアクセスしたとき、端末装置は、ハンドオーバを確認（Ｃｏｎｆｉｒｍ）するために、ＲＲＣ再設定完了メッセージ（ＲＲＣＲｅｃｏｎｆｉｇｕｒａｔｉｏｎＣｏｍｐｌｅｔｅメッセージ）をＴａｒｇｅｔ  ｇＮＢに送ってよい。このＲＲＣ再設定完了メッセージが端末装置のハンドオーバ手順の完了を示してよい。ＲＲＣ再設定完了メッセージにはＣ−ＲＮＴＩが含まれ、Ｔａｒｇｅｔ  ｇＮＢは受け取ったＲＲＣ再設定完了メッセージのＣ−ＲＮＴＩを照合（Ｖｅｒｉｆｙ）してよい。
【０１７３】
ＲＡＣＨ−ｌｅｓｓハンドオーバが設定されており、端末装置が上りリンクグラントを受信したとき、端末装置は、ハンドオーバを確認（Ｃｏｎｆｉｒｍ）するために、ＲＲＣ再設定完了（ＲＲＣＲｅｃｏｎｆｉｇｕｒａｔｉｏｎＣｏｍｐｌｅｔｅ）メッセージをＴａｒｇｅｔ  ｇＮＢに送ってよい。ＲＲＣ再設定完了メッセージにはＣ−ＲＮＴＩが含まれ、Ｔａｒｇｅｔ  ｇＮＢは受け取ったＲＲＣ再設定完了メッセージのＣ−ＲＮＴＩを照合（Ｖｅｒｉｆｙ）してよい。端末装置がＵＥ衝突解決識別子ＭＡＣ制御要素（ＵＥ  ｃｏｎｔｅｎｔｉｏｎ  ｒｅｓｏｌｕｔｉｏｎ  ｉｄｅｎｔｉｔｙ  ＭＡＣ  ｃｏｎｔｒｏｌ  ｅｌｅｍｅｎｔ）をＴａｒｇｅｔ  ｇＮＢから受信したときに、端末装置のハンドオーバ手順が完了してよい（ステップＳ８０８）。
【０１７４】
Ｔａｒｇｅｔ  ｅＮＢは、５ＧＣにダウンリンクデータパスをＴａｒｇｅｔ  ｇＮＢに切り替えてＮＧ−ＣインターフェースインスタンスをＴａｒｇｅｔ  ｇＮＢに対して確立させるために、ＡＭＦへパス切替要求（ＰＡＴＨ  ＳＷＩＴＣＨ  ＲＥＱＵＥＳＴ）メッセージを送る（ステップＳ８０９）。
【０１７５】
５ＧＣは下りリンクデータパスをＴａｒｇｅｔ  ｇＮＢに切り替える。ＵＰＦはＳｏｕｒｃｅ  ｅＮＢに対して一つまたは複数のエンドマーカーパケットを送り、Ｓｏｕｒｃｅ
ｇＮＢへのユーザプレーンのリソースを解放する（ステップＳ８１０）。
【０１７６】
ＡＭＦは、パス切替要求承認（ＰＡＴＨ  ＳＷＩＴＣＨ  ＲＥＱＵＥＳＴ  ＡＣＫＮＯＷＬＥＤＧＥ）メッセージによってパス切替要求を確認する（ステップＳ８１１）。
【０１７７】
Ｔａｒｇｅｔ  ｇＮＢは、Ｓｏｕｒｃｅ  ｅＮＢに対してＵＥコンテキスト解放（ＵＥ
ＣＯＮＴＥＸＴ  ＲＥＬＥＡＳＥ）メッセージを送ることによって、ハンドオーバの成功を示し、Ｓｏｕｒｃｅ  ｇＮＢによるリソースの解放をトリガする。Ｔａｒｇｅｔ  ｇＮＢはこのメッセージをパス切替要求承認メッセージをＡＭＦから受け取ったあとに送ってよい。Ｓｏｕｒｃｅ  ｇＮＢは、ＵＥコンテキスト解放メッセージを受け取ると、ＵＥコンテキストに関する無線およびＣプレーンに関連したリソースを解放できる。実行中のデータ転送は継続されてよい（ステップＳ８１２）。
【０１７８】
タイマーＴ３０４が満了すると、端末装置は、以下の（Ａ）から（Ｄ）の処理の一部あるいは全部を実行する。
（Ａ）もしＭＣＧのタイマーＴ３０４が満了したら、第１のＲＲＣ接続再設定メッセージによって設定されたＭＣＧのデディケーテッドなランダムアクセスチャネルの設定を解放する
（Ｂ）もしＭＣＧのタイマーＴ３０４が満了したら、ハンドオーバ元（ソース）のＰＣｅｌｌで使われていた設定に端末装置の設定を戻す
（Ｄ）もしＭＣＧのタイマーＴ３０４が満了したら、ＲＲＣ接続の再確立手順を開始する
（Ｅ）もしＳＣＧのタイマーＴ３０４が満了したら、第１のＲＲＣ接続再設定メッセージによって設定されたＳＣＧのデディケーテッドなランダムアクセスチャネルの設定を解放する
（Ｅ）もしＳＣＧのタイマーＴ３０４が満了したら、ＳＣＧの同期付再設定が失敗したことを報告する手順を開始する
【０１７９】
第１のＲＲＣ再設定メッセージを受け取った端末装置の処理の詳細について説明する。第１のＲＲＣ再設定メッセージには、同期付再設定（ｒｅｃｏｎｆｉｇｕｒａｔｉｏｎＷｉｔｈＳｙｎｃ）情報要素が含まれてよい。ｒｅｃｏｎｆｉｇｕｒａｔｉｏｎＷｉｔｈＳｙｎｃ情報要素は、ＲＲＣ再設定メッセージのセルグループ（ＭＣＧやＳＣＧ）毎のＳｐＣｅｌｌの設定に含まれてよい。ｒｅｃｏｎｆｉｇｕｒａｔｉｏｎＷｉｔｈＳｙｎｃ情報要素は、ターゲットのＳｐＣｅｌｌへの同期を伴う再設定に関するパラメータ（例えばターゲットのＳｐＣｅｌｌの設定や、端末装置の新しい識別子など）が含まれる。
【０１８０】
ｒｅｃｏｎｆｉｇｕｒａｔｉｏｎＷｉｔｈＳｙｎｃ情報要素を含むＲＲＣ再設定メッセージ（第１のＲＲＣ再設定メッセージ）を受け取った端末装置は以下の（Ａ）から（Ｅ）の処理の一部あるいは全部を行う。
（Ａ）もし、セキュリティが活性化されていないなら、解放理由を「その他」に設定してＲＲＣ＿ＣＯＮＮＥＣＴＥＤを離れる処理を開始する。ＲＲＣ＿ＣＯＮＮＥＣＴＥＤを離れる処理はＲＲＣ＿ＩＤＬＥに行く処理であってもよい。
（Ｂ）もし対象となるＳｐＣｅｌｌのタイマーＴ３１０が走っていれば、対象となるＳｐＣｅｌｌのタイマーＴ３１０を停止する
（Ｃ）対象となるＳｐＣｅｌｌのタイマーＴ３０４をｒｅｃｏｎｆｉｇｕｒａｔｉｏｎＷｉｔｈＳｙｎｃ情報要素に含まれる値（ｔ３０４）で開始する
（Ｄ）もし下りリンクの周波数の情報が含まれていれば、その周波数をターゲットセルのＳＳＢの周波数と判断し、下りリンクの周波数の情報が含まれていなければ、ソースのＳｐＣｅｌｌのＳＳＢの周波数をターゲットセルのＳＳＢの周波数と判断する
（Ｅ）ターゲットセルの下りリンクへの同期を開始する
【０１８１】
前述のように、ＥＵＴＲＡおよび／またはＮＲにおいて、端末装置にメイクビフォアブレイクハンドオーバ（Ｍａｋｅ−Ｂｅｆｏｒｅ−Ｂｒｅａｋ  ＨＯ：ＭＢＢ−ＨＯ）が設定された場合、端末装置は、Ｔａｒｇｅｔ  ｅＮＢまたはＴａｒｇｅｔ  ｇＮＢで最初の上りリンク送信を実行するまでＳｏｕｒｃｅ  ｅＮＢまたはＳｏｕｒｃｅ  ｇＮＢとの接続を維持する。現状では、第１のＲＲＣ接続再設定メッセージまたは第１のＲＲＣ再設定メッセージを受け取ったときにタイマーＴ３１０が停止する。そのため、それ以降のＳｏｕｒｃｅ  ｅＮＢまたはＳｏｕｒｃｅ  ｇＮＢのサービングセル（ソースセル）において、物理層問題に起因した無線リンク失敗とみなされる状況になっているか否かを端末装置が判断することができない。また、タイマーＴ３０４が走っている場合、Ｓｏｕｒｃｅ  ｅＮＢまたはＳｏｕｒｃｅ  ｇＮＢのサービングセル（ソースセル）において、ＭＡＣ層から通知されるランダムアクセスの問題に起因した無線リンク失敗とみなされる状況になっているか否かを端末装置が判断することができない。また、ソースセルにおいて、ＲＬＣでの再送が最大回数まで達してしまうと無線リンク失敗とみなされ、ＲＲＣ接続の再確立手順が実行される。
【０１８２】
次に、条件付ハンドオーバ（Ｃｏｎｄｉｔｉｏｎａｌ  ＨａｎｄＯｖｅｒ）について説明する。ＮＲにおいて、条件付ハンドオーバとは、同期付再設定情報要素に含まれる情報を含む情報要素（条件付ハンドオーバ設定）と、その情報要素を適用する条件を示す情報（条件付ハンドオーバ条件）とを含むＲＲＣ再設定メッセージを用いるＲＲＣ再設定であってよい。ＬＴＥにおいて、条件付ハンドオーバとは、モビリティ制御情報情報要素に含まれる情報を含む情報要素（条件付ハンドオーバ設定）と、その情報要素を適用する条件を示す情報（条件付ハンドオーバ条件）とを含むＲＲＣ接続再設定メッセージを用いるＲＲＣ接続再設定であってよい。
【０１８３】
ＮＲにおいて、条件付ハンドオーバ設定には下記の（Ａ）から（Ｆ）の設定の一部または全部が含まれてよい。
（Ａ）セルグループの設定情報（ＣｅｌｌＧｒｏｕｐＣｏｎｆｉｇ）
（Ｂ）フル設定であるか否かを示す情報
（Ｃ）ＮＡＳ層のメッセージ
（Ｄ）システム情報
（Ｅ）測定設定
（Ｆ）無線ベアラの設定
【０１８４】
前記セルグループの設定情報には、下記の（１）から（６）の設定の一部または全部が含まれてよい。
（１）セルグループの識別子
（２）ＲＬＣベアラの情報
（３）セルグループのＭＡＣレイヤの設定情報
（４）セルグループの物理（ＰＨＹ）レイヤの設定情報
（５）ＳｐＣｅｌｌの設定情報（同期付再設定情報要素が含まれてもよい）
（６）ＳＣｅｌｌの情報
【０１８５】
また、前記無線ベアラの設定には、下記の（１）から（３）の設定の一部または全部が含まれてよい。
（１）ＳＲＢ設定
（２）ＤＲＢ設定
（３）セキュリティ設定（例えばＳＲＢおよび／またはＤＲＢに対する整合性保護のアルゴリズムおよび暗号化のアルゴリズムに関する情報（ｓｅｃｕｒｉｔｙＡｌｇｏｒｉｔｈｍＣｏｎｆｉｇ）、マスター（ＭＣＧ）とセカンダリ（ＳＣＧ）の何れの鍵を用いるかを示す情報（ｋｅｙＴｏＵｓｅ）など）
【０１８６】
ＬＴＥにおいて、条件付ハンドオーバ設定には下記の（Ａ）から（Ｅ）の設定の一部または全部が含まれてよい。
（Ａ）測定設定
（Ｂ）モビリティ制御情報情報要素
（Ｃ）ＮＡＳ層のメッセージ
（Ｄ）無線リソース設定
（Ｅ）セキュリティ設定（例えばＳＲＢおよび／またはＤＲＢに対する整合性保護のアルゴリズムおよび暗号化のアルゴリズムに関する情報（ＳｅｃｕｒｉｔｙＡｌｇｏｒｉｔｈｍＣｏｎｆｉｇ））
【０１８７】
前記無線リソース設定には、下記の（１）から（４）の設定の一部または全部が含まれ
てよい。
（１）ＳＲＢ情報
（２）ＤＲＢ情報
（３）セルグループのＭＡＣレイヤの設定情報
（４）セルグループの物理（ＰＨＹ）レイヤの設定情報
【０１８８】
ＬＴＥおよび／またはＮＲにおいて、条件付ハンドオーバ条件には下記の（Ａ）から（Ｄ）の条件の一部または全部が含まれてよい。
（Ａ）ハンドオーバ先（ターゲット）のセルが、オフセットを加えた現在（ソース）のＰＣｅｌｌよりもよくなった
（Ｂ）ハンドオーバ先（ターゲット）のセルが、ある閾値よりよくなり、ＰＣｅｌｌが別の閾値より悪くなった
（Ｃ）ハンドオーバ先（ターゲット）のセルが、ある閾値よりよくなった
（Ｄ）条件なし（直ちに実行）
【０１８９】
上記条件付ハンドオーバ条件での比較には、量（Ｑｕａｎｔｉｔｙ）としてＲＳＲＰ、ＲＳＲＱ、および／またはＲＳ−ＳＩＮＲが用いられてよい。また、何れの量を用いるかがネットワークから設定されてよい。また、何れの量を用いるかを示す情報が、条件付ハンドオーバ条件に含まれてもよい。
【０１９０】
条件付ハンドオーバ設定、および／または条件付ハンドオーバ条件を示す情報要素は、ハンドオーバ元（ソース）において、ＲＲＣメッセージの一部として含まれてもよいし、ＲＲＣメッセージに含まれるコンテナ（ビット列を格納する情報要素）に格納されてもよい。
【０１９１】
以上の説明をベースとして、本発明の様々な実施の形態を説明する。なお、以下の説明で省略される各処理については上記で説明した各処理が適用されてよい。
【０１９２】
ＭＢＢ−ＨＯにおける無線リンク監視に関する手順を変更することで効率的にＭＢＢ−ＨＯを行なう例を示す。
【０１９３】
まず、ＵＥ１２２のＲＲＣ層処理部は、ＭＣＧのＳｐＣｅｌｌであるプライマリセル（ＰＣｅｌｌ）において、特定の条件（第１の条件）下ではタイマーＴ３０４が走っているか否かに関わらず、物理層処理部から通知される同期外を既定回数（Ｎ３１０回）連続して受け取った場合にタイマー（Ｔ３１０）を開始（Ｓｔａｒｔ）あるいは再開始（Ｒｅｓｔａｒｔ）してよい。また、ＵＥ１２２のＲＲＣ層処理部は、既定回数（Ｎ３１１回）連続して同期中を受け取った場合にタイマー（Ｔ３１０）を停止（Ｓｔｏｐ）してよい。また、前記タイマーＴ３１０を開始または再開始する判断において、タイマーＴ３００、タイマーＴ３０１、およびタイマーＴ３１１の何れも走っていないことを条件に加えてもよい。
【０１９４】
ＵＥ１２２のＲＲＣ層処理部は、以下の（Ａ）から（Ｅ）の何れかの条件を満たすとき、ＭＣＧにおいて無線リンク失敗が検出されたと判断する。
（Ａ）タイマーＴ３１０が満了（Ｅｘｐｉｒｅ）したとき
（Ｂ）タイマーＴ３１２が満了したとき
（Ｃ）タイマーＴ３００、タイマーＴ３０１、タイマーＴ３０４、およびタイマーＴ３１１の何れも走っていないときに、ＭＣＧのＭＡＣエンティティからランダムアクセス問題の通知（インディケーション）を受け取ったとき
（Ｄ）第１の条件下で、タイマーＴ３０４が走っているときに、ランダムアクセス問題の通知をＭＣＧのＭＡＣエンティティから受け取ったとき
（Ｅ）ＳＲＢまたはＤＲＢの再送が最大再送回数に達したことを示す通知をＭＣＧのＲＬＣ層から受け取ったとき
【０１９５】
第１の条件は、ＵＥ１２２にｍａｋｅＢｅｆｏｒｅＢｒｅａｋ−ｒ１６が設定されていることであってもよい。ｍａｋｅＢｅｆｏｒｅＢｒｅａｋ−ｒ１６が設定されていることとは、例えば、ＥＵＴＲＡの場合、ＵＥ１２２が、ｍａｋｅＢｅｆｏｒｅＢｒｅａｋ−ｒ１６がｍｏｂｉｌｉｔｙＣｏｎｔｒｏｌＩｎｆｏ情報要素のフィールドに含まれるＲＲＣ接続再設定メッセージを受信することであってよい。また、ｍａｋｅＢｅｆｏｒｅＢｒｅａｋ−ｒ１６が設定されていることとは、例えば、ＮＲの場合、ｍａｋｅＢｅｆｏｒｅＢｒｅａｋ−ｒ１６が同期付再設定情報要素のフィールドに含まれるＲＲＣ再設定メッセージを受信することであってよい。また、ｍａｋｅＢｅｆｏｒｅＢｒｅａｋ−ｒ１６が設定されていないこととは、例えば、ＥＵＴＲＡの場合、ＵＥ１２２が、ｍａｋｅＢｅｆｏｒｅＢｒｅａｋ−ｒ１６がｍｏｂｉｌｉｔｙＣｏｎｔｒｏｌＩｎｆｏ情報要素のフィールドに含まれないＲＲＣ接続再設定メッセージを受信することであってよい。また、ｍａｋｅＢｅｆｏｒｅＢｒｅａｋ−ｒ１６が設定されていないこととは、例えば、ＥＵＴＲＡの場合、ＵＥ１２２が、偽（Ｆａｌｓｅ）を値に持つｍａｋｅＢｅｆｏｒｅＢｒｅａｋ−ｒ１６を含むＲＲＣ接続再設定メッセージを受信することであってよい。また、ｍａｋｅＢｅｆｏｒｅＢｒｅａｋ−ｒ１６が設定されていないこととは、例えば、ＮＲの場合、ｍａｋｅＢｅｆｏｒｅＢｒｅａｋ−ｒ１６が同期付再設定情報要素のフィールドに含まれないＲＲＣ再設定メッセージを受信することであってよい。
【０１９６】
ｍａｋｅＢｅｆｏｒｅＢｒｅａｋ−ｒ１６は、例えば、真（ｔｒｕｅ）を含む列挙型（ｅｎｕｍｅｒａｔｅｄ  ｔｙｐｅ）の値を持ってもよいし、メイクビフォアブレイクハンドオーバに必要な情報を含む情報要素を値として持ってもよい。
【０１９７】
また、前記条件（Ｅ）は、以下の（Ｅ２）であってもよい。
（Ｅ２）タイマーＴ３００、タイマーＴ３０１、タイマーＴ３０４、およびタイマーＴ３１１の何れも走っていないときに、ＳＲＢまたはＤＲＢの再送が最大再送回数に達したことを示す通知をＭＣＧのＲＬＣ層から受け取ったとき、または第１の条件下で、タイマーＴ３０４が走っているときに、ＳＲＢまたはＤＲＢの再送が最大再送回数に達したことを示す通知をＭＣＧのＲＬＣ層から受け取ったとき
【０１９８】
ＵＥ１２２は、ＭＣＧにおいて無線リンク失敗が検出されたと判断すると、無線リンク失敗情報として様々な情報を蓄積（Ｓｔｏｒｅ）する。そして、もしＡＳのセキュリティが活性化（Ａｃｔｉｖａｔｅ）していないなら、解放理由を「その他」に設定してＲＲＣ＿ＣＯＮＮＥＣＴＥＤを離れる処理を開始してよい。
【０１９９】
また、ＡＳセキュリティが活性化している場合、もし、第１の条件下であるなら、ＭＣＧのＳＲＢおよび／またはＤＲＢの一部または全部の送信を休止（Ｓｕｓｐｅｎｄ）し、ＭＣＧのＭＡＣエンティティをリセットしてよい。
【０２００】
また、ＡＳセキュリティが活性化している場合、もし、第１の条件下でないなら、ＲＲＣ接続再確立の手順を開始してよい。
【０２０１】
ＲＲＣ接続の再確立手順は、以下の（Ａ）から（Ｅ）の何れかの条件に合致するときに開始されてよい。
（Ａ）第１の条件下でないときに、ＭＣＧの無線リンク失敗を検出したとき
（Ｂ）ハンドオーバが失敗したとき（ＮＲではＭＣＧにおける同期付再設定が失敗したとき）
（Ｃ）他のＲＡＴへのモビリティが失敗したとき
（Ｄ）ＳＲＢ１またはＳＲＢ２に関わる完全性のチェック（Ｉｎｔｅｇｒｉｔｙ  ｃｈｅｃｋ）の失敗が下位レイヤから通知されたとき
（Ｅ）ＲＲＣ接続の再設定が失敗したとき
【０２０２】
また、上記の何れかの条件に合致したときに、第１の条件下であって、ハンドオーバ元のＭＣＧで無線リンク失敗を検出していない場合、ＲＲＣ接続の再確立手順を開始せず、ハンドオーバ失敗をハンドオーバ元のＭＣＧで通知する手順を開始してもよい。
【０２０３】
もし、第１の条件がＵＥ１２２にｍａｋｅＢｅｆｏｒｅＢｒｅａｋ−ｒ１６が設定されていることであるならば、タイマーＴ３０４が満了したとき、またはハンドオーバ失敗をハンドオーバ元のＭＣＧで通知する手順を開始したときに、設定されているｍａｋｅＢｅｆｏｒｅＢｒｅａｋ−ｒ１６を解放してもよい。
【０２０４】
ＲＲＣ接続の再確立手順が開始されると、ＵＥ１２２は、以下の（Ａ）から（Ｊ）の処理の一部あるいは全部を実行する。
（Ａ）もしタイマーＴ３１０が走っていれば、タイマーＴ３１０を停止する
（Ｂ）もしタイマーＴ３１２が走っていれば、タイマーＴ３１２を停止する
（Ｃ）もしタイマーＴ３１３が走っていれば、タイマーＴ３１３を停止する
（Ｃ）もしタイマーＴ３１４が走っていれば、タイマーＴ３１４を停止する
（Ｄ）タイマーＴ３１１を開始する
（Ｅ）ＳＲＢ０以外のすべてのＲＢを休止（Ｓｕｓｐｅｎｄ）する
（Ｆ）ＭＡＣをリセットする
（Ｇ）もし設定されていればＭＣＧのＳＣｅｌｌを解放する
（Ｈ）デフォルトの物理チャネル設定を適用する
（Ｉ）ＭＣＧに対してデフォルトのＭＡＣの主設定を適用する
（Ｊ）セル選択手順を実行する
【０２０５】
次に、ＵＥ１２２がハンドオーバの処理において、ターゲットセルにＲＲＣ接続再設定完了メッセージまたはＲＲＣ再設定完了メッセージを送信した後に、ハンドオーバ後のＭＣＧ（Ｔａｒｇｅｔ  ＭＣＧ、またはＣｕｒｒｅｎｔ  ＭＣＧとも称する）と、ハンドオーバ元のＭＣＧ（Ｓｏｕｒｃｅ  ＭＣＧ）との両方のセルグループを介してデータ送受信する場合（Ｄｕａｌ  ｐｒｏｔｏｃｏｌ  ｓｔａｃｋで動作する場合）が検討されている。その場合の処理の一例を示す。なお、以下の処理は、Ｄｕａｌ  ｐｒｏｔｏｃｏｌ  ｓｔａｃｋの場合に限定されるものではなく、その他の場合にも適用できる。
【０２０６】
まず、ＵＥ１２２のＲＲＣ層処理部は、Ｓｏｕｒｃｅ  ＭＣＧのＳｐＣｅｌｌであるプライマリセルにおいて、特定の条件（第１の条件）下ではＳｏｕｒｃｅ  ＭＣＧのタイマーＴ３０４が走っているか否かに関わらず、Ｓｏｕｒｃｅ  ＭＣＧの物理層処理部から通知される同期外を既定回数（Ｎ３１０回）連続して受け取った場合にＳｏｕｒｃｅ  ＭＣＧのタイマー（Ｔ３１０）を開始（Ｓｔａｒｔ）あるいは再開始（Ｒｅｓｔａｒｔ）してよい。また、ＵＥ１２２のＲＲＣ層処理部は、Ｓｏｕｒｃｅ  ＭＣＧの物理層処理部から既定回数（Ｎ３１１回）連続して同期中を受け取った場合にタイマー（Ｔ３１０）を停止（Ｓｔｏｐ）してよい。また、前記タイマーＴ３１０を開始または再開始する判断において、Ｓｏｕｒｃｅ  ＭＣＧのタイマーＴ３００、Ｓｏｕｒｃｅ  ＭＣＧのタイマーＴ３０１、およびＳｏｕｒｃｅ  ＭＣＧのタイマーＴ３１１の何れも走っていないことを条件に加えてもよい。
【０２０７】
ＵＥ１２２のＲＲＣ層処理部は、以下の（Ａ）から（Ｅ）の何れかの条件を満たすとき、Ｓｏｕｒｃｅ  ＭＣＧにおいて無線リンク失敗が検出されたと判断する。
（Ａ）Ｓｏｕｒｃｅ  ＭＣＧのタイマーＴ３１０が満了（Ｅｘｐｉｒｅ）したとき
（Ｂ）Ｓｏｕｒｃｅ  ＭＣＧのタイマーＴ３１２が満了したとき
（Ｃ）Ｓｏｕｒｃｅ  ＭＣＧの、タイマーＴ３００、タイマーＴ３０１、タイマーＴ３０４、およびタイマーＴ３１１の何れも走っていないときに、Ｓｏｕｒｃｅ  ＭＣＧのＭＡＣエンティティからランダムアクセス問題の通知（インディケーション）を受け取ったとき
（Ｄ）第１の条件下で、Ｓｏｕｒｃｅ  ＭＣＧのタイマーＴ３０４が走っているときに、ランダムアクセス問題の通知をＳｏｕｒｃｅ  ＭＣＧのＭＡＣエンティティから受け取ったとき
（Ｅ）ＳＲＢまたはＤＲＢの再送が最大再送回数に達したことを示す通知をＳｏｕｒｃｅ  ＭＣＧのＲＬＣ層から受け取ったとき
【０２０８】
第１の条件は、ＵＥ１２２にｍａｋｅＢｅｆｏｒｅＢｒｅａｋ−ｒ１６が設定されていることであってもよい。
【０２０９】
また、第１の条件は、ＵＥ１２２にｍａｋｅＢｅｆｏｒｅＢｒｅａｋ−ｒ１４、またはｍａｋｅＢｅｆｏｒｅＢｒｅａｋ−ｒ１６の何れか設定されていることであってもよい。
【０２１０】
また、前記条件（Ｅ）は、以下の（Ｅ２）であってもよい。
（Ｅ２）Ｓｏｕｒｃｅ  ＭＣＧの、タイマーＴ３００、タイマーＴ３０１、タイマーＴ３０４、およびタイマーＴ３１１の何れも走っていないときに、ＳＲＢまたはＤＲＢの再送が最大再送回数に達したことを示す通知をＳｏｕｒｃｅ  ＭＣＧのＲＬＣ層から受け取ったとき、または第１の条件下で、タイマーＴ３０４が走っているときに、ＳＲＢまたはＤＲＢの再送が最大再送回数に達したことを示す通知をＳｏｕｒｃｅ  ＭＣＧのＲＬＣ層から受け取ったとき
【０２１１】
ＵＥ１２２は、Ｓｏｕｒｃｅ  ＭＣＧにおいて無線リンク失敗が検出されたと判断すると、Ｓｏｕｒｃｅ  ＭＣＧのＳＲＢおよび／またはＤＲＢの一部または全部の送信を休止（Ｓｕｓｐｅｎｄ）し、Ｓｏｕｒｃｅ  ＭＣＧのＭＡＣエンティティをリセットしてよい。
【０２１２】
ＵＥ１２２は、Ｃｕｒｒｅｎｔ  ＭＣＧにおいて、ｍａｋｅＢｅｆｏｒｅＢｒｅａｋ−ｒ１６が設定されたときに、当該ＭＣＧをＳｏｕｒｃｅ  ＭＣＧであるとみなしてよい。
【０２１３】
また、ＵＥ１２２は、ハンドオーバ先のセルにおいて、ＰＤＣＣＨによって最初の上りリンクのグラントが割り当てられたときに、ハンドオーバ元のＭＣＧをＳｏｕｒｃｅ  ＭＣＧであるとみなしてもよい。
【０２１４】
また、ＵＥ１２２は、ＲＲＣ再設定完了メッセージを送信したときに、ハンドオーバ元のＭＣＧをＳｏｕｒｃｅ  ＭＣＧであるとみなしてもよい。
【０２１５】
また、ＵＥ１２２は、ＵＥ衝突解決識別子ＭＡＣ制御要素（ＵＥ  ｃｏｎｔｅｎｔｉｏｎ  ｒｅｓｏｌｕｔｉｏｎ  ｉｄｅｎｔｉｔｙ  ＭＡＣ  ｃｏｎｔｒｏｌ  ｅｌｅｍｅｎｔ）をＴａｒｇｅｔ  ｇＮＢから受信したときに、ハンドオーバ元のＭＣＧをＳｏｕｒｃｅ  ＭＣＧであるとみなしてもよい。
【０２１６】
また、ＵＥ１２２は、Ｃｕｒｒｅｎｔ  ＭＣＧにおいて、ｍａｋｅＢｅｆｏｒｅＢｒｅａｋ−ｒ１６が設定されたときに、すでにＳｏｕｒｃｅ  ＭＣＧが存在する場合には、このＭＣＧを解放し、Ｃｕｒｒｅｎｔ  ＭＣＧを新たなＳｏｕｒｃｅ  ＭＣＧとみなしてよい。
【０２１７】
このように、Ｓｏｕｒｃｅ  ＭＣＧの無線リンク失敗の検出の処理と、Ｃｕｒｒｅｎｔ
ＭＣＧの無線リンク失敗の検出の処理とを識別することにより、ＭＢＢ−ＨＯにおける不要な再確立処理を防ぐことができ、効率的なモビリティを実現することができる。
【０２１８】
ＭＢＢ−ＨＯの動作の一例について説明する。ここでは、ＮＲにおいて、同期付再設定情報要素を含んだＣｅｌｌＧｒｏｕｐＣｏｎｆｉｇを含むＲＲＣ再設定メッセージを用いる例を示す。なお、下記の各処理の説明において情報要素を受信する旨の記述があるが、特に断りのない限り、各処理のトリガとなったＲＲＣ再設定メッセージに情報要素が含まれることを意味してよい。また、各処理で用いられる情報要素は、特に説明のない限り、非特許文献１０で用いられる情報要素と対応付けられてよい。
【０２１９】
端末装置は、受信したＣｅｌｌＧｒｏｕｐＣｏｎｆｉｇ情報要素に基づいて処理Ａを実行する。また、端末装置は、受信したｍａｓｔｅｒＫｅｙＵｐｄａｔｅ情報要素に基づいて処理Ｌを実行する。また、端末装置は、受信したＲａｄｉｏＢｅａｒｅｒＣｏｎｆｉｇ情報要素に基づいて処理Ｉを実行する。
【０２２０】
なお、以下に記載の各処理の各項目にはインデントと符号が付与されている。例えば、処理Ａ、処理Ｂ、処理Ｃ、処理Ｈは、それぞれ図１６、図１７、図１８、図１９に示されるフローとなるように解釈するが、それ以外の処理も、同様に解釈する。
【０２２１】
（処理Ａ）受信したＣｅｌｌＧｒｏｕｐＣｏｎｆｉｇ情報要素に基づいて以下の処理を実行（Ｐｅｒｆｏｒｍ）する。
（Ａ−０）もし、ＣｅｌｌＧｒｏｕｐＣｏｎｆｉｇが、同期付再設定情報を含むＳｐＣｅｌｌの設定情報（ｓｐＣｅｌｌＣｏｎｆｉｇ情報要素）を含み、同期付再設定情報にこのＲＲＣ再設定がＭＢＢ−ＨＯであることを示す情報（例えばＭａｋｅＢｅｆｏｒｅＢｒｅａｋ−ｒ１６）が含まれるなら、
（Ａ−０−１）現在の端末装置の設定（ソースの設定）を複製してターゲットの設定として、以下に続く処理は、特に明示しない限り、複製したターゲットの設定に対して実行されてよい。例えば、各処理の「現在の端末装置の設定」とは、ＭＢＢ−ＨＯである場合、「現在の端末装置のターゲットの設定」であるとみなしてよい。また、例えば、複製する設定には、（１）ベアラに関する設定（例えばＳＲＢに関する設定、ＤＲＢに関する設定など）、（２）セルグループの設定（例えばＳｐＣｅｌｌの設定、ＳＣｅｌｌの設定、各エンティティの設定など）、（３）端末装置内部で保持している変数（測定設定（ＶａｒＭｅａｓＣｏｎｆｉｇ）や測定結果（ＶａｒＭｅａｓＲｅｐｏｒｔＬｉｓｔ）、タイマー、カウンターなど）、（４）セキュリティに関する設定（例えば、各鍵）、の一部または全部が含まれてよい。また、複製するベアラの設定にはＳＲＢに関する設定を含まないようにしてもよい。すなわち、ＤＲＢに関してはソースの設定とターゲットの設定の両方を管理し、ＳＲＢに関しては、設定を複製せずに、ソースの設定からターゲットの設定に設定を切り替えてもよい。また、ＳＲＢ設定を複製するか否かを判断可能な情報が、同期付再設定を含むＲＲＣ再設定メッセージに含まれてもよい。例えば、ＭａｋｅＢｅｆｏｒｅＢｒｅａｋ−ｒ１６に前記情報が含まれてもよい。
（Ａ−１）もし、ＣｅｌｌＧｒｏｕｐＣｏｎｆｉｇが、同期付再設定情報を含むＳｐＣｅｌｌの設定情報（ｓｐＣｅｌｌＣｏｎｆｉｇ情報要素）を含むなら
（Ａ−１−１）後述する処理Ｂを実行する。
（Ａ−１−２）もしサスペンドされた状態であれば、すべてのサスペンドされた無線ベアラをリジュームし、すべての無線ベアラに対するＳＣＧでの送信をリジュームする。
（Ａ−２）もし、ＣｅｌｌＧｒｏｕｐＣｏｎｆｉｇが、解放するＲＬＣベアラのリスト（ｒｌｃ−ＢｅａｒｅｒＴｏＲｅｌｅａｓｅＬｉｓｔ情報要素）を含むなら
（Ａ−２−１）後述する処理Ｃを実行する。
（Ａ−３）もし、ＣｅｌｌＧｒｏｕｐＣｏｎｆｉｇが、追加および／または変更するＲＬＣベアラのリスト（ｒｌｃ−ＢｅａｒｅｒＴｏＡｄｄＭｏｄＬｉｓｔ情報要素）を含むなら、
（Ａ−３−１）後述する処理Ｄを実行する。
（Ａ−４）もし、ＣｅｌｌＧｒｏｕｐＣｏｎｆｉｇが、当該セルグループのＭＡＣの設定（ｍａｃ−ＣｅｌｌＧｒｏｕｐＣｏｎｆｉｇ情報要素）を含むなら、
（Ａ−４−１）このセルグループのＭＡＣエンティティを後述する処理Ｅで設定（Ｃｏｎｆｉｇ）する。なお、本発明の各実施形態において、端末装置がＲＲＣメッセージに含まれる情報要素を用いて「設定する」とは、情報要素に含まれる情報を端末装置の設定に適用することであってよい。
（Ａ−５）もし、ＣｅｌｌＧｒｏｕｐＣｏｎｆｉｇが、解放するＳＣｅｌｌのリスト（ｓＣｅｌｌＴｏＲｅｌｅａｓｅＬｉｓｔ情報要素）を含むなら
（Ａ−５−１）後述する処理ＦでＳＣｅｌｌの解放を実行する。
（Ａ−６）もし、ＣｅｌｌＧｒｏｕｐＣｏｎｆｉｇが、ＳｐＣｅｌｌの設定情報（ｓｐＣｅｌｌＣｏｎｆｉｇ情報要素）を含むなら、
（Ａ−６−１）ＳｐＣｅｌｌを後述する処理Ｇで設定する。
（Ａ−７）もし、ＣｅｌｌＧｒｏｕｐＣｏｎｆｉｇが、追加および／または変更するＳＣｅｌｌのリスト（ｓＣｅｌｌＴｏＡｄｄＭｏｄＬｉｓｔ情報要素）を含むなら
（Ａ−７−１）後述する処理ＨでＳＣｅｌｌの追加および／または変更を実行する。
【０２２２】
（処理Ｂ）
（Ｂ−１）もし、ＡＳのセキュリティがアクティベートされていなければ、ＲＲＣ＿ＩＤＬＥへ遷移する処理を実行して処理Ｂを終了する。
（Ｂ−２）もし走っていれば、対応するＳｐＣｅｌｌのタイマーＴ３１０を停止する。
（Ｂ−３）同期付再設定に含まれるｔ３０４のタイマー値で、対応するＳｐＣｅｌｌのタイマーＴ３０４をスタートする。
（Ｂ−４）もし、周波数情報（ｆｒｅｑｕｅｎｃｙＩｎｆｏＤＬ）が含まれていれば、
（Ｂ−４−１）ターゲットのＳｐＣｅｌｌを、ｆｒｅｑｕｅｎｃｙＩｎｆｏＤＬで示されるＳＳＢ周波数で、同期付再設定に含まれる物理セル識別子情報（ｐｈｙｓＣｅｌｌＩｄ）で示される物理セル識別子のセルであるとみなす。
（Ｂ−５）そうでなければ、
（Ｂ−５−１）ターゲットのＳｐＣｅｌｌを、ソースのＳｐＣｅｌｌのＳＳＢ周波数で、同期付再設定に含まれる物理セル識別子情報（ｐｈｙｓＣｅｌｌＩｄ）で示される物理セル識別子のセルであるとみなす。
（Ｂ−６）ターゲットのＳｐＣｅｌｌの下りリンクへの同期を開始する。
（Ｂ−７）既定のＢＣＣＨ設定を適用する。
（Ｂ−８）必要であれば、報知情報の一つであるマスターインフォメーションブロック（ＭＩＢ）を取得する。
（Ｂ−９）もし、同期付再設定に、ＭＢＢ−ＨＯであることを示す情報が含まれるなら、
（Ｂ−９−１）もし、ターゲットとなるセルグループにＭＡＣエンティティが存在しなければ、
（Ｂ−９−１−１）ターゲットとなるセルグループのＭＡＣエンティティ（単にターゲットのＭＡＣエンティティとも称する）を生成する。
（Ｂ−９−２）ターゲットのＭＡＣエンティティに対して、既定の（デフォルトの）ＭＡＣセルグループ設定を適用する。
（Ｂ−９−３）もし設定されていれば、ターゲットのセルグループのＳＣｅｌｌ
を非アクティベート状態（Ｄｅａｃｔｉｖａｔｅｄ状態）とみなす。
（Ｂ−９−４）ｎｅｗＵＥ−Ｉｄｅｎｔｉｔｙの値をターゲットのセルグループのＣ−ＲＮＴＩとして適用する。
（Ｂ−１０）そうでなければ、
（Ｂ−１０−１）このセルグループのＭＡＣエンティティをリセットする。
（Ｂ−１０−２）もし設定されていれば、このセルグループのＳＣｅｌｌを非アクティベート状態（Ｄｅａｃｔｉｖａｔｅｄ状態）とみなす。
（Ｂ−１０−３）ｎｅｗＵＥ−Ｉｄｅｎｔｉｔｙの値をこのセルグループのＣ−ＲＮＴＩとして適用する。
（Ｂ−１１）同期付再設定に含まれるＳｐＣｅｌｌの設定（ｓｐＣｅｌｌＣｏｎｆｉｇＣｏｍｍｏｎ）に基づいて下位レイヤを設定する。
（Ｂ−１２）必要であれば、同期付再設定に含まれるその他の情報に基づいて下位レイヤを設定する
【０２２３】
（処理Ｃ）
（Ｃ−１ａ）現在の端末装置の設定の一部であり、ｒｌｃ−ＢｅａｒｅｒＴｏＲｅｌｅａｓｅＬｉｓｔに含まれる論理チャネル識別子（ｌｏｇｉｃａｌＣｈａｎｎｅｌＩｄｅｎｔｉｔｙ）の値のそれぞれに対して、または
（Ｃ−１ｂ）ＳＣＧの解放の結果として、解放される論理チャネル識別子の値のそれぞれに対して、
（Ｃ−１−１）対応する論理チャネルと、論理チャネルに紐づけられているＲＬＣエンティティを解放する。
【０２２４】
（処理Ｄ）
受信したｒｌｃ−ＢｅａｒｅｒＴｏＡｄｄＭｏｄＬｉｓｔ情報要素に含まれるＲＬＣベアラの設定（ＲＬＣ−ＢｅａｒｅｒＣｏｎｆｉｇ）のそれぞれに対して以下の処理を実行する。
（Ｄ−１）もし、現在の端末装置の設定に、受信した論理チャネル識別子のＲＬＣベアラが含まれるなら、
（Ｄ−１−１）もし、ＲＬＣを再確立することを示す情報（ｒｅｅｓｔａｂｌｉｓｈＲＬＣ）を受信したなら、
（Ｄ−１−１−１）ＲＬＣエンティティを再確立する
（Ｄ−１−２）受信したＲＬＣの設定（ｒｌｃ−Ｃｏｎｆｉｇ）にしたがって、ＲＬＣエンティティを再設定する。
（Ｄ−１−３）受信したＭＡＣ論理チャネル設定（ｍａｃ−ＬｏｇｉｃａｌＣｈａｎｎｅｌＣｏｎｆｉｇ）にしたがって、論理チャネルを再設定する。
（Ｄ−２）そうでなければ、
（Ｄ−２−１）もし、ＳＲＢに対する論理チャネル識別子とＲＬＣの設定が含まれなければ、
（Ｄ−２−１−１）既定（デフォルト）の設定にしたがって、ＲＬＣエンティティを確立する。
（Ｄ−２−２）そうでなければ、
（Ｄ−２−２−１）受信したＲＬＣの設定（ｒｌｃ−Ｃｏｎｆｉｇ）にしたがって、ＲＬＣエンティティを確立する。
（Ｄ−２−３）もし、ＳＲＢに対する論理チャネル識別子とＭＡＣ論理チャネル設定が含まれなければ、
（Ｄ−２−３−１）既定（デフォルト）の設定にしたがって、論理チャネルに対応するＭＡＣエンティティを設定する。
（Ｄ−２−４）そうでなければ、
（Ｄ−２−４−１）受信したＭＡＣ論理チャネル設定にしたがって、論理チ
ャネルに対応するＭＡＣエンティティを設定する。
（Ｄ−２−５）ＲＬＣベアラの設定に含まれる無線ベアラの識別子情報（ｓｅｒｖｅｄＲａｄｉｏＢｅａｒｅｒ）に基づいて、この論理チャネルとＰＤＣＰエンティティとを対応付ける。
【０２２５】
（処理Ｅ）
（Ｅ−１）もし、ＣｅｌｌＧｒｏｕｐＣｏｎｆｉｇによる再設定対象がＳＣＧであり、ＳＣＧ  ＭＡＣが現在の端末装置の設定の一部でないなら、
（Ｅ−１−１）ＳＣＧ  ＭＡＣエンティティを生成する。
（Ｅ−２）タイミングアドバンスグループ（ＴＡＧ）の追加、修正、および／または解放に関する設定を除くＭＡＣセルグループ設定（ｍａｃ−Ｃｅｌｌ）にしたがって、セルグループのＭＡＣの主設定（ＭＡＣ  ｍａｉｎ  ｃｏｎｆｉｇｕｒａｔｉｏｎ）を再設定する。
（Ｅ−３）もし受信したＭＡＣセルグループ設定がＴＡＧの解放に関する情報（ｔａｇ−ＴｏＲｅｌｅａｓｅＬｉｓｔ）を含むなら、
（Ｅ−３−１）ｔａｇ−ＴｏＲｅｌｅａｓｅＬｉｓｔに含まれるＴＡＧの識別子が現在の端末装置の設定の一部であるなら、それぞれのＴＡＧの識別子に対して、ＴＡＧの識別子で示されるＴＡＧを解放する。
（Ｅ−４）もし受信したＭＡＣセルグループ設定がＴＡＧの追加および／または修正に関する情報（ｔａｇ−ＴｏＡｄｄＭｏｄＬｉｓｔ）を含むなら、
（Ｅ−４−１）ｔａｇ−ＴｏＡｄｄＭｏｄＬｉｓｔに含まれるＴＡＧの識別子が現在の端末装置の設定の一部でないなら、それぞれのＴＡＧの識別子に対して、
（Ｅ−４−１−１）受信したタイミングアドバンスタイマーにしたがってＴＡＧの識別子に対応するＴＡＧを追加する。
（Ｅ−４−２）ｔａｇ−ＴｏＡｄｄＭｏｄＬｉｓｔに含まれるＴＡＧの識別子が現在の端末装置の設定の一部であるなら、それぞれのＴＡＧの識別子に対して、
（Ｅ−４−２−１）受信したタイミングアドバンスタイマーにしたがってＴＡＧの識別子に対応するＴＡＧを再設定する。
【０２２６】
（処理Ｆ）
（Ｆ−１）もし、解放がＳＣｅｌｌの解放リスト（ｓＣｅｌｌＴｏＲｅｌｅａｓｅＬｉｓｔ）を受信したことによってトリガされたものなら、
（Ｆ−１−１）ｓＣｅｌｌＴｏＲｅｌｅａｓｅＬｉｓｔに含まれるそれぞれのＳＣｅｌｌインデックス（ｓＣｅｌｌＩｎｄｅｘ）の値に対して、
（Ｆ−１−１−１）もし、現状の端末装置の設定がｓＣｅｌｌＩｎｄｅｘの値をもつＳＣｅｌｌを含むなら、
（Ｆ−１−１−１−１）そのＳＣｅｌｌを解放する。
【０２２７】
（処理Ｇ）
（Ｇ−１）もし、ＳｐＣｅｌｌ設定が無線リンク失敗（ＲＬＦ）に関するタイマーと定数の情報（ｒｌｆ−ＴｉｍｅｒｓＡｎｄＣｏｎｓｔａｎｔｓ）を含むなら、
（Ｇ−１−１）ｒｌｆ−ＴｉｍｅｒｓＡｎｄＣｏｎｓｔａｎｔｓにしたがって、このセルグループに対するＲＬＦのタイマーと定数を設定する。
（Ｇ−２）そうでなければ、もし、このセルグループにｒｌｆ−ＴｉｍｅｒｓＡｎｄＣｏｎｓｔａｎｔｓが設定されていなければ、
（Ｇ−２−１）システム情報で受信したタイマーおよび定数の値を用いて、このセルグループに対するＲＬＦのタイマーと定数を設定する。
（Ｇ−３）もし、ＳｐＣｅｌｌ設定が、個別ＳｐＣｅｌｌ設定（ｓｐＣｅｌｌＣｏｎｆｉｇＤｅｄｉｃａｔｅｄ）を含むなら、
（Ｇ−３−１）ｓｐＣｅｌｌＣｏｎｆｉｇＤｅｄｉｃａｔｅｄにしたがって、Ｓ
ｐＣｅｌｌを設定する。
（Ｇ−３−２）もし設定されていれば、最初のアクティブな上りリンクのＢＷＰ（Ｂａｎｄｗｉｄｔｈ  ｐａｒｔ）の識別子（ｆｉｒｓｔＡｃｔｉｖｅＵｐｌｉｎｋＢＷＰ−Ｉｄ）で示されるＢＷＰをアクティブな上りリンクＢＷＰであるとみなす。
（Ｇ−３−３）もし設定されていれば、最初のアクティブな下りリンクのＢＷＰ（Ｂａｎｄｗｉｄｔｈ  ｐａｒｔ）の識別子（ｆｉｒｓｔＡｃｔｉｖｅＤｏｗｎｌｉｎｋＢＷＰ−Ｉｄ）で示されるＢＷＰをアクティブな下りリンクＢＷＰであるとみなす。
（Ｇ−３−４）もし、受信した個別ＳｐＣｅｌｌ設定によって、無線リンクモニタリングに用いられる参照信号が再設定されるなら、
（Ｇ−３−４−１）もし走っていれば、ＳｐＣｅｌｌに対応するタイマーＴ３１０を停止する。
（Ｇ−３−４−２）カウンターＮ３１０およびＮ３１１を停止する。
【０２２８】
（処理Ｈ）
（Ｈ−１）ｓＣｅｌｌＴｏＡｄｄＭｏｄＬｉｓｔに含まれるｓＣｅｌｌＩｎｄｅｘの値のうち、現在の端末装置の設定の一部でないそれぞれの値に対して、
（Ｈ−１−１）ｓＣｅｌｌＩｎｄｅｘに対応するＳＣｅｌｌを追加する。
（Ｈ−１−２）下位レイヤに対して、ＳＣｅｌｌを非アクティベート状態とみなすよう設定する。
（Ｈ−１−３）測定設定を保持する変数（ＶａｒＭｅａｓＣｏｎｆｉｇ）の測定識別子のリスト（ｍｅａｓＩｄＬｉｓｔ）の測定識別子のそれぞれに対して、
（Ｈ−１−３−１ａ）もし、ＳＣｅｌｌが、測定識別子に対応した測定に適用できない、かつ
（Ｈ−１−３−１ｂ）もし、この測定識別子に対する測定報告を保持する変数（ＶａｒＭｅａｓＲｅｐｏｒｔＬｉｓｔ）で定義されたトリガされたセルのリスト（ｃｅｌｌｓＴｒｉｇｇｅｒｅｄＬｉｓｔ）にこのＳＣｅｌｌが含まれるなら、
（Ｈ−１−３−１−１）この測定識別子に対する測定報告を保持する変数（ＶａｒＭｅａｓＲｅｐｏｒｔＬｉｓｔ）で定義されたトリガセルのリスト（ｃｅｌｌｓＴｒｉｇｇｅｒｅｄＬｉｓｔ）からこのＳＣｅｌｌを削除する。
（Ｈ−２）ｓＣｅｌｌＴｏＡｄｄＭｏｄＬｉｓｔに含まれるｓＣｅｌｌＩｎｄｅｘの値のうち、現在の端末装置の設定の一部であるそれぞれの値に対して、
（Ｈ−２−１）ｓＣｅｌｌＩｎｄｅｘに対応するＳＣｅｌｌの設定を変更する。
【０２２９】
（処理Ｉ）
（Ｉ−１）もし、ＲａｄｉｏＢｅａｒｅｒＣｏｎｆｉｇがｓｒｂ３−ＴｏＲｅｌｅａｓｅを含むなら、
（Ｉ−１−１）ＳＲＢ３のＰＤＣＰエンティティとＳＲＢ識別子を解放する。
（Ｉ−２）もし、ＲａｄｉｏＢｅａｒｅｒＣｏｎｆｉｇがＳＲＢ−ＴｏＡｄｄＭｏｄＬｉｓｔを含むなら、
（Ｉ−２−１）ＳＲＢの追加および／または再設定を実行する。
（Ｉ−３）もし、ＲａｄｉｏＢｅａｒｅｒＣｏｎｆｉｇがｄｒｂ−ＴｏＲｅｌｅａｓｅＬｉｓｔを含むなら、
（Ｉ−３−１）後述する処理ＪでＤＲＢの解放を実行する。
（Ｉ−４）もし、ＲａｄｉｏＢｅａｒｅｒＣｏｎｆｉｇがＤＲＢ−ＴｏＡｄｄＭｏｄＬｉｓｔを含むなら、
（Ｉ−４−１）後述する処理ＫでＤＲＢの追加および／または再設定を実行する。
（Ｉ−５）ＤＲＢと対応付けられていないすべてのＳＤＡＰエンティティを解放して、解放したＳＤＡＰエンティティに対応付けられたＰＤＵセッションのユーザプレーンリソースの解放を上位レイヤに通知する。
【０２３０】
前記処理Ｉにおいて、ＭＢＢ−ＨＯの場合、ＳＲＢの追加、再設定、および／または解放の処理において、ソースの設定とターゲットの設定の二つの設定を管理して、ターゲットの設定に対して処理Ｉ−１と処理Ｉ−２を実行するのではなく、現在のＳＲＢ設定に対して処理Ｉ−１と処理Ｉ−２で再設定してもよい。すなわちＳＲＢは一つの設定を管理してもよい。この場合、ハンドオーバが失敗したときなどのために、リバートするための再設定前のソースのＳＲＢ設定を別途保持しておいてもよい。
【０２３１】
前記処理Ｉ−５として、ＭＢＢ−ＨＯの場合、ソースの設定のＤＲＢおよびターゲットの設定のＤＲＢの何れにも紐づけられていないすべてのＳＤＡＰエンティティを解放して、解放したＳＤＡＰエンティティに紐づけられたＰＤＵセッションのユーザプレーンリソースの解放を上位レイヤに通知するようにしてもよい。例えば、同期付再設定を含むＲＲＣ再設定メッセージに基づいてＭＢＢ−ＨＯを実行し、ターゲットのセルにおいて、ソースの設定を解放するメッセージ（例えばＲＲＣメッセージ、ＭＡＣ  ＣＥなど）を受信するまでは、ソースのＤＲＢおよびターゲットのＤＲＢの何れかあるいは両方に対応付けられたＳＤＡＰエンティティは解放せず、ソースの設定を解放するメッセージを受信してソースのＤＲＢが解放されたときに、（ターゲットの）ＤＲＢと紐づけられていないすべてのＳＤＡＰエンティティを解放して、解放したＳＤＡＰエンティティに紐づけられたＰＤＵセッションのユーザプレーンリソースの解放を上位レイヤに通知してもよい。
【０２３２】
（処理Ｊ）
（Ｊ−１ａ）現在の端末装置の設定の一部である、ｄｒｂ−ＴｏＲｅｌｅａｓｅＬｉｓｔに含まれるＤＲＢ識別子のそれぞれに対して、または
（Ｊ−１ｂ）フル設定の結果として解放されるＤＲＢ識別子のそれぞれに対して、
（Ｊ−１−１）ＰＤＣＰエンティティとＤＲＢ識別子を解放する。
（Ｊ−１−２）もし、このＤＲＢに紐づけられたＳＤＡＰエンティティが設定されているなら、
（Ｊ−１−２−１）このＤＲＢに紐づけられたＳＤＡＰに対してＤＲＢの解放を示す。
（Ｊ−１−３）もし、ＤＲＢがＥＰＳベアラの識別子と紐づけられているなら、
（Ｊ−１−３−１）もし、同じＥＰＳベアラ識別子で、新しいベアラが、ＮＲとＥ−ＵＴＲＡの何れでも加えられないなら、
（Ｊ−１−３−１−１）ＤＲＢの解放と、解放されたＤＲＢのＥＰＳベアラ識別子とを上位レイヤに通知する。
【０２３３】
前記処理Ｊ−１−３−１として、ＭＢＢ−ＨＯの場合、もし、同じＥＰＳベアラに対して、ソースとターゲットの何れの設定においても新しいベアラが加えられないなら、ＤＲＢの解放と、解放されたＤＲＢのＥＰＳベアラ識別子とを上位レイヤに通知するようにしてもよい。例えば、同期付再設定を含むＲＲＣ再設定メッセージに基づいてＭＢＢ−ＨＯを実行し、ターゲットのセルにおいて、ソースの設定を解放するメッセージ（例えばＲＲＣメッセージ、ＭＡＣ  ＣＥなど）を受信するまでは、同じＥＰＳベアラに対して、ソースとターゲットの何れかの設定においてもベアラ紐づけられているなら、ＤＲＢの解放と、解放されたＤＲＢのＥＰＳベアラ識別子とを上位レイヤに通知せず、ソースの設定を解放するメッセージを受信してソースのＤＲＢが解放されたときに、もし同じＥＰＳベアラ識別子で新しいベアラが、ＮＲとＥ−ＵＴＲＡの何れでも加えられないなら、ＤＲＢの解放と、解放されたＤＲＢのＥＰＳベアラ識別子とを上位レイヤに通知するようにしてもよい。
【０２３４】
（処理Ｋ）
（Ｋ−１）現在の端末装置の設定の一部でないＤＲＢ−ＴｏＡｄｄＭｏｄＬｉｓｔに
含まれるＤＲＢ識別子のそれぞれに対して、
（Ｋ−１−１）ＰＤＣＰエンティティを確立し、受信したＰＤＣＰ設定（ｐｄｃｐ−Ｃｏｎｆｉｇ）にしたがってＰＤＣＰエンティティを設定する。
（Ｋ−１−２）もし、このＤＲＢのＰＤＣＰエンティティが暗号化無効（ｃｉｐｈｅｒｉｎｇＤｉｓａｂｌｅｄ）で設定されていないなら、
（Ｋ−１−２−１ａ）もし、ハンドオーバのターゲットのＲＡＴがＥ−ＵＴＲＡ／５ＧＣである、または、
（Ｋ−１−２−１ｂ）もし、端末装置がＥ−ＵＴＲＡ／５ＧＣのみに接続するなら、
（Ｋ−１−２−１−１）非特許文献４の暗号化アルゴリズムと鍵設定を用いてＰＤＣＰエンティティを設定する。
（Ｋ−１−２−２）そうでなければ、
（Ｋ−１−２−２−１）セキュリティ設定（ｓｅｃｕｒｉｔｙＣｏｎｆｉｇ）にしたがった暗号化アルゴリズムでＰＤＣＰエンティティを設定し、マスター鍵（ＫｅＮＢまたはＫｇＮＢ）、またはセカンダリ鍵（Ｓ−ＫｇＮＢ）に紐づけられたパラメータ（ｋｅｙＴｏＵｓｅ）で示される鍵を適用する。
（Ｋ−１−３）もし、このＤＲＢのＰＤＣＰエンティティが整合性保護するよう設定されているなら、
（Ｋ−１−３−１）セキュリティ設定（ｓｅｃｕｒｉｔｙＣｏｎｆｉｇ）にしたがった整合性保護アルゴリズムでＰＤＣＰエンティティを設定し、マスター鍵（ＫｅＮＢまたはＫｇＮＢ）、またはセカンダリ鍵（Ｓ−ＫｇＮＢ）に紐づけられたパラメータ（ｋｅｙＴｏＵｓｅ）で示される鍵を適用する。
（Ｋ−１−４）もし、ＳＤＡＰ設定（ｓｄａｐ−Ｃｏｎｆｉｇ）が含まれるなら、
（Ｋ−１−４−１）もし、受信したＰＤＵセッションのＳＤＡＰが存在しないなら、
（Ｋ−１−４−１−１）ＳＤＡＰエンティティを確立する。
（Ｋ−１−４−１−２）もし、受信したＰＤＵセッションのＳＤＡＰが、この再設定の受信に先立って存在しなかったなら、
（Ｋ−１−４−１−２−１）そのＰＤＵセッションに対するユーザプレーンリソースの確立を上位レイヤに通知する。
（Ｋ−１−４−２）受信したＳＤＡＰ設定にしたがってＳＤＡＰエンティティを設定し、ＤＲＢとＳＤＡＰエンティティとを紐づける。
（Ｋ−１−５）もし、ＤＲＢがＥＰＳベアラ識別子と紐づけられているなら、
（Ｋ−１−５−１）もし、ＤＲＢが、ＮＲまたはＥ−ＵＴＲＡによって、同じＥＰＳベアラ識別子に、この再設定の受信に先立って設定されていたなら、
（Ｋ−１−５−１−１）確立したＤＲＢと対応するＥＰＳベアラ識別子とを紐づける。
（Ｋ−１−５−２）そうでなければ、
（Ｋ−１−５−２−１）ＤＲＢの確立と確立されたＤＲＢのＥＰＳベアラ識別子とを上位レイヤに通知する。
（Ｋ−２）現在の端末装置の設定の一部であるＤＲＢ−ＴｏＡｄｄＭｏｄＬｉｓｔに含まれるＤＲＢ識別子のそれぞれに対して、
（Ｋ−２−１）もし、パラメータｒｅｅｓｔａｂｌｉｓｈＰＤＣＰがセットされていたら
（Ｋ−２−１−１ａ）もし、ハンドオーバのターゲットのＲＡＴがＥ−ＵＴＲＡ／５ＧＣである、または、
（Ｋ−２−１−１ｂ）もし、端末装置がＥ−ＵＴＲＡ／５ＧＣのみに接続するなら、
（Ｋ−２−１−１−１）もし、このＤＲＢのＰＤＣＰエンティティが暗
号化無効（ｃｉｐｈｅｒｉｎｇＤｉｓａｂｌｅｄ）で設定されていないなら、
（Ｋ−２−１−１−１−１）非特許文献４の暗号化アルゴリズムと鍵設定を用いてＰＤＣＰエンティティを設定する。
（Ｋ−２−１−２）そうでなければ、
（Ｋ−２−１−２−１）もし、このＤＲＢのＰＤＣＰエンティティが暗号化無効（ｃｉｐｈｅｒｉｎｇＤｉｓａｂｌｅｄ）で設定されていないなら、
（Ｋ−２−１−２−１−１）セキュリティ設定（ｓｅｃｕｒｉｔｙＣｏｎｆｉｇ）にしたがった暗号化アルゴリズムでＰＤＣＰエンティティを設定し、マスター鍵（ＫｅＮＢまたはＫｇＮＢ）、またはセカンダリ鍵（Ｓ−ＫｇＮＢ）に紐づけられたパラメータ（ｋｅｙＴｏＵｓｅ）で示される鍵を適用する。
（Ｋ−２−１−２−２）もし、このＤＲＢのＰＤＣＰエンティティが整合性保護するよう設定されているなら、
（Ｋ−２−１−２−２−１）セキュリティ設定（ｓｅｃｕｒｉｔｙＣｏｎｆｉｇ）にしたがった整合性保護アルゴリズムでＰＤＣＰエンティティを設定し、マスター鍵（ＫｅＮＢまたはＫｇＮＢ）、またはセカンダリ鍵（Ｓ−ＫｇＮＢ）に紐づけられたパラメータ（ｋｅｙＴｏＵｓｅ）で示される鍵を適用する。
（Ｋ−２−１−３）もしｄｒｂ−ＣｏｎｔｉｎｕｅＲＯＨＣがｐｄｃｐ−Ｃｏｎｆｉｇに含まれるなら、
（Ｋ−２−１−３−１）下位レイヤにｄｒｂ−ＣｏｎｔｉｎｕｅＲＯＨＣが設定されていることを通知する。
（Ｋ−２−１−４）このＤＲＢのＰＤＣＰエンティティを再確立する。
（Ｋ−２−２）そうでなければ、もしｒｅｃｏｖｅｒＰＤＣＰがセットされているなら、
（Ｋ−２−２−１）このＤＲＢのＰＤＣＰエンティティに対するデータリカバリーの実行をトリガする。
（Ｋ−２−３）もし、ＰＤＣＰ設定が含まれるなら、
（Ｋ−２−３−１）受信したＰＤＣＰ設定にしたがって、ＰＤＣＰエンティティを再設定する。
（Ｋ−２−４）もし、ＳＤＡＰ設定が含まれるなら、
（Ｋ−２−４−１）受信したＳＤＡＰ設定にしたがって、ＳＤＡＰエンティティを再設定する。
（Ｋ−２−４−２）ｍａｐｐｅｄＱｏＳ−ＦｌｏｗｓＴｏＡｄｄで加えられたＱＦＩのそれぞれに対して、もし、ＱＦＩの値が設定されていたなら古いＤＲＢからＱＦＩの値が解放される。
【０２３５】
前記処理Ｋ−１−４−１−２として、ＭＢＢ−ＨＯの場合、もし、受信したＰＤＵセッションのＳＤＡＰが、この再設定の受信に先立ってソースの設定においてもターゲットの設定においても存在しなかったなら、そのＰＤＵセッションに対するユーザプレーンリソースの確立を上位レイヤに通知するようにしてもよい。または、前記処理Ｋ−１−４−１−２として、ＭＢＢ−ＨＯの場合、もし、受信したＰＤＵセッションのＳＤＡＰが、この再設定の受信に先立ってソースの設定において存在しなかったなら、そのＰＤＵセッションに対するユーザプレーンリソースの確立を上位レイヤに通知するようにしてもよい。
【０２３６】
前記処理Ｋ−１−５−２において、ＭＢＢ−ＨＯの場合、もし、ＤＲＢが、ＮＲまたはＥ−ＵＴＲＡによって、同じＥＰＳベアラ識別子に、この再設定の受信に先立って、ソースの設定においてもターゲットの設定においても設定されていなかったなら、ＤＲＢの確立と確立されたＤＲＢのＥＰＳベアラ識別子とを上位レイヤに通知するようにしてもよい。または、前記処理Ｋ−１−５−２において、ＭＢＢ−ＨＯの場合、もし、ＤＲＢが、ＮＲまたはＥ−ＵＴＲＡによって、同じＥＰＳベアラ識別子に、この再設定の受信に先立って、ソースの設定において設定されていなかったなら、ＤＲＢの確立と確立されたＤＲＢのＥＰＳベアラ識別子とを上位レイヤに通知するようにしてもよい。
【０２３７】
（処理Ｌ）
（Ｌ−１）もし、端末装置がＥ−ＵＴＲＡ／ＥＰＣに接続しているなら、
（Ｌ−１−１）もし、ｓｋ−Ｃｏｕｎｔｅｒを受信したら、
（Ｌ−１−１−１）Ｓ−ＫｇＮＢ鍵を、ＫｇＮＢ鍵および受信したｓｋ−Ｃｏｕｎｔｅｒとに基づき更新する。
（Ｌ−１−１−２）ＫＲＲＣｅｎｃ鍵およびＫＵＰｅｎｃ鍵を生成（Ｄｅｒｉｖｅ）する。ＫＲＲＣｅｎｃ鍵は、暗号化アルゴリズムでＫｇＮＢから生成されるＲＲＣ信号の保護に用いられる鍵である。また、ＫＵＰｅｎｃは、暗号化アルゴリズムでＫｇＮＢから生成されるユーザプレーンのトラフィック（ユーザデータ）の保護に用いられる鍵である。
（Ｌ−１−１−３）ＫＲＲＣｉｎｔ鍵およびＫＵＰｉｎｔ鍵をＫｇＮＢ鍵から生成する。ＫＲＲＣｉｎｔ鍵は、整合性アルゴリズムでＫｇＮＢから生成されるＲＲＣ信号の保護に用いられる鍵である。またＫＵＰｉｎｔは、整合性アルゴリズムでＫｇＮＢから生成されるユーザプレーンのトラフィック（ユーザデータ）の保護に用いられる鍵である。
（Ｌ−２）そうでなければ、
（Ｌ−１−２）もし、受信したｍａｓｔｅｒＫｅｙＵｐｄａｔｅにｎａｓ−Ｃｏｎｔａｉｎｅｒが含まれるなら、
（Ｌ−１−２−１）ｎａｓ−Ｃｏｎｔａｉｎｅｒを上位レイヤに転送（Ｆｏｒｗａｒｄ）する。
（Ｌ−１−３）もし、ｋｅｙＳｅｔＣｈａｎｇｅＩｎｄｉｃａｔｏｒが「真」であれば、
（Ｌ−１−３−１）ＫＡＭＦに基づいてＫｇＮＢを生成または更新する。
（Ｌ−１−４）そうでなければ、
（Ｌ−１−４−１）現在のＫｇＮＢ鍵またはＮｅｘｔＨｏｐ（ＮＨ）に基づいてＫｇＮＢ鍵を生成または更新する。
（Ｌ−１−５）ｎｅｘｔＨｏｐＣｈａｉｎｉｎｇＣｏｕｎｔの値をストアする。
（Ｌ−１−６）ＫｇＮＢ鍵に関連する鍵を以下のように生成する。
（Ｌ−１−６−１）もし、ＳｅｃｕｒｉｔｙＣｏｎｆｉｇにｓｅｃｕｒｉｔｙＡｌｇｏｒｉｔｈｍＣｏｎｆｉｇが含まれるなら、
（Ｌ−１−６−１−１）ｓｅｃｕｒｉｔｙＡｌｇｏｒｉｔｈｍＣｏｎｆｉｇに含まれるｃｉｐｈｅｒｉｎｇＡｌｇｏｒｉｔｈｍに紐づいたＫＲＲＣｅｎｃ鍵とＫＵＰｅｎｃ鍵をＫｇＮＢ鍵から生成する。
（Ｌ−１−６−１−２）ｓｅｃｕｒｉｔｙＡｌｇｏｒｉｔｈｍＣｏｎｆｉｇに含まれるｉｎｔｅｇｒｉｔｙＰｒｏｔＡｌｇｏｒｉｔｈｍに紐づいたＫＲＲＣｉｎｔ鍵とＫＵＰｉｎｔ鍵をＫｇＮＢ鍵から生成する。
（Ｌ−１−６−２）そうでなければ、
（Ｌ−１−６−２−１）現在のｃｉｐｈｅｒｉｎｇＡｌｇｏｒｉｔｈｍに紐づいたＫＲＲＣｅｎｃ鍵とＫＵＰｅｎｃ鍵をＫｇＮＢ鍵から生成する。
（Ｌ−１−６−２−２）現在のｉｎｔｅｇｒｉｔｙＰｒｏｔＡｌｇｏｒｉｔｈｍに紐づいたＫＲＲＣｉｎｔ鍵とＫＵＰｉｎｔ鍵をＫｇＮＢ鍵から生成する。
【０２３８】
ＭＢＢ−ＨＯの動作の一例について説明する。ここでは、ＬＴＥにおいて、モビリティ制御情報（ｍｏｂｉｌｉｔｙＣｏｎｔｒｏｌＩｎｆｏ）情報要素を含むＲＲＣ接続再設定メッセージを用いる例を示す。なお、下記の各処理の説明において情報要素を受信する旨の記述があるが、特に断りのない限り、各処理のトリガとなったＲＲＣ接続再設定メッセージに情報要素が含まれることを意味してよい。また、各処理で用いられる情報要素は、特に説明のない限り、非特許文献４で用いられる情報要素と対応付けられてよい。
【０２３９】
端末装置は、ｍｏｂｉｌｉｔｙＣｏｎｔｒｏｌＩｎｆｏを含むＲＲＣ接続再設定メッセージを受信し、端末装置がこのメッセージに含まれる設定に応じることができるなら、次の処理ＬＡを実行する。
【０２４０】
（処理ＬＡ）
（ＬＡ−１）ｍｏｂｉｌｉｔｙＣｏｎｔｒｏｌＩｎｆｏに含まれるｔ３０４のタイマー値を用いてタイマーＴ３０４をスタートする。
（ＬＡ−２）もし、ｃａｒｒｉｅｒＦｒｅｑが含まれるなら、
（ＬＡ−２−１）ｃａｒｒｉｅｒＦｒｅｑで示される周波数上の物理セル識別子がｔａｒｇｅｔＰｈｙｓＣｅｌｌＩｄで示されるセルをターゲットのＰＣｅｌｌとみなす。
（ＬＡ−３）そうでなければ、
（ＬＡ−３−１）ソースのＰＣｅｌｌの周波数上の物理セル識別子がｔａｒｇｅｔＰｈｙｓＣｅｌｌＩｄで示されるセルをターゲットのＰＣｅｌｌとみなす。
（ＬＡ−４）ターゲットのＰＣｅｌｌの下りリンクへの同期を開始する。
（ＬＡ−５）もし、ｍａｋｅＢｅｆｏｒｅＢｒｅａｋが設定されているなら、
（ＬＡ−５−１）端末装置が、ソースセルとの上りリンク送信および／または下りリンク受信を停止した後で、ＭＡＣのリセットを含むそれ以降のこのプロシージャの残りの処理を実行する。
（ＬＡ−６）もし、ｍａｋｅＢｅｆｏｒｅＢｒｅａｋ−ｒ１６が設定されているなら、
（ＬＡ−６−１）現在の端末装置の設定（ソースの設定）を複製してターゲットの設定として、以下に続く再設定の処理は、特に明示しない限り、複製したターゲットの設定に対して実行されてよい。例えば、各処理の「現在の端末装置の設定」とは、ＭＢＢ−ＨＯである場合、「現在の端末装置のターゲットの設定」であるとみなしてよい。また、例えば、複製する設定には、（１）ベアラの設定（例えばＳＲＢ設定、ＤＲＢの設定など）、（２）セルグループの設定（例えばＳｐＣｅｌｌの設定、ＳＣｅｌｌの設定、ＲＬＣエンティティの設定、ＭＡＣエンティティの設定、ＰＨＹの設定など）、（３）内部変数（測定設定（ＶａｒＭｅａｓＣｏｎｆｉｇ）や測定結果（ＶａｒＭｅａｓＲｅｐｏｒｔＬｉｓｔ）、タイマー、カウンターなど）、（４）セキュリティに関する設定（例えば、各鍵）、の一部または全部が含まれてよい。また、複製するベアラの設定にはＳＲＢ設定を含まないようにしてもよい。すなわち、ＤＲＢに関してはソースの設定とターゲットの設定の両方を管理し、ＳＲＢに関しては、設定を複製せずに、ソースの設定からターゲットの設定に設定を切り替えてもよい。また、ＳＲＢ設定を複製するか否かを判断可能な情報が、ｍｏｂｉｌｉｔｙＣｏｎｔｒｏｌＩｎｆｏを含むＲＲＣ接続再設定メッセージに含まれてもよい。例えば、ＭａｋｅＢｅｆｏｒｅＢｒｅａｋ−ｒ１６に前記情報含まれてもよい。
（ＬＡ−７）もし設定されているなら、ＭＣＧのＭＡＣとＳＣＧのＭＡＣをリセットする。ＭａｋｅＢｅｆｏｒｅＢｒｅａｋ−ｒ１６が設定されている場合はソースのＭＣＧのＭＡＣとＳＣＧのＭＡＣはリセットしないようにしてもよい。あるいは、ＭａｋｅＢｅｆｏｒｅＢｒｅａｋ−ｒ１６が設定されている場合、ここではソースのＭＡＣはリセットせず、ターゲットのＭＡＣをリセットしてよい。
（ＬＡ−８）ＰＤＣＰ設定で設定され、確立されているすべての無線ベアラに対してＰＤＣＰを再確立する。ＭａｋｅＢｅｆｏｒｅＢｒｅａｋ−ｒ１６が設定されている場合、ＰＤＣＰの再確立はターゲットのＰＤＣＰのみに適用される。あるいは、後述するＳｉｎｇｌｅ  ＰＤＣＰの場合、ＭａｋｅＢｅｆｏｒｅＢｒｅａｋ−ｒ１６が設定されていれば、ターゲットの無線ベアラが紐づけられるＰＤＣＰがすでに存在する場合、ＰＤＣＰの確立および／または再確立は行なわないようにしてもよい。すなわち、ＭａｋｅＢｅｆｏｒｅＢｒｅａｋ−ｒ１６が設定されていれば、ターゲットの無線ベアラに紐づけられるＰＤＣＰが存在しない場合、ＰＤＣＰの確立および／または再確立を行なうようにしてもよい。
（ＬＡ−９）確立されているすべての無線ベアラに対して、もし設定されていればＭＣＧのＲＬＣとＳＣＧのＲＬＣを再確立する。
（ＬＡ−１０）ｎｅｗＵＥ−Ｉｄｅｎｔｉｔｙの値をＣ−ＲＮＴＩとして適用する。
（ＬＡ−１１）受信したセル共通の無線リソース設定（ｒａｄｉｏＲｅｓｏｕｒｃｅＣｏｎｆｉｇＣｏｍｍｏｎ）にしたがって、下位レイヤを設定する。
（ＬＡ−１２）受信したｍｏｂｉｌｉｔｙＣｏｎｔｒｏｌＩｎｆｏに含まれるその他の情報にしたがって、下位レイヤを設定する。
（ＬＡ−１３）もし、受信したＲＲＣ接続再設定メッセージがｓＣｅｌｌＴｏＲｅｌｅａｓｅＬｉｓｔを含むなら、
（ＬＡ−１３−１）ＳＣｅｌｌの解放を実行する。
（ＬＡ−１４）もし、受信したＲＲＣ接続再設定メッセージがｓＣｅｌｌＧｒｏｕｐＴｏＲｅｌｅａｓｅＬｉｓｔを含むなら、
（ＬＡ−１４−１）ＳＣｅｌｌグループの解放を実行する。
（ＬＡ−１５ａ）もし、受信したＲＲＣ接続再設定メッセージがｓｃｇ−Ｃｏｎｆｉｇｕｒａｔｉｏｎを含むか、
（ＬＡ−１５ｂ）もし、現在の端末装置の設定が一つ以上の分割ＤＲＢ（Ｓｐｌｉｔ
ＤＲＢ）を含み、受信したＲＲＣ接続再設定メッセージがＤＲＢ−ＴｏＡｄｄＭｏｄＬｉｓｔを含むなら、
（ＬＡ−１５−１）ＳＣＧの再設定を実行する。
（ＬＡ−１６）もし、受信したＲＲＣ接続再設定メッセージが端末装置固有の無線リソース設定（ｒａｄｉｏＲｅｓｏｕｒｃｅＣｏｎｆｉｇＤｅｄｉｃａｔｅｄ）を含むなら、
（ＬＡ−１６−１）後述する処理ＬＢで無線リソース設定を実行する。
（ＬＡ−１７）もし、ＲＲＣ接続再設定メッセージにセキュリティ設定（ｓｅｃｕｒｉｔｙＣｏｎｆｉｇＨＯ−ｖ１５３０）が含まれているなら、
（ＬＡ−１７−１）もし、ｎａｓ−Ｃｏｎｔａｉｎｅｒが受信されたら、
（ＬＡ−１７−１−１）ｎａｓ−Ｃｏｎｔａｉｎｅｒを上位レイヤに転送する。
（ＬＡ−１７−２）もし、ｋｅｙＣｈａｎｇｅＩｎｄｉｃａｔｏｒ−ｒ１５が受信され、ｋｅｙＣｈａｎｇｅＩｎｄｉｃａｔｏｒ−ｒ１５が「真」であれば、
（ＬＡ−１７−２−１）ＫＡＭＦ鍵に基づいてＫｅＮＢ鍵を更新する。
（ＬＡ−１７−３）そうでなければ、
（ＬＡ−１７−３−１）現在のＫｅＮＢまたはＮｅｘｔＨｏｐ（ＮＨ）に基づいてＫｅＮＢ鍵を更新する。
（ＬＡ−１７−４）ｎｅｘｔＨｏｐＣｈａｉｎｉｎｇＣｏｕｎｔ−ｒ１５の値をストアする。
（ＬＡ−１７−５）もし、ｓｅｃｕｒｉｔｙＡｌｇｏｒｉｔｈｍＣｏｎｆｉｇ−ｒ１５が受信されたら、
（ＬＡ−１７−５−１）受信したｉｎｔｅｇｒｉｔｙＰｒｏｔＡｌｇｏｒｉｔｈｍに紐づけられたＫＲＲＣｉｎｔ鍵を生成する。
（ＬＡ−１７−５−２）受信したｃｉｐｈｅｒｉｎｇＡｌｇｏｒｉｔｈｍに紐づけられたＫＲＲＣｅｎｃ鍵とＫＵＰｅｎｃ鍵を生成する。ＫＲＲＣｅｎｃ鍵は、暗号化アルゴリズムでＫｅＮＢ鍵から生成されるＲＲＣ信号の保護に用いられる鍵である。また、ＫＵＰｅｎｃは、暗号化アルゴリズムでＫｅＮＢ鍵から生成されるユーザプレーンのトラフィック（ユーザデータ）の保護に用いられる鍵である。
（ＬＡ−１７−６）そうでなければ、
（ＬＡ−１７−６−１）現在のｉｎｔｅｇｒｉｔｙＰｒｏｔＡｌｇｏｒｉｔｈｍに紐づけられたＫＲＲＣｉｎｔ鍵をＫｅＮＢ鍵から生成する。
（ＬＡ−１７−６−２）現在のｃｉｐｈｅｒｉｎｇＡｌｇｏｒｉｔｈｍに紐づけられたＫＲＲＣｅｎｃ鍵とＫＵＰｅｎｃ鍵をＫｅＮＢ鍵から生成する。
（ＬＡ−１８）もし、受信したＲＲＣ接続再設定メッセージがｓＣｅｌｌＴｏＡｄｄＭｏｄＬｉｓｔを含むなら、
（ＬＡ−１８−１）ＳＣｅｌｌの追加および／または修正を実行する。
（ＬＡ−１９）もし、受信したＲＲＣ接続再設定メッセージがｓＣｅｌｌＧｒｏｕｐＴｏＡｄｄＭｏｄＬｉｓｔを含むなら、
（ＬＡ−１９−１）ＳＣｅｌｌグループの追加および／または修正を実行する。
（ＬＡ−２０）もし、受信したＲＲＣ接続再設定メッセージがｍｅａｓＣｏｎｆｉｇを含むなら、
（ＬＡ−２０−１）測定設定を実行する。
（ＬＡ−２１）測定識別子の自動削除を実行する。
（ＬＡ−２２）ＲＲＣ接続再設定完了メッセージを送信のために下位レイヤに提出する。
（ＬＡ−２３）もし、ＭＡＣがランダムアクセス手順に成功したら、
（ＬＡ−２３−１）タイマーＴ３０４を停止して、このプロシージャを終了する。
【０２４１】
（処理ＬＢ）
（ＬＢ−１）もし、受信したｒａｄｉｏＲｅｓｏｕｒｃｅＣｏｎｆｉｇＤｅｄｉｃａｔｅｄがＳＲＢ−ＴｏＡｄｄＭｏｄＬｉｓｔを含むなら、
（ＬＢ−１−１）後述する処理ＬＣでＳＲＢ追加および／または再設定を実行する。
（ＬＢ−２）もし、受信したｒａｄｉｏＲｅｓｏｕｒｃｅＣｏｎｆｉｇＤｅｄｉｃａｔｅｄがｄｒｂ−ＴｏＲｅｌｅａｓｅＬｉｓｔを含むなら、
（ＬＢ−２−１）後述する処理ＬＤでＤＲＢ解放を実行する。
（ＬＢ−３）もし、受信したｒａｄｉｏＲｅｓｏｕｒｃｅＣｏｎｆｉｇＤｅｄｉｃａｔｅｄがＤＲＢ−ＴｏＡｄｄＭｏｄＬｉｓｔを含むなら、
（ＬＢ−３−１）後述する処理ＬＥで、ＤＲＢの追加および／または再設定を実行する。
（ＬＢ−４）もし、受信したｒａｄｉｏＲｅｓｏｕｒｃｅＣｏｎｆｉｇＤｅｄｉｃａｔｅｄがｍａｃ−ＭａｉｎＣｏｎｆｉｇを含むなら、
（ＬＢ−４−１）後述する処理ＬＦで、ＭＡＣの主設定を実行する。
【０２４２】
（処理ＬＣ）
（ＬＣ−１）現在の端末装置の設定の一部でないＳＲＢ−ＴｏＡｄｄＭｏｄＬｉｓｔに含まれるＳＲＢ識別子のそれぞれに対して、
（ＬＣ−１−１）現在のセキュリティ設定でＰＤＣＰエンティティを確立する。
（ＬＣ−１−２）もし、値が「セットアップ」のｒｌｃ−ＢｅａｒｅｒＣｏｎｆｉｇＳｅｃｏｎｄａｒｙを受信したなら、
（ＬＣ−１−２−１）受信したｒｌｃ−ＢｅａｒｅｒＣｏｎｆｉｇＳｅｃｏｎｄａｒｙにしたがってセカンダリＭＣＧ  ＲＬＣエンティティを確立し、ＤＣＣＨ論理チャネルと紐づける。
（ＬＣ−１−２−２）Ｅ−ＵＴＲＡのＰＤＣＰエンティティに対してデュプリケーションをアクティベートするように設定する。
（ＬＣ−２）現在の端末装置の設定の一部であるＳＲＢ−ＴｏＡｄｄＭｏｄＬｉｓｔに含まれるＳＲＢ識別子のそれぞれに対して、
（ＬＣ−２−１）もし、ｐｄｃｐ−ｖｅｒＣｈａｎｇｅが含まれるなら、（すなわちＮＲ  ＰＤＣＰからＥ−ＵＴＲＡ  ＰＤＣＰへの変更であるなら）
（ＬＣ−２−１−１）現在のセキュリティ設定でＥ−ＵＴＲＡのＰＤＣＰエ
ンティティを確立する。
（ＬＣ−２−１−２）このＳＲＢのプライマリＲＬＣと確立したＰＤＣＰエンティティとを紐づける。
（ＬＣ−２−１−３）このＳＲＢのＮＲ  ＰＤＣＰを解放する。
（ＬＣ−２−２）受信したｒｌｃ−Ｃｏｎｆｉｇにしたがって、プライマリＲＬＣエンティティを再設定する。
（ＬＣ−２−３）受信した論理チャネル設定（ｌｏｇｉｃａｌＣｈａｎｎｅｌＣｏｎｆｉｇ）にしたがって、プライマリＤＣＣＨ論理チャネルを再設定する。
（ＬＣ−２−４）もし、「解放」を値に持つｒｌｃ−ＢｅａｒｅｒＣｏｎｆｉｇＳｅｃｏｎｄａｒｙが含まれるなら、
（ＬＣ−２−４−１）セカンダリＭＣＧ  ＲＬＣエンティティと、それに紐づけられたＤＣＣＨ論理チャネルとを解放する。
（ＬＣ−２−５）もし、「セットアップ」を値に持つｒｌｃ−ＢｅａｒｅｒＣｏｎｆｉｇＳｅｃｏｎｄａｒｙを受信したなら、
（ＬＣ−２−５−１）もし、現状のＳＲＢ設定にセカンダリＲＬＣベアラが含まれていないなら、
（ＬＣ−２−５−１−１）受信したｒｌｃ−ＢｅａｒｅｒＣｏｎｆｉｇＳｅｃｏｎｄａｒｙにしたがってセカンダリＭＣＧ  ＲＬＣエンティティを確立し、ＤＣＣＨ論理チャネルと紐づける。
（ＬＣ−２−５−１−２）Ｅ−ＵＴＲＡのＰＤＣＰエンティティに対してデュプリケーションをアクティベートするように設定する。
（ＬＣ−２−５−２）そうでなければ、
（ＬＣ−２−５−２−１）受信したｒｌｃ−ＢｅａｒｅｒＣｏｎｆｉｇＳｅｃｏｎｄａｒｙにしたがってセカンダリＭＣＧ  ＲＬＣエンティティを再設定して、ＤＣＣＨ論理チャネルと紐づける。
【０２４３】
（処理ＬＤ）
（ＬＤ−１ａ）現在の端末装置の設定の一部であるｄｒｂ−ＴｏＲｅｌｅａｓｅＬｉｓｔに含まれるＤＲＢ識別子のそれぞれに対して、または、
（ＬＤ−２ｂ）フル設定の結果として解放されるＤＲＢ識別子の値のそれぞれに対して、
（ＬＤ−２−１）もし、このＤＲＢの解放がフル設定の結果なら、
（ＬＤ−２−１−１）Ｅ−ＵＴＲＡまたはＮＲのＰＤＣＰエンティティを解放する。
（ＬＤ−２−２）そうでなければ、もし、ＤＲＢがＰＤＣＰ設定を伴って設定されているなら、
（ＬＤ−２−２−１）Ｅ−ＵＴＲＡのＰＤＣＰエンティティを解放する。
（ＬＤ−２−３）そうでなければ、
（ＬＤ−２−３−１）このＤＲＢに対するＲＬＣエンティティを再確立する。
（ＬＤ−２−４）ＲＬＣエンティティを解放する。
（ＬＤ−２−５）ＤＴＣＨ論理チャネルを解放する。
（ＬＤ−２−６）もし、端末装置がＥＰＣに接続しているなら、
（ＬＤ−２−６−１）もし、ＤＲＢがＰＤＣＰ設定を伴って設定されており、かつ新しいＤＲＢが、ＤＲＢ−ＴｏＡｄｄＭｏｄＬｉｓｔ、ｎｒ−ｒａｄｉｏＢｅａｒｅｒＣｏｎｆｉｇ１、またはｎｒ−ｒａｄｉｏＢｅａｒｅｒＣｏｎｆｉｇ２の何れによっても同じＥＰＳベアラ識別子で追加されないなら、
（ＬＤ−２−６−１−１）もし、このプロシージャがハンドオーバによってトリガされたものであれば、
（ＬＤ−２−６−１−１−１）ハンドオーバ成功の後で、ＤＲＢの
解放と、解放されたＤＲＢのＥＰＳベアラ識別子とを上位レイヤに通知する。
（ＬＤ−２−６−１−２）そうでなければ、
（ＬＤ−２−６−１−２−１）ただちにＤＲＢの解放と、解放されたＤＲＢのＥＰＳベアラ識別子とを上位レイヤに通知する。
【０２４４】
（処理ＬＥ）
（ＬＥ−１）現在の端末装置の設定の一部でないＤＲＢ−ＴｏＡｄｄＭｏｄＬｉｓｔに含まれるＤＲＢ識別子のそれぞれに対して、
（ＬＥ−１−１）もしＤＲＢ−ＴｏＡｄｄＭｏｄＬｉｓｔＳＣＧが受信されていない、またはＤＲＢ−ＴｏＡｄｄＭｏｄＬｉｓｔＳＣＧにＤＲＢ識別子の値が含まれないなら、
（ＬＥ−１−１−１）もし、ｐｄｃｐ−Ｃｏｎｆｉｇが含まれるなら、ｐｄｃｐ−ＣｏｎｆｉｇにしたがってＰＤＣＰエンティティを確立し、現在のＭＣＧのセキュリティ設定でそれを設定する。
（ＬＥ−１−１−２）もし、ｒｌｃ−Ｃｏｎｆｉｇが含まれるなら、ｒｌｃ−ＣｏｎｆｉｇにしたがってＭＣＧ  ＲＬＣを確立する。
（ＬＥ−１−１−３）もし、論理チャネル識別子（ｌｏｇｉｃａｌＣｈａｎｎｅｌＩｄｅｎｔｉｔｙ）と論理チャネル設定（ｌｏｇｉｃａｌＣｈａｎｎｅｌＣｏｎｆｉｇ）とが含まれるなら、ｌｏｇｉｃａｌＣｈａｎｎｅｌＩｄｅｎｔｉｔｙとｌｏｇｉｃａｌＣｈａｎｎｅｌＣｏｎｆｉｇにしたがって、ＭＣＧ  ＤＴＣＨ論理チャネルを確立する。
（ＬＥ−１−１−４）もし、「セットアップ」を値に持つｒｌｃ−ＢｅａｒｅｒＣｏｎｆｉｇＳｅｃｏｎｄａｒｙが含まれるなら、
（ＬＥ−１−１−４−１）ｒｌｃ−ＢｅａｒｅｒＣｏｎｆｉｇＳｅｃｏｎｄａｒｙにしたがって、セカンダリＭＣＧ  ＲＬＣエンティティを確立し、ＤＴＣＨ論理チャネルと紐づける。そして、確立したＲＬＣエンティティを現在の端末装置の設定にある同じＤＲＢ識別子の値をもつＥ−ＵＴＲＡ  ＰＤＣＰに紐づける。
（ＬＥ−１−２）もし、ＤＲＢが同じＥＰＳベアラ識別子で設定されていたなら、
（ＬＥ−１−２−１）確立したＤＲＢをそのＥＰＳベアラ識別子に紐づける。
（ＬＥ−１−３）そうでなければ、もし、ＤＲＢ−ＴｏＡｄｄＭｏｄＬｉｓｔのエントリーがｐｄｃｐ−ｃｏｎｆｉｇを含んでいるなら、（すなわち、Ｅ−ＵＴＲＡのＰＤＣＰでベアラが確立されるなら）、
（ＬＥ−１−３−１）ＤＲＢの確立と、確立されたＤＲＢのＥＰＳベアラ識別子とを上位レイヤに通知する。
（ＬＥ−２）現在の端末装置の設定の一部であるＤＲＢ−ＴｏＡｄｄＭｏｄＬｉｓｔに含まれるＤＲＢ識別子のそれぞれに対して、
（ＬＥ−２−１）含まれる設定にしたがって各レイヤおよび／またはベアラを再設定する。
【０２４５】
（処理ＬＦ）
（ＬＦ−１）セカンダリタイミングアドバンスグループ（ＳＴＡＧ）の追加、修正、および／または解放に関する設定を除く、ＭＡ主設定情報要素（ｍａｃ−ＭａｉｎＣｏｎｆｉｇ）にしたがってＭＡＣの主設定（ＭＡＣ  ｍａｉｎ  ｃｏｎｆｉｇｕｒａｔｉｏｎ）を再設定する。
（ＬＦ−２）もし受信したｍａｃ−ＭａｉｎＣｏｎｆｉｇがＳＴＡＧの解放に関する情報（ｓｔａｇ−ＴｏＲｅｌｅａｓｅＬｉｓｔ）を含むなら、
（ＬＦ−２−１）ｓｔａｇ−ＴｏＲｅｌｅａｓｅＬｉｓｔに含まれるＳＴＡＧの識別子が現在の端末装置の設定の一部であるなら、それぞれのＳＴＡＧの識別子に対して
、ＳＴＡＧの識別子で示されるＳＴＡＧを解放する。
（ＬＦ−３）もし受信したｍａｃ−ＭａｉｎＣｏｎｆｉｇが、ＳＴＡＧの追加および／または修正に関する情報（ｓｔａｇ−ＴｏＡｄｄＭｏｄＬｉｓｔ）を含むなら、
（ＬＦ−３−１）ｓｔａｇ−ＴｏＡｄｄＭｏｄＬｉｓｔに含まれるＳＴＡＧの識別子が現在の端末装置の設定の一部でないなら、それぞれのＴＡＧの識別子に対して、
（ＬＦ−３−１−１）受信したｔｉｍｅＡｌｉｇｎｍｅｎｔＴｉｍｅｒＳＴＡＧにしたがってＳＴＡＧの識別子に対応するＳＴＡＧを追加する。
（ＬＦ−３−２）ｓｔａｇ−ＴｏＡｄｄＭｏｄＬｉｓｔに含まれるＳＴＡＧの識別子が現在の端末装置の設定の一部であるなら、それぞれのＳＴＡＧの識別子に対して、
（ＬＦ−３−２−１）受信したｔｉｍｅＡｌｉｇｎｍｅｎｔＴｉｍｅｒＳＴＡＧにしたがってＳＴＡＧの識別子に対応するＳＴＡＧを再設定する。
【０２４６】
ＭＢＢ−ＨＯの動作の別の一例について説明する。ここでは、ＮＲにおいて、条件付ハンドオーバ設定を含むＲＲＣ再設定メッセージを用いる例を示す。
【０２４７】
例えば、基地局装置が送信するＲＲＣメッセージに条件付ハンドオーバ情報要素が含まれてよい。条件付ハンドオーバ情報要素は同期付再設定情報要素に含まれる情報を含む情報要素（条件付ハンドオーバ設定）を一つ以上含むリストを含んでよい。また、条件付ハンドオーバ情報要素は、条件付ハンドオーバ設定の各々あるいは一部あるいは全部に対して、条件付ハンドオーバ設定を適用する条件を示す情報要素（条件付ハンドオーバ条件）を含んでよい。
【０２４８】
条件付ハンドオーバ設定には、ＲａｄｉｏＢｅａｒｅｒＣｏｎｆｉｇ、およびＣｅｌｌＧｒｏｕｐＣｏｎｆｉｇに含まれる情報の一部または全部が含まれてよい。また、条件付ハンドオーバ設定には、ＭＢＢ−ＨＯであることを示す情報が含まれてもよい。また、条件付ハンドオーバ条件には、参照信号を用いて条件を満たすか判断するための閾値情報が含まれてもよい。また、条件付ハンドオーバ条件には、条件付ハンドオーバ設定を直ちに適用することを指示する情報が含まれてもよい。例えば、条件付ハンドオーバ条件が条件付ハンドオーバ設定を直ちに適用することを指示する情報を示し、条件付ハンドオーバ設定にＭＢＢ−ＨＯであることを示す情報が入っている場合、条件付ハンドオーバ設定に含まれる情報に基づいて、前記処理Ａ，および処理Ｉを実行することにより、ＭＢＢ−ＨＯを実現することができる。もちろん、条件付ハンドオーバ条件が他の条件である場合であっても、当該条件を満たす場合に、条件付ハンドオーバ設定に含まれる情報に基づいて、前記処理Ａ，および処理Ｉを実行することにより、条件付きのＭＢＢ−ＨＯを実現することができる。
【０２４９】
前記ＮＲのＭＢＢ−ＨＯにおいて、端末装置は、ソースとターゲットで共通のＰＤＣＰ（Ｓｉｎｇｌｅ  ＰＤＣＰ）の構成をとってよい。
【０２５０】
例えば、コアネットワークが５ＧＣの場合、ソースの設定において、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢとＰＤＣＰエンティティとＰＤＵセッションとが紐づけられる。同様に、ターゲットの設定においても、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢ（またはＳＲＢ）とＰＤＣＰエンティティとＰＤＵセッションとが紐づけられる。この場合、例えば、ソースの設定とターゲットの設定とで同一のＤＲＢ識別子（またはＳＲＢ識別子）に紐づけられた論理チャネル、ＤＲＢ（またはＳＲＢ）、および／またはＲＬＣベアラが一つのＰＤＣＰに紐づけられてもよい。また、例えば、ソースの設定とターゲットの設定とで同一のＰＤＵセッションに紐づけられた論理チャネル、ＤＲＢ（またはＳＲＢ）、および／またはＲＬＣベアラが一つのＰＤＣＰに紐づけられてもよい。
【０２５１】
例えば、コアネットワークが５ＧＣの場合、ソースの設定において、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢとＰＤＣＰエンティティとＰＤＵセッションとが紐づけられる。同様に、ターゲットの設定においても、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢ（またはＳＲＢ）とＰＤＣＰエンティティとＰＤＵセッションとが紐づけられる。この場合、例えば、ソースの設定とターゲットの設定とで同一のＤＲＢ識別子（またはＳＲＢ識別子）に紐づけられた論理チャネル、ＤＲＢ（またはＳＲＢ）、および／またはＲＬＣベアラが一つのＳＤＡＰに紐づけられてもよい。
【０２５２】
また、例えば、コアネットワークがＥＰＣの場合、ソースの設定において、ＤＲＢ（またはＳＲＢ）とＰＤＣＰエンティティと論理チャネルとＲＬＣエンティティ（および／またはＲＬＣベアラ）とＥＰＳベアラとが紐づけられる。同様に、ターゲットの設定においても、ＤＲＢ（またはＳＲＢ）とＰＤＣＰエンティティと論理チャネルとＲＬＣエンティティ（および／またはＲＬＣベアラ）とＥＰＳベアラとが紐づけられる。この場合、例えば、ソースの設定とターゲットの設定とで同一のＤＲＢ識別子（またはＳＲＢ識別子）に紐づけられた論理チャネル、ＲＬＣエンティティ（および／またはＲＬＣベアラ）が一つのＰＤＣＰエンティティに紐づけられてもよい。また、例えば、ソースの設定とターゲットの設定とで同一のＥＰＳベアラ識別子に紐づけられた論理チャネル、ＲＬＣエンティティ（および／またはＲＬＣベアラ）、ＤＲＢ（またはＳＲＢ）が一つのＰＤＣＰに紐づけられてもよい。
【０２５３】
上記の場合、端末装置は一つのＰＤＣＰに紐づけられるソースとターゲットのＰＤＣＰ設定が同一であるとみなしてもよい。または、端末装置はターゲットのＰＤＣＰ設定をソースのＰＤＣＰ設定に適用してもよい。
【０２５４】
また、同一のＤＲＢ識別子を持つソースのＤＲＢ（またはＳＲＢ）とターゲットのＤＲＢが一つのＰＤＣＰエンティティに紐づけられる場合、ソースとターゲットのセキュリティ鍵（例えばＫＵＰｅｎｃ、ＫＵＰｉｎｔ、ＫＲＲＣｅｎｃ、および／またはＫＲＲＣｉｎｔ、など）が異なるため、一つのＰＤＣＰエンティティにおいて、複数のセキュリティ鍵を管理する。
【０２５５】
ＭＢＢ−ＨＯの動作の別の一例について説明する。ここでは、ＬＴＥにおいて、条件付ハンドオーバ設定を含むＲＲＣ接続再設定メッセージを用いる例を示す。
【０２５６】
例えば、基地局装置が送信するＲＲＣメッセージに条件付ハンドオーバ情報要素が含まれてよい。条件付ハンドオーバ情報要素はｍｏｂｉｌｉｔｙＣｏｎｔｒｏｌＩｎｆｏ情報要素に含まれる情報を含む情報要素（条件付ハンドオーバ設定）を一つ以上含むリストを含んでよい。また、条件付ハンドオーバ情報要素は、条件付ハンドオーバ設定の各々あるいは一部あるいは全部に対して、条件付ハンドオーバ設定を適用する条件を示す情報要素（条件付ハンドオーバ条件）を含んでよい。
【０２５７】
条件付ハンドオーバ設定には、セル共通の無線リソース設定（ｒａｄｉｏＢｅａｒｅｒＣｏｎｆｉｇＣｏｍｍｏｎ）、および端末装置固有の無線リソース設定（ｒａｄｉｏＢｅａｒｅｒＣｏｎｆｉｇＤｅｄｉｃａｔｅｄ）に含まれる情報の一部または全部が含まれてよい。また、条件付ハンドオーバ設定には、ＭＢＢ−ＨＯであることを示す情報（例えばＭａｋｅＢｅｆｏｒｅＢｒｅａｋ−ｒ１６）が含まれてもよい。また、条件付ハンドオーバ条件には、参照信号を用いて条件を満たすか判断するための閾値情報が含まれてもよい
。また、条件付ハンドオーバ条件には、条件付ハンドオーバ設定を直ちに適用することを指示する情報が含まれてもよい。例えば、条件付ハンドオーバ条件が条件付ハンドオーバ設定を直ちに適用することを指示する情報を示し、条件付ハンドオーバ設定にＭＢＢ−ＨＯであることを示す情報が入っている場合、条件付ハンドオーバ設定に含まれる情報に基づいて、前記処理ＬＡを実行することにより、ＭＢＢ−ＨＯを実現することができる。もちろん、条件付ハンドオーバ条件が他の条件である場合であっても、当該条件を満たす場合に、条件付ハンドオーバ設定に含まれる情報に基づいて、前記処理ＬＡを実行することにより、条件付きのＭＢＢ−ＨＯを実現することができる。
【０２５８】
前記ＬＴＥのＭＢＢ−ＨＯ（ＭａｋｅＢｅｆｏｒｅＢｒｅａｋ−ｒ１６）において、端末装置は、ソースとターゲットで共通のＰＤＣＰ（Ｓｉｎｇｌｅ  ＰＤＣＰ）の構成をとってよい。
【０２５９】
例えば、コアネットワークが５ＧＣの場合、ソースの設定において、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢとＰＤＣＰエンティティとＰＤＵセッションとが紐づけられる。同様に、ターゲットの設定においても、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢ（またはＳＲＢ）とＰＤＣＰエンティティとＰＤＵセッションとが紐づけられる。この場合、例えば、ソースの設定とターゲットの設定とで同一のＤＲＢ識別子（またはＳＲＢ識別子）に紐づけられた論理チャネル、ＤＲＢ（またはＳＲＢ）、および／またはＲＬＣベアラが一つのＰＤＣＰに紐づけられてもよい。また、例えば、ソースの設定とターゲットの設定とで同一のＰＤＵセッションに紐づけられた論理チャネル、ＤＲＢ（またはＳＲＢ）、および／またはＲＬＣベアラが一つのＰＤＣＰに紐づけられてもよい。
【０２６０】
例えば、コアネットワークが５ＧＣの場合、ソースの設定において、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢとＰＤＣＰエンティティとＰＤＵセッションとが紐づけられる。同様に、ターゲットの設定においても、ＲＬＣベアラ設定によって、論理チャネルとＤＲＢ（またはＳＲＢ）とＲＬＣベアラとが紐づけられ、さらにｄｒｂ−ＴｏＡｄｄＭｏｄによって、ＤＲＢ（またはＳＲＢ）とＰＤＣＰエンティティとＰＤＵセッションとが紐づけられる。この場合、例えば、ソースの設定とターゲットの設定とで同一のＤＲＢ識別子（またはＳＲＢ識別子）に紐づけられた論理チャネル、ＤＲＢ（またはＳＲＢ）、および／またはＲＬＣベアラが一つのＳＤＡＰに紐づけられてもよい。
【０２６１】
また、例えば、コアネットワークがＥＰＣの場合、ソースの設定において、ＤＲＢ（またはＳＲＢ）とＰＤＣＰエンティティと論理チャネルとＲＬＣエンティティ（および／またはＲＬＣベアラ）とＥＰＳベアラとが紐づけられる。同様に、ターゲットの設定においても、ＤＲＢ（またはＳＲＢ）とＰＤＣＰエンティティと論理チャネルとＲＬＣエンティティ（および／またはＲＬＣベアラ）とＥＰＳベアラとが紐づけられる。この場合、例えば、ソースの設定とターゲットの設定とで同一のＤＲＢ識別子（またはＳＲＢ識別子）に紐づけられた論理チャネル、ＲＬＣエンティティ（および／またはＲＬＣベアラ）が一つのＰＤＣＰエンティティに紐づけられてもよい。また、例えば、ソースの設定とターゲットの設定とで同一のＥＰＳベアラ識別子に紐づけられた論理チャネル、ＲＬＣエンティティ（および／またはＲＬＣベアラ）、ＤＲＢ（またはＳＲＢ）が一つのＰＤＣＰに紐づけられてもよい。
【０２６２】
上記の場合、端末装置は一つのＰＤＣＰに紐づけられるソースとターゲットのＰＤＣＰ設定が同一であるとみなしてもよい。または、端末装置はターゲットのＰＤＣＰ設定をソ
ースのＰＤＣＰ設定に適用してもよい。
【０２６３】
また、同一のＤＲＢ識別子を持つソースのＤＲＢとターゲットのＤＲＢ（またはＳＲＢ）が一つのＰＤＣＰエンティティに紐づけられる場合、ソースとターゲットのセキュリティ鍵（例えばＫＵＰｅｎｃ）が異なるため、一つのＰＤＣＰエンティティにおいて、複数のセキュリティ鍵を管理する。
【０２６４】
なお、ターゲットへの接続が完了するまでにターゲットの何れの層を生成するか、あるいは生成しないかを示す情報がＭａｋｅＢｅｆｏｒｅＢｒｅａｋ−ｒ１６に含まれてもよい。
【０２６５】
図１０は、図４におけるＥＵＴＲＡのＲＲＣ接続再設定メッセージを示すＡＳＮ．１記述の一例である。また、図１１は、図４におけるＥＵＴＲＡのＲＲＣ接続再設定メッセージを示すＡＳＮ．１記述の別の一例である。また、図１２は、図４におけるＮＲのＲＲＣ再設定メッセージを示すＡＳＮ．１記述の一例である。また、図１３は、図４におけるＮＲのＲＲＣ再設定メッセージを示すＡＳＮ．１記述の別の一例である。
【０２６６】
図１０および図１１においてｍｏｂｉｌｉｔｙＣｏｎｔｒｏｌＩｎｆｏで表される情報要素は、ネットワーク制御のＥＵＴＲＡへのモビリティに関するパラメータを含む情報要素である。ｍｏｂｉｌｉｔｙＣｏｎｔｒｏｌＩｎｆｏで表される情報要素には以下の（Ａ）から（Ｈ）の情報の一部あるいは全部が含まれてよい。
（Ａ）ターゲットの物理セル識別子
（Ｂ）タイマーＴ３０４の開始から満了までの時間の情報を示すｔ３０４
（Ｃ）ＵＥ１２２の新しい識別子（Ｃ−ＲＮＴＩ）を示すｎｅｗＵＥ−Ｉｄｅｎｔｉｔｙ
（Ｄ）無線リソース設定
（Ｅ）デディケーテッドなランダムアクセスチャネルの設定
（Ｆ）既存の（Ｒｅｌｅａｓｅ１４の）メイクビフォアブレイクハンドオーバを設定するパラメータであるｍａｋｅＢｅｆｏｒｅＢｒｅａｋ−ｒ１４
（Ｇ）ＲＡＣＨ−ｌｅｓｓハンドオーバを設定するパラメータであるｒａｃｈ−Ｓｋｉｐ−ｒ１４
（Ｈ）本実施形態のメイクビフォアブレイクハンドオーバを設定するパラメータであるｍａｋｅＢｅｆｏｒｅＢｒｅａｋ−ｒ１６
【０２６７】
図１０は、ｍａｋｅＢｅｆｏｒｅＢｒｅａｋ−ｒ１６が列挙型である例を示し、図１１は、ｍａｋｅＢｅｆｏｒｅＢｒｅａｋ−ｒ１６が情報要素のＭａｋｅＢｅｆｏｒｅＢｒｅａｋ−ｒ１６を値として持ち、情報要素のＭａｋｅＢｅｆｏｒｅＢｒｅａｋ−ｒ１６が複数のフィールドを持つ例を示す。
【０２６８】
図１２および図１３において同期付再設定で表される情報要素は、例えば、ＰＣｅｌｌのハンドオーバや、ＰＳＣｅｌｌの追加や変更に関するパラメータを含む情報要素である。同期付再設定で表される情報要素には以下の（Ａ）から（Ｆ）の情報の一部あるいは全部が含まれてよい。
（Ａ）ＳｐＣｅｌｌの設定
（Ｂ）タイマーＴ３０４の開始から満了までの時間の情報を示すｔ３０４
（Ｃ）ＵＥ１２２の新しい識別子（ＲＮＴＩ）を示すｎｅｗＵＥ−Ｉｄｅｎｔｉｔｙ
（Ｄ）デディケーテッドなランダムアクセスチャネルの設定
（Ｅ）本実施形態のメイクビフォアブレイクハンドオーバを設定するパラメータであるｍａｋｅＢｅｆｏｒｅＢｒｅａｋ−ｒ１６
（Ｆ）ＲＡＣＨ−ｌｅｓｓハンドオーバを設定するパラメータであるｒａｃｈ−Ｓｋ
ｉｐ−ｒ１６
【０２６９】
図１２は、ｍａｋｅＢｅｆｏｒｅＢｒｅａｋ−ｒ１６が列挙型である例を示し、図１３は、ｍａｋｅＢｅｆｏｒｅＢｒｅａｋ−ｒ１６が情報要素のＭａｋｅＢｅｆｏｒｅＢｒｅａｋ−ｒ１６を値として持ち、情報要素のＭａｋｅＢｅｆｏｒｅＢｒｅａｋ−ｒ１６が複数のフィールドを持つ例を示す。
【０２７０】
また、図１０から図１３に示す一部、又は全てのフィールドは、オプショナルであっても良い。すなわち図１０から図１３に示すフィールドは条件に応じてメッセージに含まれてもよい。
【０２７１】
図５は本発明の各実施の形態における端末装置（ＵＥ１２２）の構成を示すブロック図である。なお、説明が煩雑になることを避けるために、図５では、本発明と密接に関連する主な構成部のみを示す。
【０２７２】
図５に示すＵＥ１２２は、基地局装置よりＲＲＣメッセージ等を受信する受信部５００、及び受信したメッセージに含まれる各種情報要素（ＩＥ：Ｉｎｆｏｒｍａｔｉｏｎ  Ｅｌｅｍｅｎｔ）、各種フィールド、及び各種条件等の内のいずれかまたは全ての設定情報に従って処理を行う処理部５０２、および基地局装置にＲＲＣメッセージ等を送信する送信部５０４から成る。上述の基地局装置とは、ｅＮＢ１０２である場合もあるし、ｇＮＢ１０８である場合もある。また、処理部５０２には様々な層（例えば、物理層、ＭＡＣ層、ＲＬＣ層、ＰＤＣＰ層、ＲＲＣ層、およびＮＡＳ層）の機能の一部または全部が含まれてよい。すなわち、処理部５０２は、物理層処理部、ＭＡＣ層処理部、ＲＬＣ層処理部、ＰＤＣＰ層処理部、ＲＲＣ層処理部、およびＮＡＳ層処理部の一部または全部が含まれてよい。
【０２７３】
図６は本発明の各実施の形態における基地局装置の構成を示すブロック図である。なお、説明が煩雑になることを避けるために、図６では、本発明と密接に関連する主な構成部のみを示す。上述の基地局装置とは、ｅＮＢ１０２である場合もあるし、ｇＮＢ１０８である場合もある。
【０２７４】
図６に示す基地局装置は、ＵＥ１２２へＲＲＣメッセージ等を送信する送信部６００、及び各種情報要素（ＩＥ：Ｉｎｆｏｒｍａｔｉｏｎ  Ｅｌｅｍｅｎｔ）、各種フィールド、及び各種条件等の内のいずれかまたは全ての設定情報を含めたＲＲＣメッセージを作成し、ＵＥ１２２に送信する事により、ＵＥ１２２の処理部５０２に処理を行わせる処理部６０２、およびＵＥ１２２からＲＲＣメッセージ等を受信する受信部６０４を含んで構成される。また、処理部６０２には様々な層（例えば、物理層、ＭＡＣ層、ＲＬＣ層、ＰＤＣＰ層、ＲＲＣ層、およびＮＡＳ層）の機能の一部または全部が含まれてよい。すなわち、処理部６０２は、物理層処理部、ＭＡＣ層処理部、ＲＬＣ層処理部、ＰＤＣＰ層処理部、ＲＲＣ層処理部、およびＮＡＳ層処理部の一部または全部が含まれてよい。
【０２７５】
このように、本発明の実施の形態では、ＵＥ１２２のハンドオーバ時に効率的な通信を行う事ができる。
【０２７６】
上記説明において、「紐づけられた」、「対応付けられた」、「関連付けられた」等の表現は、互いに換言されてもよい。
【０２７７】
上記説明において、「ＭＢＢ−ＨＯの場合」とは、ＮＲにおいて、同期付再設定を含むＲＲＣ再設定を行う際に、ソースセルでのユーザデータの送信および／または受信を継続した状態でターゲットセルでの送信および／または受信を行なう場合であることであって
もよい。また、「ＭＢＢ−ＨＯの場合」とは、ＮＲにおいて、特定の情報要素（例えばＭａｋｅＢｅｆｏｒｅＢｒｅａｋ−ｒ１６情報要素）がＲＲＣ再設定メッセージに含まれる場合であることであってもよい。
【０２７８】
以下、本発明の実施形態における、端末装置および基地局装置の種々の態様について説明する。
【０２７９】
（１）本発明の第１の実施の様態は、端末装置であって、ＲＲＣ再設定メッセージを受信する受信部と、第１の設定を保持する処理部を備え、前記第１の設定には、サービングセルに関する情報と無線ベアラに関する情報とが含まれ、前記処理部は、前記ＲＲＣ再設定メッセージに第１の情報が含まれる場合、前記第１の設定の一部または全部を複製した第２の設定に対して前記ＲＲＣ再設定メッセージの設定を適用し、前記ＲＲＣ再設定メッセージに第１の情報が含まれない場合、前記第１の設定に対して前記ＲＲＣ再設定メッセージの設定を適用する。
【０２８０】
（２）本発明の第２の実施の様態は、端末装置と通信する基地局装置であって、ＲＲＣ再設定メッセージを送信する送信部と、前記ＲＲＣ再設定メッセージを生成する処理部を備え、前記端末装置の保持する第１の設定には、サービングセルに関する情報と無線ベアラに関する情報とが含まれ、前記処理部は、前記ＲＲＣ再設定メッセージに第１の情報を含ませることで、前記第１の設定の一部または全部を複製した第２の設定に対して前記ＲＲＣ再設定メッセージの設定を適用させ、前記ＲＲＣ再設定メッセージに第１の情報が含ませないことで、前記第１の設定に対して前記ＲＲＣ再設定メッセージの設定を適用させる。
【０２８１】
（３）本発明の第３の実施の様態は、端末装置に適用される方法であって、ＲＲＣ再設定メッセージを受信するステップと、第１の設定を保持するステップを備え、前記第１の設定には、サービングセルに関する情報と無線ベアラに関する情報とが含まれ、前記ＲＲＣ再設定メッセージに第１の情報が含まれる場合、前記第１の設定の一部または全部を複製した第２の設定に対して前記ＲＲＣ再設定メッセージの設定を適用し、前記ＲＲＣ再設定メッセージに第１の情報が含まれない場合、前記第１の設定に対して前記ＲＲＣ再設定メッセージの設定を適用する。
【０２８２】
（４）本発明の第４の実施の様態は、端末装置に実装される集積回路であって、ＲＲＣ再設定メッセージを受信する機能と、第１の設定を保持する機能とを前記端末装置に対して発揮させ、前記第１の設定には、サービングセルに関する情報と無線ベアラに関する情報とが含まれ、前記ＲＲＣ再設定メッセージに第１の情報が含まれる場合、前記第１の設定の一部または全部を複製した第２の設定に対して前記ＲＲＣ再設定メッセージの設定を適用し、前記ＲＲＣ再設定メッセージに第１の情報が含まれない場合、前記第１の設定に対して前記ＲＲＣ再設定メッセージの設定を適用する。
【０２８３】
前記各態様において、前記第１の条件は、前記ＲＲＣメッセージに第２の情報（ｍａｋｅｂｅｆｏｒｅｂｒｅａｋ−ｒ１６）が含まれることである。
【０２８４】
前記各態様において、前記ＲＲＣ処理部は、ＭＣＧに対する無線リンク失敗を検出したと判断したときに、もし、第１のタイマーが走っていない、または、前記第１の条件下でないなら、ＲＲＣ接続の再確立処理を開始する。
【０２８５】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログ
ラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０２８６】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【０２８７】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【０２８８】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０２８９】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０２９０】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【０２９１】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
２１０、３１２  ＮＡＳ
５００，６０４  受信部
５０２、６０２  処理部
５０４、６００  送信部
【図１】
2020182170.tif 000003
【図２】
2020182170.tif 000004
【図３】
2020182170.tif 000005
【図４】
2020182170.tif 000006
【図５】
2020182170.tif 000007
【図６】
2020182170.tif 000008
【図７】
2020182170.tif 000009
【図８】
2020182170.tif 000010
【図９】
2020182170.tif 000011
【図１０】
2020182170.tif 000012
【図１１】
2020182170.tif 000013
【図１２】
2020182170.tif 000014
【図１３】
2020182170.tif 000015
【図１４】
2020182170.tif 000016
【図１５】
2020182170.tif 000017
【図１６】
2020182170.tif 000018
【図１７】
2020182170.tif 000019
【図１８】
2020182170.tif 000020
【図１９】
2020182170.tif 000021